(57)【要約】  植物への適用のための組成物および方法は、植物成長促進活性を有するバチルス・リケニフォルミス  ＲＴＩ１８４の新しい株に対して提供される。「フェンギシンＭＢ−Ｃｉｔ」および「デヒドロキシフェンギシンＭＢ−Ｃｉｔ」としてそれぞれデザインされた新しく同定されたフェンギシン様およびデヒドロキシフェンギシン様環状リポペプチドを含むバチルス・リケニフォルミス株の組成物および抽出物もまた提供される。特定の態様では、バチルス・リケニフォルミス株  ＲＴＩ１８４を含む組成物は、植物成長に利益をもたらすために、単独で、または化学物質または他の微生物剤と組み合わせて適用され得る。【選択図】なし【特許請求の範囲】
【請求項１】
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む、植物の成長に利益を与えるための組成物。
【請求項２】
植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に適用された場合に、植物成長の利益を与えることができる、
ことを特徴とする請求項１に記載の組成物。
【請求項３】
前記植物成長の利益は、改善された苗木の活力、改善された根の発達、改善された植物の成長、改善された植物の健康、増加した収量もしくは改善された外観、またはこれらの組み合わせによって示される、
ことを特徴とする請求項１に記載の組成物。
【請求項４】
前記組成物は、液体、油分散体、粉剤、乾燥水和性粉末剤、展延性顆粒剤または乾燥水和性顆粒剤の形態である、
ことを特徴とする請求項１に記載の組成物。
【請求項５】
前記組成物は、液体の形態であり、前記バチルス・リケニフォルミス  ＲＴＩ１８４は、約１．０×１０９ＣＦＵ／ｍＬから約１．０×１０１２ＣＦＵ／ｍＬの濃度で存在する、
ことを特徴とする請求項１に記載の組成物。
【請求項６】
前記組成物は、粉剤、乾燥水和性粉末剤、展延性顆粒剤または乾燥水和性顆粒剤の形態であり、前記バチルス・リケニフォルミス  ＲＴＩ１８４は、約１．０×１０９ＣＦＵ／ｇから約１．０×１０１２ＣＦＵ／ｇの量で存在する、
ことを特徴とする請求項１に記載の組成物。
【請求項７】
前記組成物が油分散体の形態であり、前記バチルス・リケニフォルミス  ＲＴＩ１８４は、約１．０×１０９ＣＦＵ／ｍＬから約１．０×１０１２ＣＦＵ／ｍＬの濃度で存在する、
ことを特徴とする請求項１に記載の組成物。
【請求項８】
前記バチルス・リケニフォルミス  ＲＴＩ１８４は、胞子の形態である、
ことを特徴とする請求項１に記載の組成物。
【請求項９】
前記バチルス・リケニフォルミス  ＲＴＩ１８４は、栄養細胞の形態である、
ことを特徴とする請求項１に記載の組成物。
【請求項１０】
植物成長に利益を与えるおよび／または感受性植物において病原体感染に対する保護を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、請求項１に記載の組成物。
【請求項１１】
前記殺虫剤は、ビフェントリンを含む、
ことを特徴とする請求項１０に記載の組成物。
【請求項１２】
前記殺線虫剤は、カドサフォスを含む、
ことを特徴とする請求項１０に記載の組成物。
【請求項１３】
前記殺虫剤は、ビフェントリンおよびクロチアニジンを含む、
ことを特徴とする請求項１０に記載の組成物。
【請求項１４】
液体として製剤化される、請求項１０に記載の組成物。
【請求項１５】
前記殺虫剤は、ビフェントリンまたはゼータ−シペルメトリンを含む、
ことを特徴とする請求項１４に記載の組成物。
【請求項１６】
前記組成物は、植え付け用基盤（ｐｌａｎｔｉｎｇ  ｍａｔｒｉｘ）の形態である、
ことを特徴とする請求項１に記載の組成物。
【請求項１７】
前記植え付け用基盤（ｐｌａｎｔｉｎｇ  ｍａｔｒｉｘ）は、鉢植え用の土の形態である、
ことを特徴とする請求項１６に記載の組成物。
【請求項１８】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする請求項１に記載の組成物。
【請求項１９】
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物の胞子を含む組成物で被覆された植物種子。
【請求項２０】
前記組成物は、約１．０×１０２ＣＦＵ／種子から約１．０×１０９ＣＦＵ／種子の量のバチルス・リケニフォルミスの胞子を含む、
ことを特徴とする請求項１９に記載の植物種子。
【請求項２１】
前記種子は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、人参、カブ、サトウキビ、サトウキビ、草または芝草を含む、
ことを特徴とする請求項１９に記載の植物種子。
【請求項２２】
植物成長の利益を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、請求項１９に記載の植物種子。
【請求項２３】
前記殺虫剤は、ビフェントリンを含む、
ことを特徴とする請求項２２に記載の植物種子。
【請求項２４】
前記殺線虫剤は、カドサフォスを含む、
ことを特徴とする請求項２２に記載の植物種子。
【請求項２５】
前記殺虫剤は、ビフェントリンおよびクロチアニジンを含む、
ことを特徴とする請求項２２に記載の植物種子。
【請求項２６】
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物と、
植物成長の利益を与えるのに適した量で存在する微生物学的もしくは化学的な殺虫剤、殺真菌剤、殺線虫剤、殺細菌剤、除草剤、植物抽出物または植物成長調整剤の１つまたは組合せと、
を含む植物成長の利益を与えるための組成物。
【請求項２７】
前記組成物は、液体または油分散体の形態であり、前記バチルス・リケニフォルミス  ＲＴＩ１８４は、約１．０×１０９ＣＦＵ／ｍｌから約１．０×１０１２ＣＦＵ／ｍｌの濃度で存在する、
ことを特徴とする請求項２６に記載の組成物。
【請求項２８】
前記組成物は、粉剤、乾燥水和性粉末剤、展延性顆粒剤または乾燥水和性顆粒剤の形態であり、前記バチルス・リケニフォルミス  ＲＴＩ１８４は、約１．０×１０９ＣＦＵ／ｇから約１．０×１０１２ＣＦＵ／ｇの量で存在する、
ことを特徴とする請求項２６に記載の組成物。
【請求項２９】
前記バチルス・リケニフォルミス  ＲＴＩ１８４は、胞子の形態である、
ことを特徴とする請求項２６に記載の組成物。
【請求項３０】
前記バチルス・リケニフォルミスＲＴＩ１８４は、栄養細胞の形態である、
ことを特徴とする請求項２６に記載の組成物。
【請求項３１】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする請求項２６に記載の組成物。
【請求項３２】
前記殺虫剤は、ビフェントリンを含む、
ことを特徴とする請求項２６に記載の組成物。
【請求項３３】
前記殺線虫剤は、カドサフォスを含む、
ことを特徴とする請求項２６に記載の組成物。
【請求項３４】
前記殺虫剤は、ビフェントリンおよびクロチアニジンを含む、
ことを特徴とする請求項２６に記載の組成物。
【請求項３５】
液体として製剤化される、請求項２６に記載の組成物。
【請求項３６】
前記殺虫剤は、ビフェントリンまたはゼータ−シペルメトリンを含む、
ことを特徴とする請求項３５に記載の組成物。
【請求項３７】
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物を、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達することを含む、植物成長の利益を与える方法。
【請求項３８】
前記植物成長の利益は、改善された苗木の活力、改善された根の発達、改善された植物の成長、改善された植物の健康、増加した収量もしくは改善された外観、またはこれらの組み合わせによって示される、
ことを特徴とする請求項３７に記載の方法。
【請求項３９】
前記バチルス・リケニフォルミスＲＴＩ１８４は、約１．０×１０８ＣＦＵ／ｈａから約１．０×１０１３ＣＦＵ／ｈａの割合で送達される、
ことを特徴とする請求項３７に記載の方法。
【請求項４０】
前記バチルス・リケニフォルミスＲＴＩ１８４は、胞子の形態である、
ことを特徴とする請求項３７に記載の方法。
【請求項４１】
前記バチルス・リケニフォルミスＲＴＩ１８４は、栄養細胞の形態である、
ことを特徴とする請求項３７に記載の方法。
【請求項４２】
前記組成物は、液体、油分散体、粉剤、乾燥水和性粉末剤、展延性顆粒剤または乾燥水和性顆粒剤の形態である、
ことを特徴とする請求項３７に記載の方法。
【請求項４３】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする請求項３７に記載の方法。
【請求項４４】
前記組成物は、植物成長の利益を与えるおよび／または感受性植物における病原体感染に対する保護を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、
ことを特徴とする請求項３７に記載の方法。
【請求項４５】
前記殺虫剤は、ビフェントリンを含む、
ことを特徴とする請求項４４に記載の方法。
【請求項４６】
前記殺線虫剤は、カドサフォスを含む、
ことを特徴とする請求項４４に記載の方法。
【請求項４７】
前記殺虫剤は、ビフェントリンおよびクロチアニジンを含む、
ことを特徴とする請求項５０に記載の方法。
【請求項４８】
液体として製剤化される、請求項４４に記載の方法。
【請求項４９】
前記殺虫剤は、ビフェントリンまたはゼータ−シペルメトリンを含む、
液体として製剤化される、請求項４８に記載の方法。
【請求項５０】
植物の種子を植え付ける、または適切な増殖培地において植物の栄養／カルス組織を再生させることを含み、
前記種子は、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物で被覆され、または前記栄養／カルス組織は、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物を接種され、
前記種子または前記栄養／カルス組織からの植物の成長に利益を与える、
ことを特徴とする植物成長の利益を与える方法。
【請求項５１】
前記植物成長の利益は、改善された苗木の活力、改善された根の発達、改善された植物の成長、改善された植物の健康、増加した収量もしくは改善された外観、またはこれらの組み合わせによって示される、
ことを特徴とする請求項５０に記載の方法。
【請求項５２】
前記バチルス・リケニフォルミス  ＲＴＩ１８４は、胞子の形態であり、約１．０×１０２ＣＦＵ／種子から約１．０×１０９ＣＦＵ／種子の量で存在する、
ことを特徴とする請求項５０に記載の方法。
【請求項５３】
前記種子は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする請求項５０に記載の方法。
【請求項５４】
前記組成物は、植物成長の利益を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、
ことを特徴とする請求項５０に記載の方法。
【請求項５５】
前記殺虫剤は、ビフェントリンを含む、
ことを特徴とする請求項５４に記載の方法。
【請求項５６】
前記殺線虫剤は、カドサフォスを含む、
ことを特徴とする請求項５４に記載の方法。
【請求項５７】
前記殺虫剤は、ビフェントリンおよびクロチアニジンを含む、
ことを特徴とする請求項５４に記載の方法。
【請求項５８】
液体として製剤化される、請求項５４に記載の方法。
【請求項５９】
前記殺虫剤は、ビフェントリンまたはゼータ−シペルメトリンを含む、
ことを特徴とする請求項５８に記載の方法。
【請求項６０】
バチルス・リケニフォルミス  ＲＴＩ１８４は、胞子の形態である、
ことを特徴とする請求項５０に記載の方法。
【請求項６１】
前記バチルス・リケニフォルミスＲＴＩ１８４は、栄養細胞の形態である、
ことを特徴とする請求項５０に記載の方法。
【請求項６２】
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む第１の組成物と、
植物成長の利益を与えるのに適した量で存在する微生物学的もしくは化学的な殺虫剤、殺真菌剤、殺線虫剤、殺細菌剤、または植物成長調整剤の１つまたは組合せを含む第２の組成物と、
の組合せを、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達することを含む、植物成長の利益を与える方法。
【請求項６３】
前記植物成長の利益は、改善された苗木の活力、改善された根の発達、改善された植物の成長、改善された植物の健康、増加した植物の質量、増加した収量、改善された外観、もしくは植物病原体に対する改善された耐性、またはこれらの組み合わせによって示される、
ことを特徴とする請求項６２に記載の方法。
【請求項６４】
植物の成長に利益を与えるのに適した、前記バチルス・リケニフォルミスＲＴＩ１８４の量は、約１．０×１０８ＣＦＵ／ｈａから約１．０×１０１３ＣＦＵ／ｈａである、
ことを特徴とする請求項６２に記載の方法。
【請求項６５】
前記バチルス・リケニフォルミスＲＴＩ１８４は、胞子の形態である、
ことを特徴とする請求項６２に記載の方法。
【請求項６６】
前記バチルス・リケニフォルミスＲＴＩ１８４は、栄養細胞の形態である、
ことを特徴とする請求項６２に記載の方法。
【請求項６７】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする請求項６２に記載の方法。
【請求項６８】
前記殺虫剤は、ビフェントリンを含む、
ことを特徴とする請求項６２に記載の方法。
【請求項６９】
前記殺線虫剤は、カドサフォスを含む、
ことを特徴とする請求項６２に記載の方法。
【請求項７０】
前記殺虫剤は、ビフェントリンおよびクロチアニジンを含む、
ことを特徴とする請求項６２に記載の方法。
【請求項７１】
液体として製剤化される、請求項６２に記載の方法。
【請求項７２】
前記殺虫剤は、ビフェントリンまたはゼータ−シペルメトリンを含む、
ことを特徴とする請求項７１に記載の方法。
【請求項７３】
植物の成長に利益を与えるのに適した量の、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物と、
植物成長の利益を与えるのに適した量の、微生物学的もしくは化学的な殺虫剤、殺真菌剤、殺線虫剤、殺細菌剤、除草剤、植物抽出物または植物成長調整剤の１つまたは組合せと、
を含む組成物を、
植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達することを含む、植物成長の利益を与える方法。
【請求項７４】
前記植物成長の利益は、改善された苗木の活力、改善された根の発達、改善された植物の成長、改善された植物の健康、増加した収量、増加した植物の質量、改善された外観、もしくは植物病原体に対する改善された耐性、またはこれらの組み合わせによって示される、
ことを特徴とする請求項７３に記載の方法。
【請求項７５】
前記バチルス・リケニフォルミスＲＴＩ１８４は、胞子の形態である、
ことを特徴とする請求項７３に記載の方法。
【請求項７６】
前記バチルス・リケニフォルミスＲＴＩ１８４は、栄養細胞の形態である、
ことを特徴とする請求項７３に記載の方法。
【請求項７７】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする請求項７３に記載の方法。
【請求項７８】
植物の成長に利益を与えるのに適した、前記バチルス・リケニフォルミス  ＲＴＩ１８４の量は、約１．０×１０８ＣＦＵ／ｈａから約１．０×１０１３ＣＦＵ／ｈａである、
ことを特徴とする請求項７３に記載の方法。
【請求項７９】
前記殺虫剤は、ビフェントリンを含む、
ことを特徴とする請求項７３に記載の方法。
【請求項８０】
前記殺線虫剤は、カドサフォスを含む、
ことを特徴とする請求項７３に記載の方法。
【請求項８１】
前記殺虫剤は、ビフェントリンおよびクロチアニジンを含む、
ことを特徴とする請求項７３に記載の方法。
【請求項８２】
液体として製剤化される、請求項７３に記載の方法。
【請求項８３】
前記殺虫剤は、ビフェントリンまたはゼータ−シペルメトリンを含む、
ことを特徴とする請求項８２に記載の方法。
【請求項８４】
組成物中に植物の切断片を浸すことと、適切な増殖培地中にそれを植え付けることと、を含み、
前記組成物は、植物の発根に利益を与えるのに適した量の、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含み、
根の形成および前記切断片からの植物の成長の利益が与えられる、
ことを特徴とする植物発根の利益を与える方法。
【請求項８５】
前記バチルス・リケニフォルミスＲＴＩ１８４は、胞子の形態である、
ことを特徴とする請求項８４に記載の方法。
【請求項８６】
前記バチルス・リケニフォルミスＲＴＩ１８４は、栄養細胞の形態である、
ことを特徴とする請求項８４に記載の方法。
【請求項８７】
前記組成物は、液体または乾燥水和性粉末剤形態である、
ことを特徴とする請求項８４に記載の方法。
【請求項８８】
前記組成物は、乾燥水和性粉末剤の形態であり、前記バチルス・リケニフォルミス  ＲＴＩ１８４は、約１．０×１０７ＣＦＵ／ｇから約１．０×１０９ＣＦＵ／ｇの量で存在する、
ことを特徴とする請求項８７に記載の方法。
【請求項８９】
少なくとも１つの単離されたフェンギシンＭＢ−Ｃｉｔ化合物と、単離されたデヒドロキシフェンギシンＭＢ−Ｃｉｔ化合物と、を、植物への成長の利益または感受性植物における病原体感染に対する保護の一方または両方を与えるのに適した量で含み、
フェンギシンＭＢ−ＣｉｔおよびデヒドロキシフェンギシンＭＢ−Ｃｉｔ化合物は、式
【化１】
2018503626.tif 000012
を有し、
フェンギシンＭＢ−Ｃｉｔについては、ｎは８〜２０、ＦＡは直鎖、イソまたはアンテイソであり、ＲはＯＨであり、Ｘ１はＶａｌであり、Ｘ２はＴｈｒであり、Ｘ３はＭｅｔであり、Ｘ４はＣｉｔであり、デヒドロキシフェンギシンＭＢ−Ｃｉｔについては、ｎは８〜２０、ＦＡは直鎖、イソまたはアンテイソであり、ＲはＨであり、Ｘ１はＶａｌであり、Ｘ２はＴｈｒであり、Ｘ３はＭｅｔであり、Ｘ４はシトルリンである、
ことを特徴とする組成物。
【請求項９０】
植物成長の利益を与えるおよび／または感受性植物における病原体感染に対する保護を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、請求項８９に記載の組成物。
【請求項９１】
前記組成物は、液体、粉剤、展延性顆粒剤または乾燥水和性顆粒剤の形態である、
ことを特徴とする請求項８９に記載の組成物。
【請求項９２】
フェンギシンＭＢ−Ｃｉｔ化合物およびデヒドロキシフェンギシンＭＢ−Ｃｉｔ化合物の少なくとも１つを含む、バチルス・リケニフォルミス株の生物学的に純粋な培養物の抽出物。
【請求項９３】
フェンギシンＭＢ−Ｃｉｔ化合物およびデヒドロキシフェンギシンＭＢ−Ｃｉｔ化合物の少なくとも１つを含む、ＡＴＣＣ番号ＰＴＡ−１２１７２２として寄託されたバチルス・リケニフォルミス  ＲＴＩ１８４の生物学的に純粋な培養物の抽出物。
【請求項９４】
病原体感染から植物または果実を保護するまたは処理するための方法であって、前記植物もしくは前記果実に、または前記植物の根の周囲の根もしくは土壌に、有効量の請求項８９、９０、９１、９２または９３のいずれかに１項に記載の組成物または抽出物を適用することを含む、方法。
【請求項９５】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする請求項９４に記載の方法。
【請求項９６】
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・メイディス（Helminthosporium maydis）、ヘルミントスポリウム・ソラニ（Helminthosporium solai）又はヘルミントスポリウム・トリチシ−レペンチス（Helminthosporium tritici-repentis）のうちの１又は複数により引き起こされる、
ことを特徴とする請求項９４に記載の方法。
【発明の詳細な説明】
【技術分野】
【０００１】
（関連出願の相互参照）
本出願は、２０１４年１２月２９日に出願された米国仮出願６２／０９７，２５６号及び２０１５年６月５日に出願された米国仮出願６２／１７１，５５５号に基づくものであり、その明細書、特許請求の範囲、図面および要約書を含むものである。上記日本国特許出願における開示は、その全体が本明細書中に参照として含まれる。
【０００２】
（技術分野）
本明細書に開示される主題は、植物の成長に有益な植物の根、植物の種子および植物周囲の土壌への適用のためのバチルス・リケニフォルミスの単離された株を含む組成物に関する。
【背景技術】
【０００３】
植物の成長および健康に有益な効果を有するいくつかの微生物は、土壌中に存在し、根域（Ｐｌａｎｔ  Ｇｒｏｗｔｈ  Ｐｒｏｍｏｔｉｏｎ  Ｒｈｉｚｏｂａｃｔｅｒｉａ“ＰＧＰＲ”）に特異的な植物に関連して生息し、または植物内の内生菌として存在することが知られている。それらの有益な植物成長促進特性には、窒素固定、鉄キレート化、リン酸可溶化、非有益な微生物の阻害、有害生物への耐性、誘導性抵抗性（ＩＳＲ）、全身獲得抵抗性（ＳＡＲ）、有用な土壌有機成分を向上させるための土壌中の植物材料の分解（ＩＡＡ）、植物の成長、発育、干ばつなどの環境ストレスへの反応を促進させるインドール酢酸（ＩＡＡ）、アセトイン、２，３−ブタンジオールなどの植物ホルモンの合成を含む。さらに、これらの微生物は、前駆体分子である１−アミノシクロプロパン−１−カルボキシレート（ＡＣＣ）を分解することで、植物のエチレンストレス応答を妨害することができ、それによって植物の成長を刺激し、果実の熟成を遅らせ得る。これらの有益な微生物は、土壌の品質、植物の生育、収量および作物の品質を改善することができる。種々の微生物は、植物病害を防除するのに有用であるといった生物学的活性を示す。そのような生物農薬（生物およびこれらの生物によって天然に産生される化合物）は、合成肥料および農薬よりも安全であり、生分解性を有する。
【０００４】
これに限定されるものではないが、ボトリチス属（例えば、ボトリチス・シネレア）、フザリウム属（例えば、フザリウム・オキシスポラムおよびフザリウム・グラミネアム）、リゾクトニア属（例えば、リゾクトニア・ソラニ）、マグナポルテ属、ミコスフェレラ属、プッチニア属（例えばプッチニア・レコンディタ）、フィトプツロラ属およびＰｈａｋｏｐｓｏｒａ属（例えば、Ｐ．ｐａｃｈｙｒｈｉｚｉ）を含む真菌の植物病原体は、農業および園芸産業における経済的損失を引き起こし得る植物病害虫の１つのタイプである。真菌の植物病原体を防除するために化学薬品を使用することができるが、化学薬品の使用には、高コスト、有効性の欠如、菌類の耐性株の出現および望ましくない環境への影響を含むという欠点がある。さらに、そのような化学的処理は、無差別である傾向があり、処理が標的とされる植物病原体に加えて、有益な細菌、真菌および節足動物に悪影響を及ぼし得る。第二のタイプの植物病害虫は、細菌病原体であり、これに限定されるものではないが、農業および園芸産業における重大な経済的損失を引き起こすエルウィニア属（エルウィニア：クリサンテミなど）、パントエア属（パントエア・シトレアなど）、キサントモナス属（例えば、キサントモナス・カンペストリス）、シュードモナス属（シュードモナス・シリンガエなど）およびラルストニア属（ラルストニア・ソラナケアルムなど）が含まれる。病原性真菌と同様に、これらの細菌病原体を治療するための化学物質の使用には欠点がある。ウイルスおよびウイルス様生物は、制御が困難な第三のタイプの植物病原性因子を含むが、細菌性微生物は、誘導された全身抵抗（ＩＳＲ）を介して植物に抵抗性を与えることができる。したがって、病原菌、ウイルスおよび細菌を防除するためにバイオ肥料および／または生物農薬として適用され得る微生物が望ましく、農業の持続可能性を改善することが強く求められている。最終的なタイプの植物病原体には、植物の病原性線虫および昆虫が含まれ、植物の重篤な損傷および喪失を引き起こし得る。
【０００５】
バチルスのいくつかの種は生物防除株として報告されており、いくつかは市販製品に適用されている（非特許文献１）。例えば、市販の生物防除製品に現在使用されている菌株には、バイエル・クロップ・サイエンス社によって生産されたＳＯＮＡＴＡおよびＢＡＬＬＡＤ−ＰＬＵＳにおける有効成分として使用されるバチルス・リケニフォルミス株ＱＳＴ２８０８；バイエル・クロップ・サイエンス社によって生産されたＹＩＥＬＤＳＨＩＥＬＤの有効成分として使用されるバチルス・リケニフォルミス株ＧＢ３４；バイエル・クロップ・サイエンス社によって生産されたＳＥＲＥＮＡＤＥの有効成分として使用される枯草菌株ＱＳＴ７１３；ヘレナ・ケミカル・カンパニー社によって生産されたＫＯＤＩＡＫおよびＳＹＳＴＥＭ３の有効成分として使用される枯草菌ＧＢＯ３株を含む。バチルス・チューリンゲンシスおよびバチルス・フィルムスの様々な株が、線虫およびベクター昆虫に対する生物防除剤として適用され、これらの株は、バイエル・クロップ・サイエンス社によって生産されるＮＯＲＴＩＣＡおよびＰＯＮＣＨＯ−ＶＯＴＩＶＯを含む、多数の市販の生物防除製品の基礎として役立つ。さらに、市販の生体刺激製品に現在使用されているバチルス株は、ＡＢＨＩＴＥＰ  ＧｍｂＨによって生産されたＲＨＩＺＯＶＩＴＡＬ  ４２の有効成分として使用されるバチルス・アミロリケファシエンス株ＦＺＢ４２およびＪＨＢｉｏｔｅｃｈ社によって生産されたＦＵＬＺＹＭＥなどの生体刺激製品における発酵抽出物を含む全細胞として含まれる種々の他の枯草菌を含む。
【先行技術文献】
【非特許文献】
【０００６】
【非特許文献１】Ｋｌｏｅｐｐｅｒ，Ｊ．Ｗ．ｅｔ  ａｌ．，２００４，  Ｐｈｙｔｏｐａｔｈｏｌｏｇｙ  Ｖｏｌ．９４，Ｎｏ．１１，１２５９−１２６６
【発明の概要】
【発明が解決しようとする課題】
【０００７】
本明細書に開示される主題は、植物の成長に利益をもたらす微生物学的な組成物およびその使用方法を提供する。
【課題を解決するための手段】
【０００８】
本発明の１つの実施形態では、植物の成長に有益な量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む、植物の成長に利益を与えるための組成物が提供される。
【０００９】
本発明の１つの実施形態では、植物の成長に有益な量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物の胞子を含む組成物で被覆された植物種子が提供される。
【００１０】
本発明の１つの実施形態では、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物；ならびに植物成長の利益を与えるのに適した量で存在する殺虫剤、殺真菌剤（ｆｕｎｇｉｃｉｄｅ）、殺線虫剤、除草剤、殺細菌剤（ｂａｃｔｅｒｉｏｃｉｄｅ）、植物成長調節剤、肥料、微生物またはそれらの組合せを含む、植物の成長に利益を与えるための組成物が提供される。
【００１１】
本発明の１つの実施形態では、植物の成長に有益な量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物を、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達させることを含む、植物成長の利益を与える方法が提供される。
【００１２】
本発明の１つの実施形態では、植物の種子を植え付ける、または適切な増殖培地において栄養／カルス組織を再生させることを含み、前記種子は、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物で被覆され、または前記栄養／カルス組織は、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物を接種され、前記種子または栄養／カルス組織からの植物の成長に利益を与える、ことを特徴とする植物成長の利益を与える方法が提供される。
【００１３】
本発明の１つの実施形態では、組成物中に植物の切断片を浸すことと、適切な増殖培地中にそれを植え付けることと、を含み、前記組成物は、植物の発根に有益な量の、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含み、根の形成および前記切断片からの植物の成長の利益が与えられる、ことを特徴とする植物発根の利益を与える方法が提供される。
【００１４】
本発明の１つの実施形態では、植物の成長に有益な量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む第１の組成物と、植物成長の利益を与えるのに適した量で存在する殺虫剤、殺真菌剤（ｆｕｎｇｉｃｉｄｅ）、殺線虫剤、除草剤、殺細菌剤（ｂａｃｔｅｒｉｏｃｉｄｅ）、植物成長調節剤、肥料、微生物またはそれらの組合せを含む第２の組成物と、の組合せを、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達させることを含む、植物成長の利益を与える方法が提供される。
【００１５】
本発明の１つの実施形態では、植物の成長に有益な量の、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物と、植物成長の利益を与えるのに適した量の殺虫剤、殺真菌剤（ｆｕｎｇｉｃｉｄｅ）、殺線虫剤、除草剤、殺細菌剤（ｂａｃｔｅｒｉｏｃｉｄｅ）、植物成長調節剤、肥料、微生物またはそれらの組合せと、を含む組成物を、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達させることを含む、植物成長の利益を与える方法が提供される。
【００１６】
本発明の１つの実施形態では、単離されたフェンギシンＭＢ−Ｃｉｔ化合物と、単離されたデヒドロキシフェンギシンＭＢ−Ｃｉｔ化合物の少なくとも１つと、任意で表６に列挙される追加の単離されたフェンギシン様およびデヒドロキシフェンギシン様化合物の１つまたは組合せとを、植物への成長の利益または感受性植物における病原体感染に対する保護の一方または両方を与えるのに適した量で含み、フェンギシンＭＢ−ＣｉｔおよびデヒドロキシフェンギシンＭＢ−Ｃｉｔ化合物は、下記式を有することを特徴とする植物に適用するための組成物が提供される。
【００１７】
【化１】
2018503626.tif 000002
【００１８】
フェンギシンＭＢ−Ｃｉｔについては、ｎは８〜２０、ＦＡは直鎖、イソまたはアンテイソであり、ＲはＯＨであり、Ｘ１はＶａｌであり、Ｘ２はＴｈｒであり、Ｘ３はＭｅｔであり、Ｘ４はＣｉｔであり、デヒドロキシフェンギシンＭＢ−Ｃｉｔについては、ｎは８〜２０、ＦＡは直鎖、イソまたはアンテイソであり、ＲはＨであり、Ｘ１はＶａｌであり、Ｘ２はＴｈｒであり、Ｘ３はＭｅｔであり、Ｘ４はシトルリンである。
【００１９】
一実施形態では、フェンギシンＭＢ−Ｃｉｔ化合物およびデヒドロキシフェンギシンＭＢ−Ｃｉｔ化合物ならびに表４に列挙される追加のフェンギシン様およびデヒドロキシフェンギシン様化合物の１つまたは組合せを含む、バチルス・リケニフォルミス株の生物学的に純粋な培養物の抽出物が提供される。
【００２０】
一実施形態では、フェンギシンＭＢ−Ｃｉｔ化合物およびデヒドロキシフェンギシンＭＢ−Ｃｉｔ化合物ならびに表４に列挙される追加のフェンギシン様およびデヒドロキシフェンギシン様化合物の１つまたは組合せを含む、ＡＴＣＣ番号ＰＴＡ−１２１７２２として寄託されたバチルス・リケニフォルミス  ＲＴＩ１８４の生物学的に純粋な培養物の抽出物が提供される。
【図面の簡単な説明】
【００２１】
【図１】本発明の１または２以上の実施形態による、未処理対照（ａ）と比較した、７日間の生育後の、（ｂ）１．０４×１０６ＣＦＵ／ｍｌ、（ｃ）１．０４×１０５ＣＦＵ／ｍｌ、および（ｄ）１．０４×１０４ＣＦＵ／ｍｌでのバチルス・リケニフォルミス株ＲＴＩ１８４での種子の接種後のダイズ実生における根毛発達に対する陽性効果を示す画像の図である。
【図２】本発明の１または２以上の実施形態による、組み換えトマト（ＭＯＮＥＹ  ＭＡＫＥＲ）における早期植物成長に対するバチルス・リケニフォルミス株ＲＴＩ１８４による種子の接種の陽性効果を示す画像の図である。７日間の成長後に抽出された植物を図に示す。（ａ）対照植物および（ｂ）ＲＴＩ１８４を接種した植物である。
【図３】本発明の１または２以上の実施形態による、コーンにおける植物成長に対するバチルス・リケニフォルミス株ＲＴＩ１８４による種子の接種の陽性効果を示す画像の図である。（ａ）バチルス・リケニフォルミス株ＲＴＩ１８４を接種した植物および（ｂ）対照植物である。
【図４】本発明の１または２以上の実施形態による、ｐＨ６．５に調節されたＰＲＯＭＩＸ  ＢＸ（プレミアテック社、カナダ、ケベック州）植え込み土壌にバチルス・リケニフォルミス株ＲＴＩ１８４を添加した結果として、キュウリにおける生育および活力に対する陽性効果を示す画像の図である。（ａ）バチルス・リケニフォルミス  ＲＴＩ１８４無添加での同じ土壌における対照キュウリ植物および（ｂ）１×１０７ＣＦＵ／ｇのバチルス・リケニフォルミス  ＲＴＩ１８４の胞子の土壌への添加後のキュウリ植物である。
【図５】本発明の１または２以上の実施形態による、ｐＨ６．５に調節されたＰＲＯＭＩＸ  ＢＸ（プレミアテック社、カナダ、ケベック州）植え込み土壌にバチルス・リケニフォルミス株ＲＴＩ１８４を添加した結果として、トマトにおける生育および活力に対する陽性効果を示す画像の図である。（ａ）１×１０７ＣＦＵ／ｇのバチルス・リケニフォルミス  ＲＴＩ１８４胞子の土壌への添加後のトマト植物およびＢ）バチルス・リケニフォルミス  ＲＴＩ１８４無添加での同じ土壌における対照トマト植物である。
【図６】本発明の１または２以上の実施形態による、ｐＨ６．５に調節されたＰＲＯＭＩＸ  ＢＸ（プレミアテック社、カナダ、ケベック州）植え込み土壌にバチルス・リケニフォルミス株ＲＴＩ１８４を添加した結果として、ペッパーにおける生育および活力に対する陽性効果を示す画像の図である。（ａ）１×１０７ＣＦＵ／ｇのバチルス・リケニフォルミス  ＲＴＩ１８４胞子の土壌への添加後のペッパー植物および（ｂ）バチルス・リケニフォルミス  ＲＴＩ１８４無添加での同じ土壌における対照ペッパー植物である。
【図７】バチルス・リケニフォルミスを含む微生物種によって産生された過去に報告されたフェンギシン型およびデヒドロキシフェンギシン型環状リポペプチドと、本発明の１または２以上の実施形態によるバチルス・リケニフォルミス  ＲＴＩ１８４分離株によって産生された、新たに同定された（太字の型で示される）フェンギシン型およびデヒドロキシフェンギシン型分子と、の両方を示す概略図である。
【図８】本発明の１または２以上の実施形態による、バチルス・リケニフォルミス株ＣＨ２００、ＲＴＩ１２４２、ＲＴＩ１２４９、ＲＴＩ１８４、ＲＴＩ１２４３、ＲＴＩ１１１２、ＦＣＣ１５９８、ＲＴＩ２３９、ＲＴＩ２４１、およびＲＴＩ２５３のゲノムＤＮＡに対するＢＯＸ−ＰＣＲフィンガープリンティングパターンのアガロースゲル電気泳動の画像の図である。１ｋｂのＤＮＡラダー（ＦＥＲＭＥＮＴＡＳ）を分子量マーカーとして使用した。ＢＯＸ−ＰＣＲパターンに基づき、１０株は、グループ１、グループ２Ａ−２Ｂ（グループ２Ａおよび２Ｂはゲル上の位置を表す）およびグループ１および２に属さない株を含むグループ３の３つの主要なグループに分類される  。
【図９】本発明の１または２以上の実施形態によるバチルス・リケニフォルミス株ＲＴＩ１８４の胞子で、グロボデラ感染土壌中で栽培したジャガイモ植物を処理した場合の陽性増殖効果を示す画像の図である。４８日間の成長後のジャガイモ植物を図に示す。（ａ）対照植物および（ｂ）ＲＴＩ１８４胞子で処理した植物である。
【発明を実施するための形態】
【００２２】
特許請求の範囲を含む本出願で使用されるとき、用語“１つの（ａ）”、“１つの（ａｎ）” および “その（ｔｈｅ）” は、“１または２以上”を表す。したがって、例えば、文脈で明確に否定されない限り、“植物”は、複数の植物を含む。
【００２３】
本明細書および特許請求の範囲を通じて、用語「含む（ｃｏｍｐｒｉｓｅ）」、「含む（ｃｏｍｐｒｉｓｅｓ）」および「含む（ｃｏｍｐｒｉｓｉｎｇ）」は、文脈上別途必要な場合を除いて、非排他的な意味で使用される。 同様に、「含む（ｉｎｃｌｕｄｅ）」という用語およびその文法上の変形は、リスト内の項目の列挙が、リストされた項目に置換または追加され得る他の同様の項目を除外しないように限定されるものではない。
【００２４】
本明細書および特許請求の範囲において、「約」という用語は、１つまたは複数の数字または数値範囲と関連して使用される場合、範囲内のすべての数字を含むすべての数字を指すと理解されるべきであり、記載された数値の上下の境界を広げることによりその範囲を修正する。終点による数値範囲の列挙は、全ての数、例えば整数を含み、その分数を含み、その範囲（例えば、１から５の記載は１，２，３，４および５を含み、また分数、例えば、１．５，２．２５，３．７５，４．１など）およびその範囲内の任意の範囲をも含む。
【００２５】
本発明の特定の実施形態では、植物の成長に利益をもたらし、植物の病原体感染に対する保護を与えるまたは防除するための組成物および方法が提供される。バチルス・リケニフォルミス種に属すると同定された植物関連細菌は、カリフォルニア州で栽培されたイネの根から単離され、その後、植物成長促進特性について試験された。より具体的には、単離された細菌株は、高度に保存された１６Ｓ  ｒＲＮＡおよびｒｐｏＢ遺伝子の配列分析により、バチルス・リケニフォルミスの新しい株として同定された（実施例１参照）。新しい細菌分離株（ＲＴＩ１８４と称する）の１６Ｓ  ＲＮＡ配列は、バチルス・リケニフォルミス９９４５Ａ菌株（９９％、３つの異なるコピーのうちの１６Ｓ  ｒＲＮＡ遺伝子の１つのコピーにおける１５４５ｂｐ上での２ｂｐの差異）およびバチルス・リケニフォルミス株ＡＴＣＣ  １４５８０（９９％、１５４５ｂｐ上での８ｂｐの差異）のバチルス・リケニフォルミスの２つの他の既知株の１６Ｓ  ｒＲＮＡ遺伝子配列とほぼ同一であると判定された。さらに、ＲＴＩ１８４のｒｐｏＢ配列は、既知のバチルス・リケニフォルミス  ９９４５Ａ（ＣＰ００５９６５）株と１００％の配列同一性を有し、ＡＴＣＣ１４５８０として寄託されたバチルス・リケニフォルミス株と９７％の配列同一性（３０１５ｂｐ上での９７ｂｐの差異）を有すると判定された。ＲＴＩ１８４株とバチルス・リケニフォルミス９９４５Ａとをさらに区別するために、バチルス・リケニフォルミス種によって産生される特徴的なアニオン性環状リポヘプタペプチドバイオサーファクタントであるリケニシンの生合成に関与する経路のゲノム配列を比較した。類似しているものの、ＲＴＩ１８４および９９４５Ａ株についてのｌｉｃｈＡとｌｉｃｈＢ遺伝子との間にいくつかの差異が観察された。したがって、ＲＴＩ１８４株は、バチルス・リケニフォルミスの独特な株として同定された。バチルス・リケニフォルミスＲＴＩ１８４の株は、米国バージニア州マナッサスのアメリカンタイプカルチャーコレクション（ＡＴＣＣ）で特許手続きのための微生物の寄託の国際的承認に関するブダペスト条約の条件の下、２０１４年１１月１３日に寄託され、特許寄託番号第ＰＴＡ−１２１７２２が付与されている。
【００２６】
広範囲の植物種においてバチルス・リケニフォルミス  ＲＴＩ１８４株の実質的な増殖促進活性を示した実験を行った。また、バチルス・リケニフォルミス  ＲＴＩ１８４によって産生された環状リポペプチド（すなわち、フェンギシンおよびデヒドロキシフェンギシンとして知られている脂肪酸基を含む環状ペプチド分子）の種類を調べるために、実験を行った。ＲＴＩ１８４株についての実験結果は、下記の図１−９および実施例２−９に記載されている。驚くべきことに、環状リポペプチドの試験は、ＲＴＩ１８４株は４つの以前に報告されていないフェンギシン型分子およびデヒドロキシフェンギシン型分子を生成するという発見をもたらした。新しいクラスは、１）フェンギシンＨおよびデヒドロキシフェンギシンＨ；２）デヒドロキシフェンギシンＩ；３）フェンギシンＭＡ／ＭＢ／ＭＣおよびデヒドロキシフェンギシンＭＡ／ＭＢ／ＭＣ；ならびに４）フェンギシンＭＢ−ＣｉｔおよびデヒドロキシフェンギシンＭＢ−Ｃｉｔと称され、詳細は実施例７に記載され、図７に示される。ＲＴＩ１８４株によって産生された環状リポペプチドの新しいクラスの発見に加えて、実験は、これらの新しいタイプのフェンギシン型およびデヒドロキシフェンギシン型代謝産物の合成は、バチルス・リケニフォルミス種固有ではなく株依存性であることを明らかにした。例えば、５分の密接に関連したバチルス・リケニフォルミス株が、異なるフェンギシン型およびデヒドロキシフェンギシン型分子を産生する一方で、密接に関連したバチルス・リケニフォルミス株は、フェンギシン型またはデヒドロキシフェンギシン型代謝物ををまったく産生しなかった（実施例７及び図８参照）。このように、新たに発見されたバチルス・リケニフォルミス  ＲＴＩ１８４株は、バチルス・リケニフォルミス株の間で一様に示されるわけではない、植物の成長および健康に利益を与える独特な性質を有している。
【００２７】
共通の植物病原性生物に対するバチルス・リケニフォルミス  ＲＴＩ１８４株の抗菌特性を示す実験結果は、実施例２に記載され、植物ホルモン産生、アセトインおよびインドール酢酸（ＩＡＡ）および株の栄養循環といった表現型形質は、実施例３に記載されている。
【００２８】
実施例４および５には、種子の発芽、根の発達および早期の成長に対する、バチルス・リケニフォルミス  ＲＴＩ１８４株の分化細胞および胞子の種々の植物からの種子への接種の陽性効果が記載される。結果を表３−４および図１−３に示す。一例として、図１（ａ）−図１（ｄ）は、未処理対照と比較して、７日間の増殖後に１０６から１０８の範囲の濃度でのＲＴＩ１８４の栄養細胞による接種後の根毛発達に対する陽性効果を示す、大豆種子の画像である。このデータは、ＲＴＩ１８４細胞の添加が、接種されていない対照種子と比較して側根および細根毛の形成を刺激したことを示す。細根毛は、水、栄養分および根圏の他の微生物との植物相互作用の取り込みにおいて重要である。図２は、組換えトマト（Moneymaker）種子にＲＴＩ１８４株の胞子を接種した後の根の発育に対する同様の陽性効果を示す。図３は、コーンにおけるＲＴＩ１８４分離株の初期増殖促進活性を示す。発芽したコーン種子を、ＲＴＩ１８４株の約２×１０７ＣＦＵ／ｍｌの懸濁液中で２日間接種し、続いてポットに植え付けた。コーンにおける初期増殖に対するＲＴＩ１８４株の有益な効果は、図３の画像に示されている。図３（ａ）は、ＲＴＩ１８４を接種した８週齢の植物を示し、図３（ｂ）は対照植物を示す。８週間の生育後にコーン苗の乾燥重量を測定し、ＲＴＩ１８４処理植物の乾燥重量が非接種対照よりも２５％増加した。
【００２９】
細菌分離株ＲＴＩ１８４を土壌に添加したときのキュウリ、トマトおよびペッパーにおける生育および活力に対する効果を実施例６に記載する。この実験では、キュウリ、トマトおよびペッパーの種子をＰＲＯＭＩＸ  ＢＸ（カナダ、ケベック州、プレミアテック社）鉢植え土壌に植え付け、ｐＨを６．５に調整し、１×１０７胞子／ｇのバチルス・リケニフォルミス株ＲＴＩ１８４で促進させた。植物の画像を撮影し、収穫し、それらの乾燥重量を測定し、非接種対照植物で得られたデータと比較した。ＲＴＩ１８４は、すべての作物種の対照を上回った。増殖に対するＲＴＩ１８４株の陽性効果を図４−６および表５に示す。対照を上回るＲＴＩ１８４で促進された土壌のキュウリ、トマト、およびペッパーについて観察された乾燥重量の増加は、それぞれ４４％、６８％および２６％であった。
【００３０】
実施例７は、バチルス・リケニフォルミス  ＲＴＩ１８４株によって産生された環状リポペプチド、フェンギシンおよびデヒドロキシフェンギシンの研究を記載しており、驚くべきことに、これらの分子の以前に報告されていない４つのクラスの同定を記載する。図７は、バチルス・リケニフォルミスを含む微生物種によって産生された以前に報告されたフェンギシン型およびデヒドロキシフェンギシン型環状リポペプチドと、バチルス・リケニフォルミス  ＲＴＩ１８４単離物によって産生された新しく同定されたフェンギシン型およびデヒドロキシフェンギシン型分子（太字で示される）と、の両方を示す概略図である。以前に報告されたフェンギシン型およびデヒドロキシフェンギシン型リポペプチドと、ＲＴＩ１８４株によって産生された新しく同定された代謝物と、の概要を表６および７に示す。最初の新しいクラスでは、ＲＴＩ１８４株が、環状ペプチド鎖の８位のＬ−イソロイシン（図７のＸ３）がＬ−メチオニンに置換されているこれらの化合物の未同定誘導体を産生することが確認された。この新しいクラスのフェンギシンおよびデヒドロキシフェンギシンは、本明細書中でＭＡ、ＭＢおよびＭＣと称され、クラスＡ、ＢおよびＣの誘導体を指し、図７におけるＸ３でのＬ−イソロイシンは、Ｌ−メチオニンに置換されている。新たに同定された分子は、図７および表４において太字で示されている。さらに、バチルス・リケニフォルミス菌株ＲＴＩ１８４によって産生された、他のこれまでに同定されていないこれらの分子のクラスが同定され、フェンギシンＭＢおよびデヒドロキシフェンギシンＭＢのチロシン（Ｔｙｒ）（図７においてＸ４の位置）がα−アミノ酸、シトルリンに置換されている。この新しいクラスのフェンギシンおよびデヒドロキシフェンギシンは、本明細書ではフェンギシンＭＢ−ＣｉｔおよびデヒドロキシフェンギシンＭＢ−Ｃｉｔと称され、図７および表６において太字で示されている。バチルス・リケニフォルミス株ＲＴＩ１８４は、以前に同定されていない追加のクラスのフェンギシンおよびデヒドロキシフェンギシンを産生することがさらに確認された。このクラスでは、フェンギシンＢおよびデヒドロキシフェンギシンＢのＬ−イソロイシン（図７においてＸ３の位置）が、Ｌ−ホモシステイン（Ｈｃｙ）に置換されている。これらの以前に同定されていないフェンギシンおよびデヒドロキシフェンギシン代謝産物は、本明細書中では、フェンギシンＨおよびデヒドロキシフェンギシンＨと呼ばれ、図７および表６において太字で示されている。バチルス・リケニフォルミス菌株ＲＴＩ１８４は、以前に同定されていない追加のクラスのデヒドロキシフェンギシンを産生することがさらに確認された。このクラスでは、図７における位置Ｘ１が、Ｌ−イソロイシンに置換されている。この以前に同定されていないデヒドロキシフェンギシン代謝産物は、本明細書においてデヒドロキシフェンギシンＩと呼ばれ、図７および表６において太字で示されている。
【００３１】
ＲＴＩ１８４株によって生成された新規なクラスの環状リポペプチドの発見に加えて、実施例７に記載されたさらなる実験により、これらの新しいタイプのフェンギシンおよびデヒドロキシフェンギシン代謝物の合成は、バチルス・リケニフォルミス種に固有ではなく株依存的であることが明らかとなった。これらの実験のために、環状リポペプチドの合成を、１０種のバチルス・リケニフォルミス株間で比較した。この分析のために選択された１０の細菌株は、それらの高度に保存された１６Ｓ  ｒＲＮＡおよびｒｐｏＢ遺伝子配列の配列比較に基づいて、バチルス・リケニフォルミス株であると同定された。各株のゲノムＤＮＡを単離し、ＢＯＸ−ＰＣＲパターンにより比較し、その株について得られたＢＯＸ−ＰＣＲパターンを示すゲルの画像が図８に示される。具体的には、図８は、バチルス・リケニフォルミス株ＣＨ２００、ＲＴＩ１２４２、ＲＴＩ１２４９、ＲＴＩ１８４、ＲＴＩ１２４３、ＲＴＩ１１１２、ＦＣＣ１５９８、ＲＴＩ２３９、ＲＴＩ２４１およびＲＴＩ２５３のゲノムＤＮＡに対するＢＯＸ−ＰＣＲフィンガープリンティングパターンのアガロースゲル電気泳動を示す。それらのＢＯＸ−ＰＣＲパターンに基づいて、１０株は、３つの主要なグループ、グループ１、グループ２Ａ−２Ｂ（図８において、グループ２Ａおよび２Ｂはゲル上の位置を表す）およびグループ１および２に属さない株を含むグループ３に分けらた。
【００３２】
１０種のバチルス・リケニフォルミス株のそれぞれによって産生されたフェンギシン型およびデヒドロキシフェンギシン型の代謝産物のタイプを決定するために、株をＵＨＰＬＣ−ＴＯＦ  ＭＳを用いて分析した。さらに、バチルス・リケニフォルミスに特徴的なリケニシン型代謝産物も、内部対照として分析した。ＵＨＰＬＣ−ＴＯＦ  ＭＳ分析の結果を実施例７の表７に要約する。１０種のバチルス・リケニフォルミス菌株のそれぞれの培養上清中のリケニシンおよびフェンギシン型およびデヒドロキシフェンギシン型の分子、それらの脂質修飾（脂肪酸（ＦＡ）鎖長）、予測分子量ならびにそれらの存在または不存在を、表７に示す。データは、リケニシン型代謝産物が１０株すべてによって合成され、バチルス・リケニフォルミス株であることを確認したことを示している。一方、フェンギシン型およびデヒドロキシフェンギシン型代謝産物の産生に関して、１０種の株の間には大きな差異が観察された。同じＢＯＸ−ＰＣＲパターンを有する株ＲＴＩ１８４およびＲＴＩ１１１２（グループ２）は、デヒドロキシフェンギシンＡ／Ｂ／Ｃ／Ｄ／Ｉ／Ｓ、デヒドロキシフェンギシンＨ／ＭＡ／ＭＢ／ＭＣ、デヒドロキシフェンギシンＭＢ−Ｃｉｔ、フェンギシンＨ／ＭＡ／ＭＢ／ＭＣおよびフェンギシンＭＢ−Ｃｉｔを含む、同じタイプのフェンギシン型およびデヒドロキシフェンギシン型代謝産物を産生し、フェンギシンＡ／Ｂ／Ｃ／Ｄ／Ｉ／Ｓ型代謝産物を産生しないことが見出された。一方、グループ２にも属するＦＣＣ１５９８株は、フェンギシンＡ／Ｂ／Ｃ／Ｄ／Ｉ／Ｓ型代謝産物を産生したが、フェンギシンＨ／ＭＡ／ＭＢ／ＭＣ型代謝産物を産生しなかった。驚くべきことに、グループ２にも属する株ＲＴＩ１２４３は、フェンギシン型およびデヒドロキシフェンギシン型代謝産物のいずれも産生しなかった。最後に、グループ１に属する２つの株（ＲＴＩ１２４２およびＲＴＩ１２４９）およびグループ３に属する２つの株（ＲＴＩ１２４１およびＲＴＩ１２５３）は、フェンギシン型およびデヒドロキシフェンギシン型代謝産物のいずれも産生しなかったのに対して、グループ１およびグループ３に属するＣＨ２００およびＲＴＩ１２３９はそれぞれ、フェンギシン型およびデヒドロキシフェンギシン型代謝産物のすべてを産生した。これらの結果に基づいて、新たに同定されたシトルリン含有代謝産物を含む、異なるタイプのフェンギシン型およびデヒドロキシフェンギシン型代謝物の合成は、バチルス・リケニフォルミス種に固有のものではなく、株依存性であると結論付けられた。例えば、密接に関連するバチルス・リケニフォルミスのグループ２の株でも、異なるフェンギシン型およびデヒドロキシフェンギシン型の分子が産生し、グループ２の株に密接に関連する株は、フェンギシン型またはデヒドロキシフェンギシン型代謝産物を全く産生しなかった。
【００３３】
点滴灌漑により土壌にＲＴＩ１８４胞子を添加した場合のスカッシュ、ブロッコリー、カブおよびイチゴの収量への陽性の影響を実施例８において記載する。これらの野外試験実験では、植え付け時および再度２週間後に、１．５×１０１１、２．５×１０１２または２．５×１０１３ＣＦＵ／ヘクタールのバチルス・リケニフォルミス  ＲＴＩ１８４胞子を適用するために、点滴灌漑を用いた。潅水にバチルス・リケニフォルミス胞子が含まれていない対照スカッシュ植物と比較して、ＲＴＩ１８４胞子を添加すると、全ての濃度で、トータルおよび市場性のあるスカッシュの両方で収量が増加した。具体的には、未処理の対照植物では２２ｋｇの総スカッシュ中市場性のあるが１７ｋｇであるのに比べて、ＲＴＩ１８４処理植物（適用割合２．５×１０１２ＣＦＵ／ヘクタール）では、３３ｋｇの総スカッシュ中市場性のあるが２６ｋｇであった。総スカッシュの重量が５０％増加し、市場性のあるのスカッシュの重量が５３％増加した。対照植物に対する、ＲＴＩ１８４で処理した植物の総スカッシュ重量および市場性のあるのスカッシュ重量の両方の実質的な増加は、ＲＴＩ１８４胞子での処理によってもたらされる陽性増殖効果を示す。
【００３４】
潅水にバチルス・リケニフォルミス  ＲＴＩ１８４胞子が含まれていない対照ブロッコリー植物と比較して、ＲＴＩ１８４胞子の添加は、３ｋｇ（対照）から４ｋｇ（２．５×１０１３ＣＦＵ／ヘクタールのＲＴＩ１８４）、３．９ｋｇ（２．５×１０１２ＣＦＵ／ヘクタールのＲＴＩ１８４）および４．６ｋｇ（１．５×１０１１ＣＦＵ／ヘクタールのＲＴＩ１８４）のブロッコリー生重量収量の一貫した増加またはそれぞれ３３％、３０％および５３％の重量増加をもたらした。対照植物に対する、ＲＴＩ１８４で処理された植物の生重量の実質的な増加は、ＲＴＩ１８４胞子による処理によってもたらされる陽性増殖効果を示す。
【００３５】
潅水にバチルス・リケニフォルミス  ＲＴＩ１８４胞子が含まれていない対照カブ植物と比較して、すべての濃度でのＲＴＩ１８４胞子の添加は、３ｋｇｓ（対照）から約５．３ｋｇへのカブ塊茎重量収量の一貫した増加（６０％増）をもたらした。対照植物に対する、ＲＴＩ１８４で処理された植物の塊茎重量の実質的な増加は、ＲＴＩ１８４胞子による処理によってもたらされる陽性増殖効果を示す。
【００３６】
潅水にバチルス・リケニフォルミス  ＲＴＩ１８４胞子が含まれていない対照イチゴ植物と比較して、ＲＴＩ１８４胞子の添加は、５％（１．５×１０１１ＣＦＵ／ヘクタールのＲＴＩ１８４）、８％（２．５×１０１２ＣＦＵ／ヘクタールのＲＴＩ１８４）および１１％（２．５×１０１３ＣＦＵ／ヘクタールのＲＴＩ１８４）の５％の総イチゴ収量の増加をもたらした。対照植物に対する、ＲＴＩ１８４で処理された植物の収量の増加は、ＲＴＩ１８４胞子による処理によってもたらされる陽性増殖効果を示す。
【００３７】
レタス植物を、植え付け時および２週間後に再度、１２．５×１０１２ＣＦＵ／ヘクタールのバチルス・リケニフォルミス  ＲＴＩ１８４胞子で点滴灌注する同様の野外試験を行った。潅水にバチルス・リケニフォルミス  ＲＴＩ１８４胞子が含まれない対照植物と比較して、ＲＴＩ１８４胞子の添加は、４５．６ｋｇｓ（対照）から５２．８ｋｇｓへのレタス重量収量の一貫した増加（１６％増）をもたらした。対照植物に対する、ＲＴＩ１８４で処理された植物の重量増加は、ＲＴＩ１８４胞子による処理によってもたらされる陽性増殖効果を示す。
【００３８】
実施例９は、線虫感染土壌で栽培したジャガイモ植物のＲＴＩ１８４胞子処理によりもたらされる陽性増殖効果を記載する。未処理対照植物と比較した、ＲＴＩ１８４胞子で処理した植物の増加したサイズを示す画像を、図８（ｂ）および図８（ａ）に示す。対照植物に対する、ＲＴＩ１８４で処理した植物のサイズの増加は、ＲＴＩ１８４胞子での処理によってもたらされる陽性増殖効果を示す。
【００３９】
本発明の実施形態では、植物成長促進活性を有し、ＡＴＣＣ受託番号ＰＴＡ−１２１７２２を有するＲＴＩ１８４と命名されたバチルス・リケニフォルミスの新規株を含む組成物および方法が提供される。現在開示されている主題の組成物および方法は、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に適用された場合に、植物成長の利益を与えるのに有用である。本発明のバチルス・リケニフォルミス  ＲＴＩ１８４株を含有する組成物は、窒素含有肥料および可溶性鉱物の必要性を低下させ、植物栄養素の有効性を高め、植物病原体と競合し、その結果、植物全体の健康を高め、化学的殺真菌剤および農薬の必要性を減少させるのに有用である。バチルス・リケニフォルミス  ＲＴＩ１８４株を含有する組成物は、例えば、殺虫剤、除草剤、殺真菌剤（ｆｕｎｇｉｃｉｄｅ）、殺線虫剤、殺細菌剤（ｂａｃｔｅｒｉｏｃｉｄｅ）、植物成長調節剤および肥料を含む１または２以上の化学剤と組み合わせて使用されることができる。
【００４０】
根圏および内寄生の有益な植物関連細菌は、宿主植物に、耐病性および害虫耐性および寒冷、塩分および干ばつストレスなどの環境ストレスに対する耐性を含む、多数の利益をもたらすことが知られている。接種された植物成長促進細菌を有する植物は、例えば、より良好に発達した根系によって、土壌からより多くの水および栄養を摂取するため、植物はより健康に成長し、生物的および非生物的ストレスの影響を受けにくい。このように、本発明の微生物組成物は、単独で、または作物生産性を最大にするように、化学肥料、除草剤および農薬などの現在の作物管理インプットと組み合わせて、適用され得る。植物の成長促進効果は、植物の成長を早くし、地上部のバイオマスを増加させ、初期の活力を向上させるために適用され得る特性である。初期の活力の改善の利点の一つは、植物がより競争力があり、雑草と競合せず、労働力および除草剤の適用を最小限に抑えることによって、雑草管理のコストを直接削減することである。植物の成長促進効果はまた、水および栄養分の摂取に関与する微細根毛を有するより深くより広い根を含む、根の発達の改善につながる。この特性は、農業資源のより良い利用と、灌漑需要および／または肥料適用に使用される水の削減を可能にする。根の発達および根の構造の変化は、窒素固定およびリン酸可溶化を含む、植物の栄養摂取を助ける有益な真菌および細菌を含む、他の土壌保有微生物との植物の相互作用に影響を及ぼす。これらの有益な微生物はまた、植物の病原体に対して競合し、植物の全体的な健康を増進し、化学的殺真菌剤および農薬の必要性を減少させる。
【００４１】
本発明の１つの実施形態では、植物の成長に利益をもたらす量で、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む、植物成長に利益を与えるための組成物が提供される。バチルス・リケニフォルミス  ＲＴＩ１８４は、胞子の形態または栄養細胞の形態であり得る。組成物は、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に適用された場合に、植物成長の利益を与える。
【００４２】
用語「バチルス・リケニフォルミス  ＲＴＩ１８４の生物学的に純粋な培養物」は、細菌株の生物学的に純粋な発酵培養物の胞子、細菌株の生物学的に純粋な発酵培養物の栄養細胞、細菌株の生物学的に純粋な発酵培養物の１または２以上の生成物、細菌株の生物学的に純粋な発酵培養物の固体成分、細菌株の生物学的に純粋な発酵培養物の培養上清、細菌株の生物学的に純粋な発酵培養物の抽出物および細菌株の生物学的に純粋な発酵培養物の１または２以上の代謝産物の１または組合せを指す。
【００４３】
植物成長の利益は、改善された苗木の活力、改善された根の発達、改善された植物の成長、改善された植物の健康、増加した収量もしくは改善された外観の１つまたは組み合わせによって示され得る。
【００４４】
本発明の組成物および方法は、広い範囲の植物に利益を与え、それには、限定されることなく、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンが含まれる。
【００４５】
１または２以上の実施形態において、植物は、大豆、小麦、綿、コーン、トマト、スカッシュ、キュウリ、草、芝草、観賞植物、紫陽花またはポインセチアを含むことができる。
【００４６】
組成物は、液体、油分散体、粉剤、乾燥水和性粉末剤、展延性顆粒剤または乾燥水和性顆粒剤の形態であり得る。組成物は、液体または油分散体の形態であり得、バチルス・リケニフォルミス  ＲＴＩ１８４は、約１．０ｘ１０９ＣＦＵ／ｍｌから約１．０×１０１２ＣＦＵ／ｍｌの濃度で存在し得る。組成物は、粉剤、乾燥水和性粉末剤、展延性顆粒剤または乾燥水和性顆粒剤の形態であってよく、バチルス・リケニフォルミス  ＲＴＩ１８４は、約１．０×１０９ＣＦＵ／ｇから約１．０×１０１２ＣＦＵ／ｇの量で存在し得る。組成物は、油分散体の形態であり得、バチルス・リケニフォルミス  ＲＴＩ１８４は、約１．０×１０９ＣＦＵ／ｍｌから約１．０×１０１２ＣＦＵ／ｍｌの濃度で存在し得る。植物成長に利益をもたらすのに適したバチルス・リケニフォルミス  ＲＴＩ１８４の量は、約１．０×１０８ＣＦＵ／ｈａから約１．０×１０１３ＣＦＵ／ｈａの範囲であり得る。
【００４７】
バチルス・リケニフォルミス  ＲＴＩ１８４の生物学的に純粋な培養物を含む、植物成長に利益を与える組成物は、植え付け用基盤（ｐｌａｎｔｉｎｇ  ｍａｔｒｉｘ）の形態であり得る。植え付け用基盤（ｐｌａｎｔｉｎｇ  ｍａｔｒｉｘ）は、鉢植え用の土の形態であり得る。
【００４８】
組成物は、植物成長の利益を与えるおよび／または感受性植物における病原体感染に対する保護を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含み得る。殺虫剤は、ビフェントリンを含むことができる。殺線虫剤には、カドサフォスを含むことができる。 殺虫剤はビフェントリンおよびクロチアニジンを含むことができる。組成物は液体として製剤化することができ、殺虫剤はビフェントリンまたはゼータ−シペルメトリンを含むことができる。
【００４９】
本発明の一実施形態では、植物の成長に有益な量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物の胞子を含む組成物で被覆された植物種子が提供される。被覆された植物種子は、約１．０×１０２ＣＦＵ／種子から約１．０×１０９ＣＦＵ／種子の範囲の量のバチルス・リケニフォルミス胞子を含むことができる。
【００５０】
植物種子には、限定されることなく、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、人参、カブ、サトウキビ、サトウキビ、草または芝草が含まれ得る。
【００５１】
被覆された種子は、植物成長の利益を与えるのに適した量で存在する殺虫剤、殺真菌剤（ｆｕｎｇｉｃｉｄｅ）、殺線虫剤、殺細菌剤（ｂａｃｔｅｒｉｏｃｉｄｅ）、植物成長調節剤または肥料の１つまたは組合せをさらに含むことができる。殺虫剤は、ビフェントリンを含むことができる。殺線虫剤は、カドサフォスを含むことができる。殺虫剤は、ビフェントリンおよびクロチアニジンを含むことができる。
【００５２】
本発明の１つの実施形態では、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物、および殺虫剤、除草剤、殺真菌剤（ｆｕｎｇｉｃｉｄｅ）、殺線虫剤、殺細菌剤（ｂａｃｔｅｒｉｏｃｉｄｅ）、植物成長調節剤または肥料を含む１または２以上の化学活性剤を含む、植物の成長に利益を与えるための組成物が提供される。
【００５３】
組成物は、液体、油分散体、粉剤、乾燥水和性粉末剤、展延性顆粒剤または乾燥水和性顆粒剤の形態であり得る。バチルス・リケニフォルミス  ＲＴＩ１８４は、胞子の形態または栄養細胞の形態であり得る。組成物は、液体または油の分散液の形態であり得、バチルス・リケニフォルミス  ＲＴＩ１８４は、約１．０×１０９ＣＦＵ／ｍｌから約１．０×１０１２ＣＦＵ／ｍｌの濃度で存在し得る。組成物は、粉剤、乾燥水和性粉末剤、展延性顆粒剤または乾燥水和性顆粒剤の形態であってもよく、バチルス・リケニフォルミス  ＲＴＩ１８４は、約１．０×１０９ＣＦＵ／ｇから約１．０×１０１２ＣＦＵ／ｇの量で存在し得る。
【００５４】
殺虫剤は、ビフェントリンを含むことができる。殺線虫剤は、カドサフォスを含むことができる。殺虫剤は、ビフェントリンおよびクロチアニジンを含むことができる。組成物は液体として製剤化することができ、殺虫剤はビフェントリンまたはゼータ−シペルメトリンを含むことができる。
【００５５】
殺虫剤はビフェントリンであってもよく、組成物製剤は、水和ケイ酸アルミニウム−マグネシウムと、スクロースエステル、リグノスルホネート、アルキルポリグリコシド、ナフタレンスルホン酸ホルムアルデヒド縮合物およびリン酸エステルからなる群から選択される少なくとも１種の分散剤と、をさらに含むことができる。ビフェントリン殺虫剤は、０．１ｇ／ｍｌから０．２ｇ／ｍｌの範囲の濃度で存在することができる。ビフェントリン殺虫剤は、約０．１７１５ｇ／ｍｌの濃度で存在することができる。ビフェントリン殺虫剤の適用割合は、ヘクタール（ｇ  ａｉ／ｈａ）あたり約０．１グラムから約１０００ｇ  ａｉ／ｈａの範囲、より好ましくは約１ｇ  ａｉ／ｈａから約１００ｇ  ａｉ／ｈａの範囲であり得る。
【００５６】
さらに、１または２以上の実施形態では、本発明の組成物および方法の適切な殺虫剤、除草剤、殺真菌剤（ｆｕｎｇｉｃｉｄｅ）および殺線虫剤は、以下を含むことができる。
【００５７】
殺虫剤：Ａ０）アグリガタ（agrigata）、アル−ホスフィド、アンブリセイウス、アフェリヌス（apherinus）、アフィディウス、アフィドレテス、アルテミシニン、オートグラファ・カリフォルニカＮＰＶ、アゾシクロチン、バチルス・サブチリス（bacillus subtilis）、バチルス・チューリンゲンシス・アイザワイ（bacillus-thur. aizawai）、バチルス・チューリンゲンシス・クルスタキー（bacillus thur. kurstaki）、バチルス・チューリンゲンシス（bacillus thuringiensis）、ボーベリア（beauveria）、ボーベリア・バシアーナ（beauveria bassiana）、ベータシフルトリン、生物学的製剤、ビスルタップ、ブロフルトリネート、ブロモホス−ｅ、ブロモプロピレート、Ｂｔ遺伝子組換トウモロコシ、Ｂｔ遺伝子組換大豆、カプサイシン、カルタップ、セラストラス（celastrus）抽出物、クロルアントラニリプロール、クロルベンズロン、クロルエトキシフォス、クロルフルアズロン、クロルピリホス−ｅ、シニジアジン（cnidiadin）、クリオライト、シアノホス、シアントラニリプロール、シハロトリン、シヘキサチン、シペルメトリン、ダクヌサ、ＤＣＩＰ、ジクロロプロペン、ジコホル、ジグリファス、ジグリファス＋ダクヌサ、ジメタカルブ、ジチオエーテル、酢酸ドデシル、エマメクチン、エンカルシア（encarsia）、ＥＰＮ、エレツモセルス（eretmocerus）、エチレン−ジブロミド、ユーカリプトール、脂肪酸、脂肪酸／塩、フェナザキン、フェノブカルブ（ＢＰＭＣ）、フェンピロキシメート、フルブロシトリネート（ｆｌｕｂｒｏｃｙｔｈｒｉｎａｔｅ）、フルフェンジン、ホルメタネート、ホルモチオン、フラチオカルブ、ガンマ−シハロトリン、ニンニクジュース、グラニュロシス−ウイルス、ハルモニア（harmonia）、オオタバコガ（heliothis armigera）ＮＰＶ、不活性細菌、インドール−３−イル酪酸、ヨードメタン、鉄、イソカルボホス（ｉｓｏｃａｒｂｏｆｏｓ）、イソフェンホス、イソフェンホス−ｍ、イソプロカルブ、イソチオエート（ｉｓｏｔｈｉｏａｔｅ）、カオリン、リンダン、リウヤンマイシン（ｌｉｕｙａｎｇｍｙｃｉｎ）、マトリン、メホスホラン、メタアルデヒド、メタリジウム−アニソプリエ、メタミドホス、メトルカルブ（ＭＴＭＣ）、鉱物油、マイレックス、ｍ−イソチオシアネート、モノスルタップ、ミロテシウム・ベルカリア（myrothecium verrucaria）、ナレド、ハモグリミドリヒメコバチ（neochrysocharis formos）、ニコチン、ニコチノイド、油脂、オレイン酸、オメトエート、オリウス（ｏｒｉｕｓ）、オキシマトリン、ペシロマイセス、パラフィン油、パラチオン−ｅ、パスツリア、石油、フェロモン、リン酸、フォトラブダス、フォキシム、フィトセイウルス（phytoseiulus）、ピリミホス−ｅ、植物油、プルテラ・キシロステラ（plutella xylostella）ＧＶ、多角体病（polyhedrosis）ウイルス、ポリフェノール抽出物、オレイン酸カリウム、プロフェノホス、プロスレル（prosuler）、プロチオホス、ピラクロホス、ピレトリン、ピリダフェンチオン、ピリミジフェン、ピリプロキシフェン、キラヤ（quillay）抽出物、キノメチオネート、菜種油、ロテノン、サポニン、サポノジット（saponozit）、ナトリウム化合物、フルオロケイ酸ナトリウム、スターチ、ステイネルネマ（steinernema）、ストレプトマイセス、スルフルラミド、硫黄、テブ��リムホス、テフルトリン、テメホス、テトラジホン、チオファノックス、チオメトン、トランスジェニクス（例えば、Ｃｒｙ３Ｂｂ１）、トリアザメート、トリコデルマ、トリコグランマ、トリフルムロン、ベルチシリウム、ベルトリン、殺虫剤の異性体（例えば、カッパ−ビフェントリン、カッパ−テフルトリン）、ジクロロメゾチアズ、ブロフラニリド、ピラジフルミドを含む様々な殺虫剤；Ａ１）アルジカルブ、アラニカルブ、ベンフラカルブ、カルバリル、カルボフラン、カルボスルファン、メチオカルブ、メソミル、オキサミル、ピリミカルブ、プロポクスル及びチオジカルブを含むカルバメート類；Ａ２）アセフェート、アジンホス−エチル、アジンホス−メチル、クロルフェンビンホス、クロルピリホス、クロルピリホス−メチル、デメトン−Ｓ−メチル、ジアジノン、ジクロルボス／ＤＤＶＰ、ジクロトホス、ジメトエート、ジスルホトン、エチオン、フェニトロチオン、フェンチオン、イソキサチオン、マラチオン、メタミダホス、メチダチオン、メビンホス、モノクロトホス、オキシメトエート、オキシデメトン−メチル、パラチオン、パラチオン−メチル、フェントエート、ホレート、ホサロン、ホスメット、ホスファミドン、ピリミホス−メチル、キナルホス、テルブホス、テトラクロルビンホス、トリアゾホス及びトリクロルホンを含むオルガノホスフェート類；Ａ３）エンドスルファン等のシクロジエンオルガノクロリド化合物類；Ａ４）エチプロール、フィプロニル、ピラフルプロール及びピリプロールを含むフィプロール類；Ａ５）アセタミプリド、クロチアニジン、ジノテフラン、イミダクロプリド、ニテンピラム、チアクロプリド及びチアメトキサムを含むネオニコチノイド類；Ａ６）スピノサド及びスピネトラム等のスピノシン類；Ａ７）アバメクチン、エマメクチンベンゾエート、イベルメクチン、レピメクチン及びミルベメクチンを含むメクチン類由来のクロリドチャネルアクチベーター；Ａ８）ヒドロプレン、キノプレン、メトプレン、フェノキシカルブ及びピリプロキシフェン等の若年性ホルモン模倣物；Ａ９）ピメトロジン、フロニカミド及びピリフルキナゾン等の選択的同翅型摂食ブロッカー；Ａ１０）クロフェンテジン、ヘキシチアゾクス及びエトキサゾール等のダニ成長阻害剤；Ａ１１）ジアフェンチウロン、フェンブタチン酸化物及びプロパルギット等のミトコンドリアＡＴＰシンターゼ阻害剤；クロルフェナピル等の酸化的リン酸化の脱共役剤；Ａ１２）ベンスルタップ、カルタップヒドロクロリド、チオシクラム及びチオスルタップナトリウム等のニコチン性アセチルコリン受容体チャネルブロッカー；Ａ１３）ビストリフルロン、ジフルベンズロン、フルフェノクスロン、ヘキサフルムロン、ルフェヌロン、ノバルロン及びテフルベンズロンを含むベンゾイル尿素類由来のキチン生合成のタイプ０の阻害剤；Ａ１４）ブプロフェジン等のキチン生合成のタイプ１の阻害剤；Ａ１５）シロマジン等の脱皮攪乱剤；Ａ１６）メトキシフェノジド、テブフェノジド、ハロフェノジド及びクロマフェノジド等のエクジソン受容体アゴニスト；Ａ１７）アミトラズ等のオクトパミン受容体アゴニスト；Ａ１８）ミトコンドリア複合体電子輸送阻害剤であるピリダベン、テブフ��ンピラド、トルフェンピラド、フルフェネリム、シエノピラフェン、シフルメトフェン、ヒドラメチルノン、アセキノシル又はフルアクリピリム；Ａ１９）インドキサカルブ及びメタフルミゾン等の電圧依存性ナトリウムチャネルブロッカー；Ａ２０）スピロジクロフェン、スピロメシフェン及びスピロテトラマット等の脂質合成阻害剤；Ａ２１）フルベンジアミド、フタルアミド化合物（Ｒ）−３−クロル−Ｎ１−｛２−メチル−４−［１，２，２，２−テトラフルオロ−１−（トリフルオロメチル）エチル］フェニル｝−Ｎ２−（１−メチル−２−メチルスルホニルエチル）フタルアミド及び（Ｓ）−３−クロル−Ｎ１−｛２−メチル−４−［１，２，２，２−テトラフルオロ−１−（トリフルオロメチル）エチル］フェニル｝−Ｎ２−（１−メチル−２−メチルスルホニルエチル）フタルアミド、クロラントラニリプロール及びシアントラニリプロールを含むジアミド類由来のリアノジン受容体モジュレーター；Ａ２２）アザジラクチン、アミドフルメト、ビフェナゼート、フルエンスルホン、ピペロニルブトキシド、ピリダリル、スルホキサフロル等の作用機序の不明又は不確かな化合物；又は、Ａ２３）アクリナトリン、アレスリン、ビフェントリン、シフルトリン、ラムダ−シハロトリン、シペルメトリン、アルファ−シペルメトリン、ベータ−シペルメトリン、ゼータ−シペルメトリン、デルタメトリン、エスフェンバレレート、エトフェンプロックス、フェンプロパトリン、フェンバレレート、フルシトリネート、タウ−フルバリネート、ペルメトリン、シラフルオフェン及びトラロメトリンを含むピレスロイド類由来のナトリウムチャネルモジュレーター。
【００５８】
殺真菌剤：Ｂ０）ベンゾビンジフルピル、アンチペロノスポリック（ａｎｉｔｉｐｅｒｏｎｏｓｐｏｒｉｃ）、アメトクトラジン、アミスルブロム、銅塩（例えば、水酸化銅、酸塩化銅、硫酸銅、過硫酸銅）、ボスカリド、チフルザミド（ｔｈｉｆｌｕｍａｚｉｄｅ）、フルチアニル、フララキシル、チアベンダゾール、ベノダニル、メプロニル、イソフェタミド、フェンフラム、ビキサフェン（ｂｉｘａｆｅｎ）、フルキサピロキサド、ペンフルフェン、セダキサン、クモキシストロビン、エノキサストロビン、フルフェノキシストロビン、ピラオキシストロビン、ピラメトストロビン、トリクロピリカルブ（ｔｒｉｃｌｏｐｙｒｉｃａｒｂ）、フェナミンストロビン、メトミノストロビン、ピリベンカルブ、メプチルジノカップ（ｍｅｐｔｙｌｄｉｎｏｃａｐ）、酢酸フェンチン、塩化フェンチン、水酸化フェンチン、オキシテトラシクリン、クロゾリネート（ｃｈｌｏｚｏｌｉｎａｔｅ）、クロロネブ、テクナゼン、エトリジアゾール、ヨードカルブ、プロチオカルブ、バチルス・サブチリス・シノニム、バチルス・アミロリクエファシエンス（例えば、ＱＳＴ  ７１３、ＦＺＢ２４、ＭＢＩ６００、Ｄ７４７株）、メラレウカ・アルテルニフォリア（Melaleuca alternifolia）抽出液、ピリソキサゾール（ｐｙｒｉｓｏｘａｚｏｌｅ）、オキスポコナゾール、エタコナゾール（ｅｔａｃｏｎａｚｏｌｅ）、フェンピラザミン、ナフチフィン、テルビナフィン、バリダマイシン、ピリモルフ、バリフェナレート、フタリド、プロベナゾール、イソチアニル、ラミナリン、レイノウトリア・サチャリネンシス（Reynoutria sachalinensis）抽出物、亜リン酸及び塩、テクロフタラム（ｔｅｃｌｏｆｔｈａｌａｍ）、トリアゾキシド（ｔｒｉａｚｏｘｉｄｅ）、ピリオフェノン、有機油、炭酸水素カリウム、クロロタロニル、フルオロイミド；Ｂ１）ビテルタノール、ブロムコナゾール、シプロコナゾール、ジフェノコナゾール、ジニコナゾール、エニルコナゾール、エポキシコナゾール、フルキンコナゾール、フェンブコナゾール、フルシラゾール、フルトリアホール、ヘキサコナゾール、イミベンコナゾール、イプコナゾール、メトコナゾール、ミクロブタニル、ペンコナゾール、プロピコナゾール、プロチオコナゾール、シメコナゾール、トリアジメホン、トリアジメノール、テブコナゾール、テトラコナゾール、トリチコナゾール、プロクロラズ、ペフラゾエート、イマザリル、トリフルミゾール、シアゾファミド、ベノミル、カルベンダジム、チアベンダゾール、フベリダゾール、エタボキサム、エトリジアゾール、ヒメキサゾール、アザコナゾール、ジニコナゾール−Ｍ、オキスポコナゾール、パクロブトラゾール、ウニコナゾール、１−（４−クロロフェニル）−２−（［１，２，４］トリアゾール−１−イル）−シクロヘプタノール及びイマザリルスルフェートを含むアゾール；Ｂ２）アゾキシストロビン、ジモキシストロビン、エネストロブリン、フルオキサストロビン、クレソキシム−メチル、メトミノストロビン、オリサストロビン、ピコキシストロビン、ピラクロストロビン、トリフロキシストロビン、エネストロブリン、メチル（２−クロロ−５−［１−（３−メチルベンジルオキシイミノ）エチル］ベンジル）カルバメート、メチル（２−クロロ−５−［１−（６−メチルピリジン−２−イルメトキシイミノ）エチル］ベンジル）カルバメート、メチル２−（オルト−（２，５−ジメチルフェニルオキシメチレン）−フェニル）−３−メトキシアクリレート、２−（２−（６−（３−クロロ−２−メチル−フェノキシ）−５−フルオロ−ピリミジン−４−イルオキシ）−フェニル）−２−メトキシイミノ−Ｎ−メチル−アセトアミド及び３−メトキシ−２−（２−（Ｎ−（４−メトキシ−フェニル）−シクロプロパンカルボキシイミドイルスルファニルメチル）−フェニル）−アクリル酸メチルエステルを含むストロビルリン；Ｂ３）カルボキシン、ベナラキシル、ベナラキシル−Ｍ、フェンヘキサミド、フルトラニル、フラメトピル、メプロニル、メタラキシル、メフェノキサム、オフレース、オキサジキシル、オキシカルボキシン、ペンチオピラド、イソピラザム、チフルザミド、チアジニル、３，４−ジクロロ−Ｎ−（２−シアノフェニル）イソチアゾール−５−カルボキサミド、ジメトモルフ、フルモルフ、フルメトベル、フルオピコリド（ピコベンズアミド）、ゾキサミド、カルプロパミド、ジクロシメット、マンジプロパミド、Ｎ−（２−（４−［３−（４−クロロフェニル）プロパ−２−インイルオキシ］−３−メトキシフェニル）エチル）−２−メタンスルホニル−アミノ−３−メチルブチルアミド、Ｎ−（２−（４−［３−（４−クロロフェニル）プロパ−２−インイルオキシ］−３−メトキシ−フェニル）エチル）−２−エタンスルホニルアミノ−３−メチルブチルアミド、メチル３−（４−クロロフェニル）−３−（２−イソプロポキシカルボニル−アミノ−３−メチル−ブチリルアミノ）プロピオネート、Ｎ−（４’−ブロモビフェニル−２−イル）−４−ジフルオロメチル−メチルチアゾール−δ−カルボキサミド、Ｎ−（４’−トリフルオロメチル−ビフェニル−２−イル）−４−ジフルオロメチル−２−メチルチアゾール−５−カルボキサミド、Ｎ−（４’−クロロ−３’−フルオロビフェニル−２−イル）−４−ジフルオロメチル−２−メチル−チアゾール−５−カルボキサミド、Ｎ−（３，４’−ジクロロ−４−フルオロビフェニル−２−イル）−３−ジフルオロ−メチル−１−メチルピラゾール−４−カルボキサミド、Ｎ−（３’，４’−ジクロロ−５−フルオロビフェニル−２−イル）−３−ジフルオロメチル−１−メチルピラゾール−４−カルボキサミド、Ｎ−（２−シアノ−フェニル）−３，４−ジクロロイソチアゾール−５−カルボキサミド、２−アミノ−４−メチル−チアゾール−５−カルボキシアニリド、２−クロロ−Ｎ−（１，１，３−トリメチル−インダン−４−イル）−ニコチンアミド、Ｎ−（２−（１，３−ジメチルブチル）−フェニル）−１，３−ジメチル−５−フルオロ−１Ｈ−ピラゾール−４−カルボキサミド、Ｎ−（４’−クロロ−３’，５−ジフルオロ−ビフェニル−２−イル）−３−ジフルオロメチル−１−メチル−１Ｈ−ピラゾール−４−カルボキサミド、Ｎ−（４’−クロロ−３’，５−ジフルオロ−ビフェニル−２−イル）−３−トリフルオロメチル−１−メチル−１Ｈ−ピラゾール−４−カルボキサミド、Ｎ−（３’，４’−ジクロロ−５−フルオロ−ビフェニル−２���イル）−３−トリフルオロメチル−１−メチル−１Ｈ−ピラゾール−４−カルボキサミド、Ｎ−（３’，５−ジフルオロ−４’−メチル−ビフェニル−２−イル）−３−ジフルオロメチル−１−メチル−１Ｈ−ピラゾール−４−カルボキサミド、Ｎ−（３’，５−ジフルオロ−４’−メチル−ビフェニル−２−イル）−３−トリフルオロメチル−１−メチル−１Ｈ−ピラゾール−４−カルボキサミド、Ｎ−（シス−２−ビシクロプロピル−２−イル−フェニル）−３−ジフルオロメチル−１−メチル−１Ｈ−ピラゾール−４−カルボキサミド、Ｎ−（トランス−２−ビシクロプロピル−２−イル−フェニル）−３−ジフルオロ−メチル−１−メチル−１Ｈ−ピラゾール−４−カルボキサミド、フルオピラム、Ｎ−（３−エチル−３，５−５−トリメチル−シクロヘキシル）−３−ホルミルアミノ−２−ヒドロキシ−ベンズアミド、オキシテトラサイクリン、シルチオファム、Ｎ−（６−メトキシ−ピリジン−３−イル）シクロプロパンカルボキサミド、２−ヨード−Ｎ−フェニル−ベンズアミド、Ｎ−（２−ビシクロ−プロピル−２−イル−フェニル）−３−ジフルオロメチル−１−メチルピラゾール−４−イルカルボキサミド、Ｎ−（３’，４’，５’−トリフルオロビフェニル−２−イル）−１，３−ジメチルピラゾール−４−イルカルボキサミド、Ｎ−（３’，４’，５’−トリフルオロビフェニル−２−イル）−１，３−ジメチル−５−フルオロピラゾール−４−イルカルボキサミド、Ｎ−（３’，４’，５’−トリフルオロビフェニル−２−イル）−５−クロロ−１，３−ジメチル−ピラゾール−４−イルカルボキサミド、Ｎ−（３’，４’，５’−トリフルオロビフェニル−２−イル）−３−フルオロメチル−１−メチルピラゾール−４−イルカルボキサミド、Ｎ−（３’，４’，５’−トリフルオロビフェニル−２−イル）−３−（クロロフルオロメチル）−１−メチルピラゾール−４−イルカルボキサミド、Ｎ−（３’，４’，５’−トリフルオロビフェニル−２−イル）−３−ジフルオロメチル−１−メチルピラゾール−４−イルカルボキサミド、Ｎ−（３’，４’，５’−トリフルオロビフェニル−２−イル）−３−ジフルオロメチル−５−フルオロ−１−メチルピラゾール−４−イルカルボキサミド、Ｎ−（３’，４’，５’−トリフルオロビフェニル−２−イル）−５−クロロ−３−ジフルオロメチル−１−メチルピラゾール−４−イルカルボキサミド、Ｎ−（３’，４’，５’−トリフルオロビフェニル−２−イル）−３−（クロロジフルオロメチル）−１−メチルピラゾール−４−イルカルボキサミド、Ｎ−（３’，４’，５’−トリフルオロビフェニル−２−イル）−１−メチル−３−トリフルオロメチルピラゾール−４−イルカルボキサミド、Ｎ−（３’，４’，５’−トリフルオロビフェニル−２−イル）−５−フルオロ−１−メチル−３−トリフルオロメチルピラゾール−４−イルカルボキサミド、Ｎ−（３’，４’，５’−トリフルオロビフェニル−２−イル）−５−クロロ−１−メチル−３−トリフルオロメチルピラゾール−４−イルカルボキサミド、Ｎ−（２’，４’，５’−トリフルオロビフェニル−２−イル）−１，３−ジメチルピラゾール−４−イルカルボキサミド、Ｎ−（２’���４’，５’−トリフルオロビフェニル−２−イル）−１，３−ジメチル−５−フルオロピラゾール−４−イルカルボキサミド、Ｎ−（２’，４’，５’−トリフルオロビフェニル−２−イル）−５−クロロ−１，３−ジメチルピラゾール−４−イルカルボキサミド、Ｎ−（２’，４’，５’−トリフルオロビフェニル−２−イル）−３−フルオロメチル−１−メチルピラゾール−４−イルカルボキサミド、Ｎ−（２’，４’，５’−トリフルオロビフェニル−２−イル）−３−（クロロフルオロメチル）−１−メチルピラゾール−４−イルカルボキサミド、Ｎ−（２’，４’，５’−トリフルオロビフェニル−２−イル）−３−ジフルオロメチル−１−メチルピラゾール−４−イルカルボキサミド、Ｎ−（２’，４’，５’−トリフルオロビフェニル−２−イル）−３−ジフルオロメチル−５−フルオロ−１−メチルピラゾール−４−イルカルボキサミド、Ｎ−（２’，４’，５’−トリフルオロビフェニル−２−イル）−５−クロロ−３−ジフルオロメチル−１−メチルピラゾール−４−イルカルボキサミド、
Ｎ−（２’，４’，５’−トリフルオロビフェニル−２−イル）−３−（クロロジフルオロメチル）−１−メチルピラゾール−４−イルカルボキサミド、Ｎ−（２’，４’，５’−トリフルオロビフェニル−２−イル）−１−メチル−３−トリフルオロメチルピラゾール−４−イルカルボキサミド、Ｎ−（２’，４’，５’−トリフルオロビフェニル−２−イル）−５−フルオロ−１−メチル−３−トリフルオロメチルピラゾール−４−イルカルボキサミド、Ｎ−（２’，４’，５’−トリフルオロビフェニル−２−イル）−５−クロロ−１−メチル−３−トリフルオロメチルピラゾール−４−イルカルボキサミド、Ｎ−（３’，４’−ジクロロ−３−フルオロビフェニル−２−イル）−１−メチル−３−トリフルオロメチル−１Ｈ−ピラゾール−４−カルボキサミド、Ｎ−（３’，４’−ジクロロ−３−フルオロビフェニル−２−イル）−１−メチル−３−ジフルオロメチル−１Ｈ−ピラゾール−４−カルボキサミド、Ｎ−（３’，４’−ジフルオロ−３−フルオロビフェニル−２−イル）−１−メチル−３−トリフルオロメチル−１Ｈ−ピラゾール−４−カルボキサミド、Ｎ−（３’，４’−ジフルオロ−３−フルオロビフェニル−２−イル）−１−メチル−Ｓ−ジフルオロメチル−１Ｈ−ピラゾール−４−カルボキサミド、Ｎ−（３’−クロロ−４’−フルオロ−３−フルオロビフェニル−２−イル）−１−メチル−３−ジフルオロメチル−１Ｈ−ピラゾール−４−カルボキサミド、Ｎ−（３’，４’−ジクロロ−４−フルオロビフェニル−２−イル）−１−メチル−３−トリフルオロメチル−１Ｈ−ピラゾール−４−カルボキサミド、Ｎ−（３’，４’−ジフルオロ−４−フルオロビフェニル−２−イル）−１−メチル−Ｓ−トリフルオロメチル−１Ｈ−ピラゾール−４−カルボキサミド、Ｎ−（３’，４’−ジクロロ−４−フルオロビフェニル−２−イル）−１−メチル−３−ジフルオロメチル−１Ｈ−ピラゾール−４−カルボキサミド、Ｎ−（３’，４’−ジフルオロ−４−フルオロビフェニル−２−イル）−１−メチル−３−ジフルオロメチル−１Ｈ−ピラゾール−４−カルボキサミド、Ｎ−（３’−クロロ−４’−フルオロ−４−フルオロビフェニル−２−イル）−１−メチル−Ｓ−ジフルオロメチル−１Ｈ−ピラゾール−４−カルボキサミド、Ｎ−（３’，４’−ジクロロ−５−フルオロビフェニル−２−イル）−１−メチル−３−トリフルオロメチル−１Ｈ−ピラゾール−４−カルボキサミド、Ｎ−（３’，４’−ジフルオロ−５−フルオロビフェニル−２−イル）−１−メチル−３−トリフルオロメチル−１Ｈ−ピラゾール−４−カルボキサミド、Ｎ−（３’，４’−ジクロロ−５−フルオロビフェニル−２−イル）−１−メチル−Ｓ−ジフルオロメチル−１Ｈ−ピラゾール−４−カルボキサミド、Ｎ−（３’，４−ジフルオロ−５−フルオロビフェニル−２−イル）−１−メチル−３−ジフルオロメチル−１Ｈ−ピラゾール−４−カルボキサミド、Ｎ−（３’，４’−ジクロロ−５−フルオロビフェニル−２−イル）−１，３−ジメチル−１Ｈ−ピラゾール−４−カルボキサミド、Ｎ−（３’−クロロ−４’−フルオロ−５−フルオロビフェニル−２−イル）−１−メチル−３−ジフルオロメチル−１Ｈ−ピラゾール−４−カルボキサミド、Ｎ−（４’−フルオロ−４−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１−メチル−３−トリフルオロメチル−１Ｈ−ピラゾール−４−カルボキサミド、Ｎ−（４’−クロロ−５−フルオロビフェニル−２−イル）−１−メチル−３−トリフルオロメチル−１Ｈ−ピラゾール−４−カルボキサミド、Ｎ−（４’−メチル−５−フルオロビフェニル−２−イル）−１−メチル−３−トリフルオロメチル−１Ｈ−ピラゾール−４−カルボキサミド、Ｎ−（４’−フルオロ−５−フルオロビフェニル−２−イル）−１，３−ジメチル−１Ｈ−ピラゾール−４−カルボキサミド、Ｎ−（４’−クロロ−５−フルオロビフェニル−２−イル）−１，３−ジメチル−１Ｈ−ピラゾール−４−カルボキサミド、Ｎ−（４’−メチル−５−フルオロビフェニル−２−イル）−１，３−ジメチル−１Ｈ−ピラゾール−４−カルボキサミド、Ｎ−（４’−フルオロ−６−フルオロビフェニル−２−イル）−１−メチル−３−トリフルオロメチル−１Ｈ−ピラゾール−４−カルボキサミド、Ｎ−（４’−クロロ−６−フルオロビフェニル−２−イル）−１−メチル−３−トリフルオロメチル−１Ｈ−ピラゾール−４−カルボキサミド、Ｎ−［２−（１，１，２，３，３，３−ヘキサフルオロプロポキシ）−フェニル］−３−ジフルオロメチル−１−メチル−１Ｈ−ピラゾール−４−カルボキサミド、Ｎ−［４’−（トリフルオロメチルチオ）−ビフェニル−２−イル］−３−ジフルオロメチル−１−メチル−１Ｈ−ピラゾール−４−カルボキサミド及びＮ−［４’−（トリフルオロメチルチオ）−ビフェニル−２−イル］−１−メチル−３−トリフルオロメチル−ｌ−メチル−１Ｈ−ピラゾール−４−カルボキサミドを含むカルボキサミド；Ｂ４）フルアジナム、ピリフェノックス、ブピリメート、シプロジニル、フェナリモル、フェリムゾン、メパニピリム、ヌアリモル、ピリメタニル、トリフォリン、フェンピクロニル、フルジオキソニル、アルジモルフ、ドデモルフ、フェンプロピモルフ、トリデモルフ、フェンプロピジン、イプロジオン、プロシミドン、ビンクロゾリン、ファモキサドン、フェンアミドン、オクチリノン、プロベン（ｐｒｏｂｅｎ）−アゾール、５−クロロ−７−（４−メチルピペリジン−１−イル）−６−（２，４，６−トリフルオロフェニル）−［１，２，４］トリアゾロ［１，５−ａ］ピリミジン、アニラジン、ジクロメジン、ピロキロン、プロキナジド、トリシクラゾール、２−ブトキシ−６−ヨード−３−プロピルクロメン−４−オン、アシベンゾラル−Ｓ−メチル、カプタホール、キャプタン、ダゾメット、ホルペット、フェノキサニル、キノキシフェン、Ｎ，Ｎ−ジメチル−３−（３−ブロモ−６−フルオロ−２−メチルインドール−１−スルホニル）−［１，２，４］トリアゾール−１−スルホンアミド、５−エチル−６−オクチル−［１，２，４］トリアゾロ［１，５−ａ］ピリミジン−２，７−ジアミン、２，３，５，６−テトラクロロ−４−メタンスルホニル−ピリジン、３，４，５−トリクロロピリジン−２，６−ジ−カルボニトリル、Ｎ−（１−（５−ブロモ−３−クロロ−ピリジン−２−イル）−エチル）−２，４−ジクロロニコチンアミド、Ｎ−（（５−ブロモ−３−クロロピリジン−２−イル）−メチル）−２，４−ジクロロ−ニコチンアミド、ジフルメトリム、ニトラピリン、ドデモルフアセテート、フルオロイミド、ブラストサイジン−Ｓ、キノメチオネート、デバカルブ、ジフェンゾクワット、ジフェンゾクワット−メチルスルフェート、オキソリン酸及びピペラリンを含む複素環式化合物；Ｂ５）マンコゼブ、マネブ、メタム、メタスルホカルブ、メチラム、フェルバム、プロピネブ、チラム、ジネブ、ジラム、ジエトフェンカルブ、イプロバリカルブ、ベンチアバリカルブ、プロパモカルブ、プロパモカルブヒドロクロリド、４−フルオロフェニル−Ｎ−（１−（１−（４−シアノフェニル）−エタンスルホニル）ブト−２−イル）カルバメート、メチル−３−（４−クロロ−フェニル）−３−（２−イソプロキシカルボニルアミノ−３−メチル−ブチリルアミノ）プロパノエートを含むカルバメート；又は、Ｂ６）グアニジン、ドジン、ドジン遊離塩基、イミノクタジン、グアザチン、抗生物質：カスガマイシン、ストレプトマイシン、ポリオキシン、バリダマイシンＡ、ニトロフェニル誘導体：ビナパクリル、ジノカップ、ジノブトン、硫黄含有複素環式化合物：ジチアノン、イソプロチオラン、有機金属化合物：フェンチン塩、有機リン化合物：エジフェンホス、イプロベンホス、ホセチル、ホセチル−アルミニウム、亜リン酸及びその塩、ピラゾホス、トルクロホス−メチル、有機塩素化合物：ジクロフルアニド、フルスルファミド、ヘキサクロロ−ベンゼン、フタリド、ペンシクロン、キントゼン、チオファネート−メチル、トリルフルアニド、その他：シフルフェナミド、シモキサニル、ジメチリモール、エチリモール、フララキシル、メトラフェノン及びスピロキサミン、グアザチン−アセテート、イミノクタジン−トリアセテート、イミノクタジン−トリス（アルベシレート）、カスガマイシンヒドロクロリド水和物、ジクロロフェン、ペンタクロロフェノール及びその塩、Ｎ−（４−クロロ−２−ニトロ−フェニル）−Ｎ−エチル−４−メチル−ベンゼンスルホンアミド、ジクロラン、ニトロタール−イソプロピル、テクナゼン、ビフェニル、ブロノポール、ジフェニルアミン、ミルジオマイシン、オキシン銅、プロヘキサジオンカルシウム、Ｎ−（シクロプロピルメトキシイミノ−（６−ジフルオロメトキシ−２，３−ジフルオロ−フェニル）−メチル）−２−フェニルアセトアミド、Ｎ’−（４−（４−クロロ−３−トリフルオロメチル−フェノキシ）−２，５−ジメチル−フェニル）−Ｎ−エチル−Ｎ−メチルホルムアミジン、Ｎ’−（４−（４−フルオロ−３−トリフルオロメチル−フェノキシ）−２，５−ジメチル−フェニル）−Ｎ−エチル−Ｎ−メチルホルムアミジン、Ｎ’−（２−メチル−５−トリフルオロメチル−４−（３−トリメチルシラニル−プロポキシ）−フェニル）−Ｎ−エチル−Ｎ−メチルホルムアミジン、並びに、Ｎ’−（５−ジフルオロメチル−２−メチル−４−（３−トリメチルシラニル−プロポキシ）−フェニル）−Ｎ−エチル−Ｎ−メチルホルムアミジンを含む他の殺真菌剤。
【００５９】
除草剤：Ｃ１）アセチル−ＣｏＡカルボキシラーゼ阻害剤（ＡＣＣ）、例えば、アロキシジム、クレトジム、クロプロキシジム、シクロキシジム、セトキシジム、トラルコキシジム、ブトロキシジム、クレフォキシジム若しくはテプラロキシジム等のシクロヘキセノンオキシムエーテル；クロジナホップ−プロパルギル、シハロホップ−ブチル、ジクロホップ−メチル、フェノキサプロップ−エチル、フェノキサプロップ−Ｐ−エチル、フェンチアプロップエチル、フルアジホップ−ブチル、フルアジホップ−Ｐ−ブチル、ハロキシホップ−エトキシエチル、ハロキシホップ−メチル、ハロキシホップ−Ｐ−メチル、イソキサピリホップ、プロパキザホップ、キザロホップ−エチル、キザロホップ−Ｐ−エチル若しくはキザロホップ−テフリル等のフェノキシフェノキシプロピオン酸エステル；又は、フランプロップ−メチル若しくはフランプロップ−イソプロピル等のアリールアミノプロピオン酸；Ｃ２）アセトラクターゼ合成酵素阻害剤（ＡＬＳ）、例えば、イマザピル、イマザキン、イマザメタベンズ−メチル（イマザメ（ｉｍａｚａｍｅ））、イマザモックス、イマザピック若しくはイマゼタピル等のイミダゾリノン；ピリチオバック酸、ピリチオバック−ナトリウム、ビスピリバック−ナトリウム、ＫＩＨ−６１２７若しくはピリベンゾキシム等のピリミジルエーテル；フロラスラム、フルメトスラム若しくはメトスラム等のスルホンアミド；又は、アミドスルフロン、アジムスルフロン、ベンスルフロン−メチル、クロリムロン−エチル、クロルスルフロン、シノスルフロン、シクロスルファムロン、エタメトスルフロン−メチル、エトキシスルフロン、フラザスルフロン、ハロスルフロン−メチル、イマゾスルフロン、メトスルフロン−メチル、ニコスルフロン、プリミスルフロン−メチル、プロスルフロン、ピラゾスルフロン−エチル、リムスルフロン、スルホメツロン−メチル、チフェンスルフロン−メチル、トリアスルフロン、トリベヌロン−メチル、トリフルスルフロン−メチル、トリトスルフロン、スルホスルフロン、ホラムスルフロン若しくはヨードスルフロン等のスルホニル尿素；Ｃ３）アミド、例えば、アリドクロル（ＣＤＡＡ）、ベンゾイルプロップ−エチル、ブロモブチド、クロルチアミド、ジフェナミド、エトベンザニド、フルチアミド、ホサミン又はモナリド；Ｃ４）オーキシン除草剤、例えば、クロピラリド若しくはピクロラム等のピリジンカルボン酸；又は、２，４−Ｄ若しくはベナゾリン；Ｃ５）オーキシン輸送阻害剤、例えば、ナプタラメ又はジフルフェンゾピル；Ｃ６）カロテノイド生合成阻害剤、例えば、ベンゾフェナップ、クロマゾン、ジフルフェニカン、フルオロクロリドン、フルリドン、ピラゾリネート、ピラゾキシフェン、イソキサフルトール、イソキサクロルトール、メソトリオン、スルコトリオン（クロルメスロン）、ケトスピラドックス、フルルタモン、ノルフルラゾン又はアミトロール；Ｃ７）エノールピルビルシキミ酸−３−リン酸合成酵素阻害剤（ＥＰＳＰＳ）、例えば、グリホサート又はスルホサート；Ｃ８）グルタミン合成酵素阻害剤、例えば、ビアラホス又はグルホシネート−アンモニウム；Ｃ９）脂質生合成阻害剤、例えば、アニロホス若しくはメフェナセット等のアニリド；ジメテナミド、Ｓ−ジメテナミド、アセトクロール、アラクロール、ブタクロール、ブテナクロール、ジエタチル−エチル、ジメタクロール、メタザクロール、メトラクロール、Ｓ−メトラクロール、プレチラクロール、プロパクロール、プリナクロール、テルブクロール、テニルクロール若しくはキシラクロール等のクロロアセトアニリド；ブチレート、シクロエート、ジ−アレート、ジメピペレート、ＥＰＴＣ．エスプロカルブ、モリネート、ペブレート、プロスルホカルブ、チオベンカルブ（ベンチオカルブ）、トリ−アレート若しくはバーナレート等のチオ尿素；又は、ベンフレセート若しくはパーフルイドン；Ｃ１０）有糸分裂阻害剤、例えば、アシュラム、カルベタミド、クロルプロファム、オルベンカルブ、プロピザミド、プロファム若しくはチオカルバジル等のカルバメート；ベネフィン、ブトラリン、ジニトラミン、エタルフルラリン、フルクロラリン、オリザリン、ペンジメタリン、プロジアミン若しくはトリフルラリン等のジニトロアニリン；ジチオピル若しくはチアゾピル等のピリジン；又は、ブタミホス、クロルタール−ジメチル（ＤＣＰＡ）若しくはマレイン酸ヒドラジド；Ｃ１１）プロトポルフィリノーゲンＩＸオキシダーゼ阻害剤、例えば、アシフルオルフェン、アシフルオルフェン−ナトリウム、アクロニフェン、ビフェノックス、クロミトロフェン（ＣＮＰ）、エトキシフェン、フルオロジフェン、フルオログリコフェン−エチル、フォメサフェン、フリロキシフェン、ラクトフェン、ニトロフェン、ニトロフルオルフェン若しくはオキシフルオルフェン等のジフェニルエーテル；オキサジアルギル若しくはオキサジアゾン等のオキサジアゾール；アザフェニジン、ブタフェナシル、カルフェントラゾン、カルフェントラゾン−エチル、シニドン−エチル、フルミクロラックペンチル、フルミオキサジン、フルミプロピン、フルプロパシル、フルチアセット−メチル、スルフェントラゾン若しくはチジアジミン等の環状イミド；又は、ＥＴ−７５１、ＪＶ  ４８５若しくはニピラクロフェン等のピラゾール；Ｃ１２）光合成阻害剤、例えば、プロパニル、ピリデート若しくはピリダフォル；ベンタゾン等のベンゾチアジアジノン；ジニトロフェノール、例えば、ブロモフェノキシム、ジノセブ、ジノセブ−アセテート、ジノテルブ若しくはＤＮＯＣ；シペルクアット−クロリド、ジフェンゾクワット−メチルスルフェート、ジクワット若しくはパラコート−ジクロリド等のジピリジレン；クロルブロムロン、クロロトルロン、ジフェノクスロン、ジメフロン、ジウロン、エチジムロン、フェヌロン、フルオメツロン、イソプロチュロン、イソウロン、リヌロン、メタベンズチアズロン、メタゾール、メトベンズロン、メトキスロン、モノリニュロン、ネブロン、シデュロン若しくはテブチウロン等の尿素；ブロモキシニル若しくはイオキシニル等のフェノール；クロリダゾン；アメトリン、アトラジン、シアナジン、デスメイン、ジメタメトリン、ヘキサジノン、プロメトン、プロメトリン、プロパジン、シマジン、シメトリン、テルブメトン、テルブトリン、テルブチラジン若しくはトリエタジン等のトリアジン；メタミトロン等のトリアジノン；ブロマシル、レ���シル若しくはテルバシル等のウラシル；又は、デスメジファム若しくはフェンメジファム等のビスカルバメート；Ｃ１３）相乗剤、例えば、トリジファン等のオキシラン；Ｃ１４）ＣＩＳ細胞壁合成阻害剤、例えば、イソキサベン又はジクロベニル；Ｃ１６）様々な他の除草剤、例えば、ダラポン等のジクロロプロピオン酸；エトフメセート等のジヒドロベンゾフラン；クロルフェナック（フェナック）等のフェニル酢酸；又は、アジプロトリン、バルバン、ベンスリド、ベンズチアズロン、ベンゾフルオール、ブミナホス、ブチダゾール、ブツロン、カフェンストロール、クロルブファム、クロルフェンプロップ−メチル、クロロクスロン、シンメチリン、クミルロン、シクルロン、シプラジン、シプラゾール、ジベンジルロン、ジプロペトリン、ダイムロン、エグリナジン−エチル、エンドタール、エチオジン、フルカバゾン、フルオルベントラニル、フルポキサム、イソカルバミド、イソプロパリン、カルブチレート、メフルイジド、モヌロン、ナプロップアミド、ナプロップアニリド、ニトラリン、オキサシクロメフォン、フェニソファム、ピペロホス、プロシアジン、プロフルアリン、ピリブチカルブ、セクブメトン、スルファレート（ＣＤＥＣ）、テルブカルブ、トリアジフラム、トリアゾフェナミド若しくはトリメツロン；又は、それらの環境適合性の塩。
【００６０】
殺線虫剤又はバイオ殺線虫剤：ベノミル、クロエトカルブ、アルドキシカルブ、チルパート、ジアミダホス、フェナミホス、カズサホス、ジクロフェンチオン、エトプロホス、フェンスルホチオン、ホスチアゼート、ヘテロホス、イサミドホス（ｉｓａｍｉｄｏｆｏｆ）、イサゾホス、ホスホカルブ、チオナジン、イミシアホス、メカルホン、アセトプロール、ベンクロチアズ、クロロピクリン、ダゾメット、フルエンスルホン、１，３−ジクロロプロペン（ｔｅｌｏｎｅ）、ジメチルジスルフィド、メタムナトリウム、メタムカリウム、メタム塩（全てＭＩＴＣ生成）、臭化メチル、生物学的土壌改善物（例えば、マスタード種子、マスタード種子抽出物）、土壌の蒸気燻蒸、アリルイソチオシアネート（ＡＩＴＣ）、硫酸ジメチル、フルフアール（アルデヒド）。
【００６１】
本発明の適切な植物成長調節剤は、次のものを含む。植物成長調整剤：Ｄ１）クロフィブリン酸、２，３，５−トリヨード安息香酸等のアンチオーキシン；Ｄ２）４−ＣＰＡ、２，４−Ｄ、２，４−ＤＢ、２，４−ＤＥＰ、ジクロルプロップ、フェノプロップ、ＩＡＡ、ＩＢＡ、ナフタレンアセトアミド、α−ナフタレン酢酸、１−ナフトール、ナフトキシ酢酸、ナフテン酸カリウム、ナフテン酸ナトリウム、２，４，５−Ｔ等のオーキシン；Ｄ３）２ｉＰ、ベンジルアデニン、４−ヒドロキシフェンエチルアルコール、カイネチン、ゼアチン等のサイトカイニン；Ｄ４）カルシウムシアナミド、ジメチピン、エンドタール、エセフォン、メルホス、メトクスロン、ペンタクロロフェノール、チジアズロン、トリブホス等の枯れ葉剤；Ｄ５）アビグリシン、１−メチルシクロプロペン等のエチレン阻害剤；Ｄ６）ＡＣＣ、エタセラシル、エテホン、グリオキシム等のエチレン放出剤；Ｄ７）フェンリダゾン、マレイン酸ヒドラジド等のガメトシド；Ｄ８）ジベレリン、ジベレリン酸等のジベレリン；Ｄ９）アブシジン酸、アンシミドール、ブトラリン、カルバリル、クロルホニウム、クロルプロファム、ジケグラック、フルメトラリン、フルオリドアミド、ホサミン、グリホジン、イソピリモル、ジャスモン酸、マレイン酸ヒドラジド、メピコート、ピプロクタニル、プロヒドロジャスモン、プロファム、チアオジエアン（ｔｉａｏｊｉｅａｎ）、２，３，５−トリヨード安息香酸等の成長阻害剤；Ｄ１０）クロルフルレン、クロルフレノール、ジクロルフルレノール、フルレノール等のモルファクチン；Ｄ１１）クロルメコート、ダミノジド、フルルプリミドール、メフルイジド、パクロブトラゾール、テトシクラシス、ウニコナゾール等の成長抑制剤；Ｄ１２）ブラシノリド、ブラシノリド−エチル、ＤＣＰＴＡ、ホルクロルフェヌロン、ヒメキサゾール、プロスレル（ｐｒｏｓｕｌｅｒ）、トリアコンタノール等の成長刺激剤；Ｄ１３）バクメデシュ、ベンゾフルオール、ブミナホス、カルボン、コリンクロリド、シオブチド、クロフェンセット、シアナミド、シクラニリド、シクロヘキシミド、シプロスルファミド、エポコレオン、エチクロゼート、エチレン、フフェンチオウレア（ｆｕｐｈｅｎｔｈｉｏｕｒｅａ）、フララン（ｆｕｒａｌａｎｅ）、ヘプトパルギル、ホロスルフ、イナベンフィド、カレタザン、ヒ酸鉛、メタスルホカルブ、プロヘキサジオン、ピダノン、シントフェン、トリアペンテノール、トリネキサパック等の分類されていない植物成長調整剤。
【００６２】
肥料は、液体肥料とすることができる。“液体肥料”という用語は、様々な割合の窒素、リン及びカリウム（例えば、１０％の窒素、３４％のリン及び０％のカリウム等があるが、これに限定されない）並びに微量栄養素を含む流体又は液体形態における肥料を示し、リンを多く含み迅速且つ強力な根の成長を促進するスターター肥料として一般的に知られている。
【００６３】
本発明の化学製剤は、任意の有用な従来型の形態、例えば、乳剤（ＥＣ）、懸濁剤（ＳＣ）、サスポエマルジョン剤（ＳＥ）、カプセル懸濁剤（ＣＳ）、水分散性顆粒剤（ＷＧ）、乳化性顆粒剤（ＥＧ）、油中水型エマルジョン剤（ＥＯ）、水中油型エマルジョン剤（ＥＷ）、マイクロエマルジョン剤（ＭＥ）、油分散剤（ＯＤ）、油混和性フロアブル剤（ＯＦ）、油混和性液剤（ＯＬ）、可溶性濃縮剤（ＳＬ）、超低容量懸濁剤（ＳＵ）、超低容量液剤（ＵＬ）、分散性濃縮剤（ＤＣ）、水和剤（ＷＰ）又は農業上許容されるアジュバントと組み合わせた技術的に可能な任意の製剤であり得る。
【００６４】
本発明の一実施形態では、植物の成長に有益な量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物を、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達させることを含む、植物成長の利益を与える方法が提供される。
【００６５】
植物成長の利益は、改善された苗木の活力、改善された根の発達、改善された植物の成長、改善された植物の健康、増加した収量もしくは改善された外観の１つまたは組み合わせによって示され得る。
【００６６】
組成物は、液体、油分散体、粉剤、乾燥水和性粉末剤、展延性顆粒剤または乾燥水和性顆粒剤の形態であり得る。バチルス・リケニフォルミス  ＲＴＩ１８４は、胞子の形態または栄養細胞の形態であり得る。バチルス・リケニフォルミス  ＲＴＩ１８４は、植物成長に利益をもたらすために、約１．０×１０８ＣＦＵ／ｈａから約１．０×１０１３ＣＦＵ／ｈａの割合で送達することができる。
【００６７】
該方法では、組成物は、植物成長の利益を与えるおよび／または感受性植物における病原体感染に対する保護を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含み得る。
【００６８】
該方法はさらに、液体肥料を、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に適用することを含み得る。
【００６９】
本発明の１つの実施形態では、植物成長の利益を与えるための方法が提供され、該方法は、植物の種子を植え付ける、または適切な増殖培地において植物の栄養／カルス組織を再生させることを含み、前記種子は、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物で被覆され、または前記栄養／カルス組織は、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物を接種され、前記種子または栄養／カルス組織からの植物の成長に利益を与える。
【００７０】
前記植物成長の利益は、改善された苗木の活力、改善された根の発達、改善された植物の成長、改善された植物の健康、増加した収量もしくは改善された外観の１つまたは組み合わせによって示される。
【００７１】
バチルス・リケニフォルミスＲＴＩ１８４は、胞子の形態であり得る。バチルス・リケニフォルミス  ＲＴＩ１８４は、胞子の形態で、約１．０×１０２ＣＦＵ／種子から約１．０×１０９ＣＦＵ／種子の量で存在し得る。種子上に被覆された組成物はさらに、植物成長の利益を与えるのに適した量で存在する、１または２以上の微生物学的もしくは化学的な殺虫剤、殺真菌剤、殺線虫剤、殺細菌剤、植物成長調整剤または肥料を含み得る。
【００７２】
前記植物成長の利益は、改善された苗木の活力、改善された根の発達、改善された植物の成長、改善された植物の健康、増加した収量もしくは改善された外観もしくは植物病原体に対する改善された耐性の１つまたは組み合わせによって示され得る。
【００７３】
本発明の１つの実施形態では、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む第１の組成物と、微生物学的もしくは化学的な殺虫剤、殺真菌剤、殺線虫剤、殺細菌剤、除草剤、植物抽出物または植物成長調整剤または肥料の１つまたは組合せを含む第２の組成物と、の組合せを、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達させることを含み、第１および第２の組成物の各々は、植物の成長に有益な量で送達される、植物成長の利益を与える方法が提供される。
【００７４】
該方法はさらに、液体肥料を、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に適用することを含み得る。
【００７５】
バチルス・リケニフォルミス  ＲＴＩ１８４は、胞子の形態または栄養細胞の形態であり得る。植物成長に利益を与えるのに適したバチルス・リケニフォルミス  ＲＴＩ１８４の量は、約１．０×１０８ＣＦＵ／ｈａから約１．０×１０１３ＣＦＵ／ｈａの範囲であり得る。
【００７６】
本発明の一実施形態では、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物と、微生物学的もしくは化学的な殺虫剤、殺真菌剤、殺線虫剤、殺細菌剤、植物成長調整剤、植物成長調整剤または肥料の１つまたは組合せと、を含む組成物を、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達させることを含み、バチルス・リケニフォルミス  ＲＴＩ１８４及び微生物学的もしくは化学的な殺虫剤、殺真菌剤、殺線虫剤、殺細菌剤、除草剤、植物抽出物または植物成長調整剤の１つまたは組合せは、植物成長の利益を与えるのに適した量で存在する、植物成長の利益を与えるための方法が提供される。
【００７７】
前記植物成長の利益は、改善された苗木の活力、改善された根の発達、改善された植物の成長、改善された植物の健康、増加した収量もしくは改善された外観もしくは植物病原体に対する改善された耐性、またはこれらの組み合わせによって示され得る。
【００７８】
該方法はさらに、液体肥料を、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に適用することを含み得る。
【００７９】
バチルス・リケニフォルミス  ＲＴＩ１８４は、胞子の形態または栄養細胞の形態であり得る。植物成長に利益を与えるのに適したバチルス・リケニフォルミス  ＲＴＩ１８４の量は、約１．０×１０８ＣＦＵ／ｈａから約１．０×１０１３ＣＦＵ／ｈａの範囲であり得る。
【００８０】
本発明の一実施形態では、組成物中に植物の切断片を浸すことと、適切な増殖培地中にそれを植え付けることと、を含み、前記組成物は、植物の発根に有益な量の、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含み、前記切断片からの根の形成および植物の成長の利益が与えられる、植物発根の利益を与えるための方法が提供される。
【００８１】
組成物は、液体または乾燥水和性粉末剤の形態であり得る。バチルス・リケニフォルミス  ＲＴＩ１８４は、胞子または栄養細胞の形態であり得る。組成物は、乾燥水和性粉末剤の形態であり得、バチルス・リケニフォルミス  ＲＴＩ１８４は、約１．０×１０７ＣＦＵ／ｇから約１．０×１０９ＣＦＵ／ｇの量で存在し得る。植物は観葉植物であり得る。植物は、紫陽花であり得る。
【００８２】
本発明の一実施形態では、少なくとも１つの単離されたフェンギシンＭＢ−Ｃｉｔ化合物と、単離されたデヒドロキシフェンギシンＭＢ−Ｃｉｔ化合物と、を、植物への成長の利益または感受性植物における病原体感染に対する保護の一方または両方を与えるのに適した量で含み、フェンギシンＭＢ−ＣｉｔおよびデヒドロキシフェンギシンＭＢ−Ｃｉｔ化合物は、下記式を有する組成物が提供される。
【００８３】
【化２】
2018503626.tif 000003
【００８４】
フェンギシンＭＢ−Ｃｉｔについては、ｎは８〜２０、ＦＡは直鎖、イソまたはアンテイソであり、ＲはＯＨであり、Ｘ１はＶａｌであり、Ｘ２はＴｈｒであり、Ｘ３はＭｅｔであり、Ｘ４はＣｉｔであり、デヒドロキシフェンギシンＭＢ−Ｃｉｔについては、ｎは８〜２０、ＦＡは直鎖、イソまたはアンテイソであり、ＲはＨであり、Ｘ１はＶａｌであり、Ｘ２はＴｈｒであり、Ｘ３はＭｅｔであり、Ｘ４はシトルリンである。別の実施形態では、本組成物は、植物の成長利益または感受性植物における病原体感染に対する保護の１つまたは両方を与えるのに適した量で、表６に示される追加の単離されたフェンギシンおよびデヒドロキシフェンギシン様化合物の１つまたは組合せをさらに含む。
【００８５】
植物の成長利益および／または付与された病原体感染に対する保護は、改善された苗木の活力、改善された根の発達、改善された植物の成長、改善された植物の健康、増加した収量、改善された外観、植物病原体に対する改善された耐性、病原体感染の減少、またはそれらの組み合わせにより示され得る。
【００８６】
フェンギシン−ＭＢ−Ｃｉｔ化合物およびデヒドロキシフェンギシン−ＭＢ−Ｃｉｔ化合物、および追加のフェンギシン様およびデヒドロキシフェンギシン様化合物の１つまたは組合せは、例えば、限定されないが、８６９もしくはＭ２培地で３から６日間株を培養することを含む、本明細書の実施例に記載のこれらの条件のような、当業者にとってよく知られた適切な条件の下で、ＲＴＩ１８４バチルスリケニフォルミス株、またはフェンギシン−ＭＢ−Ｃｉｔ化合物およびデヒドロキシフェンギシン−ＭＢ−Ｃｉｔ化合物を産生する別のバチルスリケニフォルミス株を最初に培養することにより単離され得る。バチルスリケニフォルミス培養上清中に存在するフェンギシン様およびデヒドロキシフェンギシン様環状リポペプチドは、当業者に既知の方法を用いてさらに単離され得る。例えば、バチルスリケニフォルミス培養上清は、実施例１６で本明細書に記載されるようにｐＨ２に酸性化され得（Ｓｍｙｔｈ，  ＴＪＰ  ｅｔ  ａｌ．，  ２０１０，  “Ｉｓｏｌａｔｉｏｎ  ａｎｄ  Ａｎａｌｙｓｉｓ  ｏｆ  Ｌｉｐｏｐｅｐｔｉｄｅｓ  ａｎｄ  Ｈｉｇｈ  Ｍｏｌｅｃｕｌａｒ  Ｗｅｉｇｈｔ  Ｂｉｏｓｕｒｆａｃｔａｎｔｓ．”  Ｉｎ：  Ｈａｎｄｂｏｏｋ  ｏｆ  Ｈｙｄｒｏｃａｒｂｏｎ  ａｎｄ  Ｌｉｐｉｄ  Ｍｉｃｒｏｂｉｏｌｏｇｙ，  Ｋ．  Ｎ．  Ｔｉｍｍｉｓ  （Ｅｄｉｔｏｒ）．  ｐｐ  ３６８７−３７０４）、またはＣａＣｌ２で処理され得（Ａｊｅｓｈ，  Ｋ  ｅｔ  ａｌ．，  ２０１３，  “Ｐｕｒｉｆｉｃａｔｉｏｎ  ａｎｄ  ｃｈａｒａｃｔｅｒｉｚａｔｉｏｎ  ｏｆ  ａｎｔｉｆｕｎｇａｌ  ｌｉｐｏｐｅｐｔｉｄｅ  ｆｒｏｍ  ａ  ｓｏｉｌ  ｉｓｏｌａｔｅｄ  ｓｔｒａｉｎ  ｏｆ  Ｂａｃｉｌｌｕｓ  ｃｅｒｅｕｓ．”  Ｉｎ：  Ｗｏｒｌｄｗｉｄｅ  ｒｅｓｅａｒｃｈ  ｅｆｆｏｒｔｓ  ｉｎ  ｔｈｅ  ｆｉｇｈｔｉｎｇ  ａｇａｉｎｓｔ  ｍｉｃｒｏｂｉａｌ  ｐａｔｈｏｇｅｎｓ：  ｆｒｏｍ  ｂａｓｉｃ  ｒｅｓｅａｒｃｈ  ｔｏ  ｔｅｃｈｎｏｌｏｇｉｃａｌ  ｄｅｖｅｌｏｐｍｅｎｔｓ．  Ａ．  Ｍｅｎｄｅｚ−Ｖｉｌａｓ  （ｅｄｉｔｏｒ）．  ｐｐ：  ２２７−２３１）、またはＮＨ４ＳＯ４で処理され得（Ｋｉｍ，  ＳＨ  ｅｔ  ａｌ．，  ２０００，  Ｂｉｏｔｅｃｈｎｏｌ  Ａｐｐｌ  Ｂｉｏｃｈｅｍ．  ３１  （Ｐｔ  ３）：２４９−２５３）、この処理を、例えば、限定されないが、直接液体分配、膜限外ろ過、および発泡分別（Ｂａｋｅｒ，  ＳＣ  ｅｔ  ａｌ．，  ２０１０，    Ａｄｖ  Ｅｘｐ  Ｍｅｄ  Ｂｉｏｌ．  ６７２：２８１−２８８）を含む相分離の様々な形態のような有機物抽出工程（Ｋｉｍ，  ＰＩ  ｅｔ  ａｌ．，  ２００４，  Ｊ  Ａｐｐｌ  Ｍｉｃｒｏｂｉｏｌ．  ９７（５）：  ９４２−９４９）と組み合わせて、または組み合わせずに処理され得る。
【００８７】
一実施形態では、表６に示されるフェンギシン−ＭＢ−Ｃｉｔ化合物およびデヒドロキシフェンギシン−ＭＢ−Ｃｉｔ化合物および追加のフェンギシン様およびデヒドロキシフェンギシン様化合物の１つまたは組み合わせは、これらの化合物を産生し得るバチルスリケニフォルミス株の生物学的に純粋な培養物から単離され得る。
【００８８】
一実施形態では、表６に示されるフェンギシン−ＭＢ−Ｃｉｔ化合物およびデヒドロキシフェンギシン−ＭＢ−Ｃｉｔ化合物および追加のフェンギシン様およびデヒドロキシフェンギシン様化合物の１つまたは組み合わせは、ＡＴＣＣ番号ＰＴＡ−１２１７２２で寄託されたバチルスリケニフォルミスＲＴＩ１８４の生物学的に純粋な培養物から単離され得る。
【００８９】
一実施形態では、抽出物は、バチルスリケニフォルミス株の生物学的に純粋な培養物から提供され、該抽出物は、表６に示されるフェンギシン−ＭＢ−Ｃｉｔ化合物およびデヒドロキシフェンギシン−ＭＢ−Ｃｉｔ化合物および追加のフェンギシン様およびデヒドロキシフェンギシン様化合物の１つまたは組み合わせを含む。
【００９０】
一実施形態では、抽出物は、ＡＴＣＣ番号ＰＴＡ−１２１７２２として寄託されているバチルスリケニフォルミスＲＴＩ１８４の生物学的に純粋な培養物から提供され、該抽出物は、表６に示されるフェンギシン−ＭＢ−Ｃｉｔ化合物およびデヒドロキシフェンギシン−ＭＢ−Ｃｉｔ化合物および追加のフェンギシン様およびデヒドロキシフェンギシン様化合物の１つまたは組み合わせを含む。
【００９１】
単離されたフェンギシン−ＭＢ−Ｃｉｔ化合物およびデヒドロキシフェンギシン−ＭＢ−Ｃｉｔ化合物のうちの少なくとも１つならびに任意で追加の単離されたフェンギシン様およびデヒドロキシフェンギシン様化合物の１つまたは組み合わせを含む組成物は、感受性植物における植物成長に利益を与え、および／または病原体感染に対する保護を与えるのに適切な量で存在する、微生物学的、もしくは化学的殺虫剤、殺真菌剤、殺線虫剤、殺細菌剤、除草剤、植物抽出物、または植物成長調節剤の１つもしくは組み合わせをさらに含み得る。
【００９２】
単離されたフェンギシン−ＭＢ−Ｃｉｔ化合物およびデヒドロキシフェンギシン−ＭＢ−Ｃｉｔ化合物ならびに追加の単離されたフェンギシン様およびデヒドロキシフェンギシン様化合物のうちの１つまたは組み合わせを含む組成物は、液体、油分散剤、粉剤、展延性顆粒剤、または乾燥水和性粒剤の形態であり得る。
【００９３】
一実施形態では、植物成長に利益を与えるおよび／または植物病原体感染に対する保護を与えるために、単離されたフェンギシン−ＭＢ−Ｃｉｔ化合物およびデヒドロキシフェンギシン−ＭＢ−Ｃｉｔ化合物ならびに追加の単離されたフェンギシン様およびデヒドロキシフェンギシン様化合物の１つもしくは組み合わせを含む、有効量の抽出物または組成物を植物もしくは果実、または根もしくは植物の根の周囲の土壌に適用することを含む、植物成長に利益を与え、および／または植物病原体感染に対する保護を与えるための方法が提供される。植物の成長利益および／または付与された保護は、改善された苗の活力、改善された根発達、改善された植物成長、改善された植物の健康、増加した収量、改善された外観、植物病原体に対する改善された耐性、病原体感染の減少、またはそれらの組み合わせにより示され得る。
【００９４】
単離されたフェンギシン−ＭＢ−Ｃｉｔ化合物およびデヒドロキシフェンギシン−ＭＢ−Ｃｉｔ化合物ならびに追加の単離されたフェンギシン様およびデヒドロキシフェンギシン様化合物の１つもしくは組み合わせを含む、有効量の抽出物または組成物を適用する方法において、植物は、例えば、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、カラント、ケインベリー（ｃａｎｅｂｅｒｒｙ）、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、柑橘類、オレンジ、グレープフルーツ、レモン、タンジェリン、タンジェロ、パメロ（Ｐｕｍｍｅｌｏ）、フルーツ野菜、ペッパー、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（ｂｅａｎ）及び鞘に入った豆（ｐｅａ））、インゲン豆（又はソラ豆）、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、オイルパーム、オリーブ、ピーナッツ、菜種、ベニバナ、ゴマ、ヒマワリ、大豆、ナシ状果実、リンゴ、野生リンゴ、ナシ、クインズ、サンザシ（Ｍａｙｈａｗ）、根／塊茎および球茎野菜、ニンジン、ジャガイモ、サツマイモ、キャッサバ（Ｃａｓｓａｖｅ）、ビーツ、ショウガ、西洋ワサビ、ダイコン、朝鮮人参、カブ、核果類、アプリコット、チェリー、ネクタリン、桃、プラム、プルーン、イチゴ、ツリーナッツ、アーモンド、ピスタチオ、ピーカン、クルミ、ハシバミ、クリ（Ｃｈｅｓｔｎｕｔ）、カシュー、ブナ（Ｂｅｅｃｈｎｕｔ）、バタグルミ（Ｂｕｔｔｅｒｎｕｔ）、マカダミア、キウイ、バナナ、（ブルー）アガベ、草、芝草、観葉植物、ポインセチア、広葉樹の伐採片（Ｈａｒｄｗｏｏｄ  ｃｕｔｔｉｎｇｓ）、クリ、オーク、カエデ、サトウキビ、またはテンサイを含み得る。
【００９５】
単離されたフェンギシンＭＢ−ＣｉｔおよびデヒドロキシフェンギシンＭＢ−Ｃｉｔ化合物ならびに追加の単離されたフェンギシン様およびデヒドロキシフェンギシン様化合物の１つまたは組合せを含む有効量の抽出物または組成物を適用する方法において、前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、ベンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・メイディス（Helminthosporium maydis）、ヘルミントスポリウム・ソラニ（Helminthosporium solai）又はヘルミントスポリウム・トリチシ−レペンチス（Helminthosporium tritici-repentis）のうちの１又は複数により引き起こされ得る。
【実施例】
【００９６】
以下に示す実施例は、本発明の主題の代表的な実施態様を実施するための当業者に指針を提供するために含まれている。本発明および当業者の一般的なレベルに照らして、以下の実施例は例示的なものに過ぎず、本発明の範囲から逸脱することなく、現在開示されている主題から、多くの変更、改変、および変更を行うことができることを理解することができる。
【００９７】
（実施例１）
（バチルス・リケニフォルミスとしての細菌分離株の配列解析による同定）
本明細書でＲＴＩ１８４と命名された植物関連細菌株は、カリフォルニア州で栽培されたイネの根から単離された。ＲＴＩ１８４株の１６Ｓ  ｒＲＮＡおよびｒｐｏＢ遺伝子を配列決定し、続いてＢＬＡＳＴを用いてＮＣＢＩおよびＲＤＰデータベースにおける他の既知の細菌株と比較した。ＲＴＩ１８４の１６Ｓ  ＲＮＡ部分的配列（配列番号１）は、バチルス・リケニフォルミス９９４５Ａ菌株（９９％、３つの異なるコピーのうちの１６Ｓ  ｒＲＮＡ遺伝子の１つにコピーにおける１５４５ｂｐ上での２ｂｐの差異）およびバチルス・リケニフォルミス株ＡＴＣＣ  １４５８０（９９％、１５４５ｂｐ上での８ｂｐの差異）のバチルス・リケニフォルミスの２つの他の既知株の１６Ｓ  ｒＲＮＡ遺伝子配列（配列番号２）とほぼ同一であると判定された。さらに、ＲＴＩ１８４のｒｐｏＢ配列は、既知のバチルス・リケニフォルミス  ９９４５Ａ（ＣＰ００５９６５）株と１００％の配列同一性を有し、ＡＴＣＣ１４５８０として寄託されたバチルス・リケニフォルミス株に対して９７％の配列同一性（３０１５ｂｐ上での９７ｂｐの差異）を有することが判明した。ＲＴＩ１８４株とバチルス・リケニフォルミス９９４５Ａとをさらに区別するために、バチルス・リケニフォルミス種によって産生される特徴的なアニオン性環状リポヘプタペプチドバイオサーファクタントであるリケニシンの生合成に関与する経路のゲノム配列を比較した。類似しているものの、ＲＴＩ１８４および９９４５Ａ株についてのｌｉｃｈＡとｌｉｃｈＢ遺伝子との間にいくつかの差異が観察された。したがって、ＲＴＩ１８４株は、バチルス・リケニフォルミスの独特な株として同定された。
【００９８】
（実施例２）
（バチルス・リケニフォルミス  ＲＴＩ１８４分離株の抗微生物特性）
単離株の主要な植物病原体に対する拮抗能をプレートアッセイで測定した。植物真菌病原体に対する拮抗作用の評価のためのプレートアッセイを、４ｃｍの距離で８６９寒天プレート上に細菌分離株および病原性真菌を並べて培養することによって実施した。プレートを室温でインキュベートし、成長阻害といった成長成長挙動、生態的地位の占有（ｎｉｃｈｅ  ｏｃｃｕｐａｔｉｏｎ）または効果無しについて、２週間定期的に検査した。細菌性病原体に対する拮抗特性をスクリーニングする場合、病原体を最初に、８６９寒天プレート上にローン（ｌａｗｎ）として広げた。続いて、ＲＴＩ１８４の培養物の２０μＬのアリコートをプレート上にスポットした。  プレートを室温でインキュベートし、ＲＴＩ１８４が適用された位置の周りのローン（ｌａｗｎ）における阻害ゾーンについて、２週間定期的にチェックした。拮抗作用の概要を以下の表１に示す。
【００９９】
【表１】
2018503626.tif 000004
【０１００】
（実施例３）
（バチルス・リケニフォルミス  ＲＴＩ１８４分離株の表現型特性）
拮抗特性に加えて、種々の表現型特性もまたバチルス・リケニフォルミス  ＲＴＩ１８４株について測定され、データは以下の表２に示されている。アッセイを、表２の下のテキストに記載の手順に従って行った。
【０１０１】
【表２】
2018503626.tif 000005
【０１０２】
（酸性およびアセトイン試験）豊富な８６９培地中のスターター培養物２０μｌを１ｍｌのメチルレッド−フォーゲスプロスカウエル培地（シグマ・アルドリッチ  ３９４８４）に移した。培養物を３０℃、２００ｒｐｍで２日間インキュベートした。０．５ｍｌの培養物を移し、５０μｌの０．２ｇ／ｌ  メチルレッドを添加した。赤色は酸生成を示した。残りの０．５ｍｌの培養物を０．３ｍｌの５％アルファ−ナフトール（シグマ・アルドリッチ  Ｎ１０００）、次いで０．１ｍｌの４０％ＫＯＨと混合した。インキュベーションの３０分後にサンプルについて判断した。赤色の発色はアセトイン生成を示した。酸性およびアセトイン試験の両方について、非接種培地を陰性対照として使用した（Ｓｏｋｏｌ  ｅｔ  ａｌ．，１９７９，Ｊｏｕｒｎａｌ  ｏｆ  Ｃｌｉｎｉｃａｌ  Ｍｉｃｒｏｂｉｏｌｏｇｙ．９：５３８−５４０）。
【０１０３】
（インドール−３−酢酸）豊富な８６９培地中のスターター培養物２０μｌを、０．５ｇ／ｌ  トリプトファン（シグマ・アルドリッチ  Ｔ０２５４）を添加した１ｍｌ  １／１０  ８６９培地に移した。培養物を３０℃、２００ＲＰＭの暗所で４〜５日間インキュベートした。試料を遠心分離し、０．１ｍｌの上清を０．２ｍｌのサルコウスキー試薬（３５％過塩素酸、１０ｍＭ  ＦｅＣｌ３）と混合した。暗所で３０分間インキュベートした後、ピンク色を呈する試料はＩＡＡ合成について陽性と記録された。陽性比較として、ＩＡＡ（シグマ・アルドリッチ  Ｉ５１４８）の希釈液を用い、非接種培地を陰性対照として使用した（Ｔａｇｈａｖｉ，ｅｔ  ａｌ．，２００９，Ａｐｐｌｉｅｄ  ａｎｄ  Ｅｎｖｉｒｏｎｍｅｎｔａｌ  Ｍｉｃｒｏｂｉｏｌｏｇｙ  ７５：７４８−７５７）。
【０１０４】
（リン酸塩可溶化試験）細菌を、グルコース１０ｇ、三リン酸カルシウム５ｇ、塩化カリウム０．２ｇ、硫酸アンモニウム０．５ｇ、塩化ナトリウム０．２ｇ、硫酸マグネシウム七水和物０．１ｇ、酵母抽出物０．５ｇ、硫酸マンガン２ｍｇ、硫酸鉄２ｍｇおよびオートクレーブ処理したｐＨ７で１リットルあたり１５ｇの寒天からなるＰｉｋｏｖｓｋａｙａ（ＰＶＫ）寒天培地に播種した。透明化の領域は、リン酸可溶化細菌の指標であった（Ｓｈａｒｍａ  ｅｔ  ａｌ．，２０１１，Ｊｏｕｒｎａｌ  ｏｆ  Ｍｉｃｒｏｂｉｏｌｏｇｙ  ａｎｄ  Ｂｉｏｔｅｃｈｎｏｌｏｇｙ  Ｒｅｓｅａｒｃｈ  １：９０−９５）。
【０１０５】
（キチナーゼ活性）変性ＰＶＫ寒天培地（グルコース１０ｇ、塩化カリウム０．２ｇ、硫酸アンモニウム０．５ｇ、塩化ナトリウム０．２ｇ、硫酸マグネシウム七水和物０．１ｇ、酵母抽出物０．５ｇ、硫酸マンガン２ｍｇ、硫酸鉄２ｍｇおよびオートクレーブ処理したｐＨ７で１リットルあたり１５ｇの寒天）に、１０％湿重量のコロイド状キチンを添加した。これらのキチンプレート上に細菌を播種し、透明化の領域はキチナーゼ活性を示した（Ｎ．Ｋ．Ｓ．Ｍｕｒｔｈｙ  ＆  Ｂｌｅａｋｌｅｙ．，２０１２．“Ｓｉｍｐｌｉｆｉｅｄ  Ｍｅｔｈｏｄ  ｏｆ  Ｐｒｅｐａｒｉｎｇ  Ｃｏｌｌｏｉｄａｌ  Ｃｈｉｔｉｎ  Ｕｓｅｄ  ｆｏｒ  Ｓｃｒｅｅｎｉｎｇ  ｏｆ  Ｃｈｉｔｉｎａｓｅ  Ｐｒｏｄｕｃｉｎｇ  Ｍｉｃｒｏｏｒｇａｎｉｓｍｓ”．Ｔｈｅ  Ｉｎｔｅｒｎｅｔ  Ｊｏｕｒｎａｌ  ｏｆ  Ｍｉｃｒｏｂｉｏｌｏｇｙ．１０（２））。
【０１０６】
（プロテアーゼ活性）細菌を、１０％ミルクを添加した８６９寒天培地に播種した。透明化の領域は、プロテアーゼ活性を示唆するタンパク質を分解する能力を示した（Ｓｏｋｏｌ  ｅｔ  ａｌ．，１９７９，Ｊｏｕｒｎａｌ  ｏｆ  Ｃｌｉｎｉｃａｌ  Ｍｉｃｒｏｂｉｏｌｏｇｙ．９：５３８−５４０）。
【０１０７】
（実施例４）
（バチルス・リケニフォルミス  ＲＴＩ１８４の種子発芽、根の発達および構造に及ぼす影響）
種子の発芽、根の発達および構造に対する、種子へのバチルス・リケニフォルミス  ＲＴＩ１８４株の適用の効果を決定するために実験を行った。実験を、ＲＴＩ１８４の栄養細胞および胞子の両方を用いて下記のように行った。
【０１０８】
（栄養細胞）ＲＴＩ１８４の栄養細胞によるアッセイを、コーンおよび大豆由来の種子を用いて実施した。ＲＴＩ１８４を凍結ストックから８６９培地上に蒔き、３０℃で一晩増殖させた。単離したコロニーをプレートから採取し、２０ｍＬの８６９培養液を含む５０ｍＬコニカルチューブに接種した。培養物を３０℃および２００ＲＰＭで振盪しながら一晩インキュベートした。一晩の培養物を１０，０００ＲＰＭで１０分間遠心分離した。上清を捨て、ペレットをＭｇＳＯ４に再懸濁して洗浄した。混合物を再び１０，０００ＲＰＭで１０分間遠心分離した。上清を捨て、ペレットを改変ホーグランド溶液に再懸濁した。次いで、混合物を希釈して初期濃度（１００）とした。これから、ＲＴＩ１８４培養物の１０−１，１０−２，１０−３，１０−４，１０−５希釈物を作った。各種の種子についての種子発芽実験のために、１００ｍｍペトリ皿をＲＴＩ１８４または対照、希釈および日付で標識した。滅菌濾紙を各プレートの底に置いた。種子の種類に応じて、５〜８の種子を単一のペトリ皿に入れた（例えば、コーンなどのより大きい種子は、種子の数／プレートがより少ない）。ＲＴＩ１８４の各希釈物５ｍＬをプレートに加え、種子を２１℃でインキュベートした。コントロールプレートには、種子および細菌を添加していない改変ホーグランド溶液が含まれていた。４および７日後にプレートの画像を撮影した。滅菌脱イオン水は、乾燥が始まるとプレートに加えられた。コーンおよび大豆のデータを以下の表３に示す。さらに、図１（ａ）−１（ｄ）は、未処理対照（ａ）と比較した、７日間の増殖後の、各々、（ｂ）２．６２×１０８ＣＦＵ／ｍｌ、（ｂ）２．６２×１０７ＣＦＵ／ｍｌおよび（ｄ）２．６２×１０６ＣＦＵ／ｍｌに対応する、１００（ｂ）、１０−１（ｃ）および１０−２（ｄ）で希釈されたＲＴＩ１８４の栄養細胞による接種後の根毛発達に対する陽性効果を示す大豆種子の画像である。データは、ＲＴＩ１８４細胞の添加が、接種されていない対照種子と比較して細根毛の形成を刺激したことを示す。細根は、水の摂取、栄養分および根圏の他の微生物との植物相互作用において重要である。
【０１０９】
【表３】
2018503626.tif 000006
【０１１０】
（胞子）ＲＴＩ１８４の胞子を用いた実験のために、１４Ｌ発酵槽中で２×ＳＧに菌株を胞子形成させた。胞子は収集されたが、後で少なくとも１．０×１０７ＣＦＵ／ｍＬの濃度で洗浄されなかった。実験では、胞子濃度を１０倍以上に希釈した。実験は、キュウリ、ペッパー、トマト、ダイコン、スカッシュ、草（ケンタッキー・ブルーグラス）およびマリーゴールドの種子を用いて行った。滅菌濾紙を各無菌プラスチック成長室の底に置き、１０個の種子を各容器に入れた。ＲＴＩ１８４胞子の各希釈物３ｍＬを成長チャンバーに添加し、これを閉じ、１９℃で７日間インキュベートし、その後、実生を画像化した。データを以下の表４に示す。非接種対照と比較して、いずれの植物種についても、ＲＴＩ１８４による処理では、種子の発芽および生育の阻害は観察されなかった。さらに、組換えトマト（Moneymaker）にＲＴＩ１８４株を接種した場合の、種子の接種の陽性効果の画像を図２（ａ）−２（ｂ）に示す。対照植物を図２（ａ）に示し、ＲＴＩ１８４を接種した植物を図２（ｂ）に示す。
【０１１１】
【表４】
2018503626.tif 000007
【０１１２】
（実施例５）
（コーン種子接種におけるバチルス・リケニフォルミス分離株ＲＴＩ１８４の増殖効果）
コーンの増殖および活力に対する細菌単離株ＲＴＩ１８４の適用の効果を測定した。実験は、室温で振とうしながら１０７ＣＦＵ／ｍｌの細菌懸濁液中で表面滅菌した発芽コーン種子を２日間接種することによって実施した。続いて、接種した種子をｐＨ６．５に調整したＰＲＯＭＩＸ  ＢＸ（プレミアテック社、カナダ、ケベック州）を充填した１ガロンの鉢に植えた。各処理について、９の鉢に、５ｃｍの深さに植えられた単一のコーン種子を播種した。鉢を、１４／１０時間の明暗サイクルで、２２℃の温室内でインキュベートし、必要に応じて週に２回給水した。８週間後、植物を収穫し、それらの高さ、新鮮さおよび乾燥重量を測定し、非接種対照植物について得られたデータと比較した。乾燥重量は、９種の植物あたりの総重量として測定され、非接種対照については１１．２４ｇに相当する重量に対して、バチルス・リケニフォルミス  ＲＴＩ１８４株を接種した植物については１４．０９ｇに相当する総平均乾燥植物重量となり、非接種対照よりも乾燥重量で２５％増加した。さらに、図３（ａ）〜３（ｂ）は、対照植物（図３（ｂ））と比較したバチルス・リケニフォルミス  ＲＴＩ１８４（図３（ａ））を接種した植物の写真の画像を示す。
【０１１３】
（実施例６）
（ＲＴＩ１８４胞子で増強されたキュウリ、トマトおよびペッパー−ＰＲＯＭＩＸ  ＢＸ鉢植え用の土におけるバチルス・リケニフォルミス単離株ＲＴＩ１８４の増殖効果）
キュウリ、トマトおよびペッパーの生育および活力に対する細菌単離株ＲＴＩ１８４の適用の効果を測定した。この実験では、キュウリ、トマトおよびペッパーの種子を、ｐＨ６．５に調整され、１×１０７胞子／ｇのバチルス・リケニフォルミス株ＲＴＩ１８４で増強されたＰＲＯＭＩＸ  ＢＸ（プレミアテック社、カナダ、ケベック州）の鉢植え用の土に植え付けた。種子を６インチのポット中のＲＴＩ１８４で増強されたＰＲＯＭＩＸ  ＢＸ（プレミアテック社、カナダ、ケベック州）の土壌に植え付けた。１つの種子を鉢ごとに植え、処理ごとに８つの複製物が存在していた。植物を収穫し、乾燥重量を測定し、非接種対照植物について得られたデータと比較した。乾燥重量を８植物につき全重量として測定した。データを以下の表５に示すが、ＲＴＩ１８４はすべての作物のタイプに対する対照よりも優れていることを示している。
【０１１４】
さらに、図４（ａ）〜４（ｂ）は、ＲＴＩ１８４で増強された土壌中での植え付け後のキュウリにおける生育および活力に対する陽性効果を示すキュウリのデータの画像であり、（ａ）対照キュウリ植物及び（ｂ）バチルス・リケニフォルミス  ＲＴＩ１８４増強土壌で生育したキュウリ植物である。図５（ａ）−５（ｂ）は、ＲＴＩ１８４増強土壌中での植え付け後のトマトにおける生育および活力に対する陽性効果を示すトマトのデータの画像であり、（ａ）バチルス・リケニフォルミス  ＲＴＩ１８４増強土壌で生育したトマト植物および（ｂ）対照トマト植物である。図６（ａ）−６（ｂ）は、ＲＴＩ１８４増強土壌中での植え付け後のペッパーにおける生育および活力に対する陽性効果を示すペッパーのデータの画像であり、（ａ）バチルス・リケニフォルミス  ＲＴＩ１８４増強土壌で生育したペッパー植物および（ｂ）対照ペッパー植物である。
【０１１５】
【表５】
2018503626.tif 000008
【０１１６】
（実施例７）
（バチルス・リケニフォルミス  ＲＴＩ１８４単離株により産生される新規代謝産物の同定）
過去に、バチルス・リケニフォルミスを含む微生物種によって、フェンギシン型代謝産物およびデヒドロキシフェンギシン型代謝産物の５つのクラスが産生されることが、報告されている（Ｌｉ，Ｘｉｎｇ−Ｙｕ，ｅｔ  ａｌ．，２０１３，Ｊ．Ｍｉｃｒｏｂｉｏｌ．Ｂｉｏｔｅｃｈｎｏｌ．２３（３），３１３-３２１；Ｐｅｃｃｉ  Ｙ，ｅｔ  ａｌ．２０１０，Ｍａｓｓ  Ｓｐｅｃｔｒｏｍ．，４５（７）：７７２−７７．）。これらの代謝産物は、環状リポペプチドのクラスに属し、脂肪酸基も含む環状ペプチド分子である。５つのクラスのフェンギシン型およびデヒドロキシフェンギシン型の代謝産物は、Ａ、Ｂ、Ｃ、ＤおよびＳと呼ばれる。これらの代謝産物の骨格構造および５つのクラスのそれぞれの特定のアミノ酸配列を図７に示す。バチルス・リケニフォルミス株ＲＴＩ１８４によって産生されたフェンギシン型およびデヒドロキシフェンギシン型の代謝産物を、ＵＨＰＬＣ−ＴＯＦ  ＭＳを用いて分析した。３０℃で、豊富な培地（８６９またはＭ２培地のいずれか）中で、３および６日間増殖させた後のＲＴＩ１８４株によって産生されたフェンギシン型代謝産物の分子量を、フェンギシン型およびデヒドロキシフェンギシン型代謝物について予想された理論的分子量と比較した。さらに、ＲＴＩ１８４株によって産生された種々のフェンギシン型代謝産物のアミノ酸組成を決定するために、ＬＣ−ＭＳ−ＭＳを用いてペプチド配列を、ＵＨＰＬＣ−ＴＯＦ  ＭＳによって以前に同定されたフェンギシン型代謝産物のそれぞれについて実施した。これらのデータを以下の表６に示す。このようにして、バチルス・リケニフォルミス株ＲＴＩ１８４は、フェンギシンＡ、Ｂ、Ｃ、ＤまたはＳを産生しないことが判明した。
【０１１７】
驚くべきことに、ＲＴＩ１８４株は、環状ペプチド鎖の８位のＬ−イソロイシン（図７においてＸ３）がＬ−メチオニンに置換されているこれらの化合物の未同定の誘導体を産生することが判明した。新しいクラスのフェンギシンおよびデヒドロキシフェンギシンは、本明細書ではＭＡ、ＭＢおよびＭＣと称され、図７においてＸ３でＬ−イソロイシンがＬ−メチオニンに置換されているクラスＡ、ＢおよびＣの誘導体を指す。新たに同定された分子は、図７および表６において太字で示されている。
【０１１８】
これらの新規誘導体に加えて、バチルス・リケニフォルミス株ＲＴＩ１８４によって産生された別の未同定のクラスが同定され、これにおいては、フェンギシンＭＢおよびデヒドロキシフェンギシンＭＢのチロシン（Ｔｙｒ）（図７における位置Ｘ４）がα−アミノ酸であるシトルリンに置換されている。この新しいクラスのフェンギシンおよびデヒドロキシフェンギシンは、本明細書ではフェンギシンＭＢ−ＣｉｔおよびデヒドロキシフェンギシンＭＢ−Ｃｉｔと称され、図７および表６において太字で示されている。
【０１１９】
バチルス・リケニフォルミス株ＲＴＩ１８４は、以前に同定されていない追加のクラスのフェンギシンおよびデヒドロキシフェンギシンを産生することがさらに判明した。このクラスでは、フェンギシンＢおよびデヒドロキシフェンギシンＢのＬ−イソロイシン（図７における位置Ｘ３）がＬ−ホモ−システイン（Ｈｃｙ）で置換されている。これらの以前に同定されていないフェンギシンおよびデヒドロキシフェンギシン代謝産物は、本明細書ではフェンギシンＨおよびデヒドロキシフェンギシンＨと呼ばれ、図７および表６において太字で示されている。
【０１２０】
バチルス・リケニフォルミス菌株ＲＴＩ１８４は、以前に報告されていない追加のクラスのデヒドロキシフェンギシンを産生することがさらに判明した。このクラスでは、図７における位置Ｘ１は、Ｌ−イソロイシンに置換されている。この以前に報告されていないデヒドロキシフェンギシン代謝産物は、本明細書においてデヒドロキシフェンギシンＩと呼ばれ、図７および表６において太字で示されている。
【０１２１】
以前に報告されたフェンギシン型およびデヒドロキシフェンギシン型リポペプチドならびに新たに同定された代謝産物（太字で示す）のアミノ酸配列の要約を、以下の表６に示す。
【０１２２】
【表６】
2018503626.tif 000009
【０１２３】
フェンギシン型およびデヒドロキシフェンギシン型代謝産物の新たに同定されたタイプの合成が、バチルス・リケニフォルミス種に固有であるか、またはバチルス・リケニフォルミスの個々の株に特異的であるのかを調べるために、これらの種類の分子の合成を、１０のバチルス・リケニフォルミス株の間で比較した。この分析のために選択された１０の菌株は、それらの高度に保存された１６Ｓ  ｒＲＮＡおよびｒｐｏＢ遺伝子配列の配列比較に基づいて、バチルス・リケニフォルミス株であると同定された。各株のゲノムＤＮＡを、過去に記載された方法を使用してＢＯＸ−ＰＣＲパターンにより単離および比較し（Ｖｉｎｕｅｓａ，Ｐ．ｅｔ  ａｌ．，１９９８，Ａｐｐｌｉｅｄ  ａｎｄ  Ｅｎｖｉｒｏｎｍｅｎｔａｌ  Ｍｉｃｒｏｂｉｏｌｏｇｙ，６４，２０９６−２１０４）、株について得られたＢＯＸ−ＰＣＲパターンを示すゲルの画像を図８に示す。具体的には、図８は、アクセッション番号ＤＳＭ  １７２３６、ＲＴＩ１２４２、ＲＴＩ１２４９、ＲＴＩ１８４、ＲＴＩ１２４３、ＲＴＩ１１１２、ＦＣＣ１５９８、ＲＴＩ２３９、ＲＴＩ２４１およびＲＴＩ２５３として寄託されたバチルス・リケニフォルミス株ＣＨ２００のゲノムＤＮＡについてのＢＯＸ−ＰＣＲフィンガープリンティングパターンのアガロースゲル電気泳動を示す。分子サイズマーカーとして、１ｋｂ  ＤＮＡラダー（ＦＥＲＭＥＮＴＡＳ）を使用した。そのＢＯＸ−ＰＣＲパターンに基づいて、１０株は、３つの主要なグループ、グループ１、グループ２Ａ−２Ｂ（グループ２Ａおよび２Ｂは、図８のゲル上の位置を表す）およびグループ１とグループ２とに属さない株を含むグループ３に属する。
【０１２４】
１０種のバチルス・リケニフォルミス株のそれぞれによって産生されたフェンギシン型およびデヒドロキシフェンギシン型代謝産物のタイプを決定するために、株をＵＨＰＬＣ−ＴＯＦ  ＭＳを用いて分析した。さらに、バチルス・リケニフォルミスに特徴的なリケニシン型代謝産物についても、内部対照として分析した。ＵＨＰＬＣ−ＴＯＦ  ＭＳ分析の結果を以下の表７に要約する。Ｍ２培地中で６日間培養された１０種のバチルス・リケニフォルミス株の培養上清中のリケニシン、フェンギシン型およびデヒドロキシフェンギシン型分子、それらの脂質修飾（脂肪酸（ＦＡ）鎖長）、予測された分子量ならびにそれらの有無を表７に示す。データは、リケニシン型代謝産物が１０株すべてによって合成され、それらが真のバチルス・リケニフォルミス株であることを確認したことを示している。一方、フェンギシン型およびデヒドロキシフェンギシン型代謝産物の産生に関して、１０種の株の間には大きな差異が観察された。
【０１２５】
【表７】
2018503626.tif 000010
【０１２６】
同一のＢＯＸ−ＰＣＲパターンを有する株ＲＴＩ１８４およびＲＴＩ１１１２（グループ２）は、デヒドロキシフェンギシンＡ／Ｂ／Ｃ／Ｄ／Ｉ／Ｓ、デヒドロキシフェンギシンＨ／ＭＡ／ＭＢ／ＭＣ、デヒドロキシフェンギシンＭＢ−Ｃｉｔ、フェンギシンＨ／ＭＡ／ＭＢ／ＭＣおよびフェンギシンＭＢ−Ｃｉｔを含む同じタイプのフェンギシン型およびデヒドロキシフェンギシン型代謝産物を産生することが見出されたが、フェンギシンＡ／Ｂ／  Ｃ／Ｄ／Ｉ／Ｓ型代謝物を産生しなかった。一方、グループ２にも属するＦＣＣ１５９８株は、フェンギシンＡ／Ｂ／Ｃ／Ｄ／Ｉ／Ｓ型代謝産物を産生したが、フェンギシンＨ／ＭＡ／ＭＢ／ＭＣ型代謝産物を産生しなかった。驚くべきことに、グループ２にも属する株ＲＴＩ１２４３は、フェンギシン型およびデヒドロキシフェンギシン型代謝産物のいずれも産生しなかった。最後に、グループ１に属する２つの株（ＲＴＩ１２４２およびＲＴＩ１２４９）およびグループ３に属する２つの株（ＲＴＩ１２４１およびＲＴＩ１２５３）は、フェンギシン型およびデヒドロキシフェンギシン型代謝産物のいずれも産生せず、一方、グループ１および３に属するＣＨ２００およびＲＴＩ１２３９  群はそれぞれ、フェンギシン型およびデヒドロキシフェンギシン型代謝産物のすべてを産生した。これらの結果に基づき、新たに同定されたシトルリン含有代謝産物を含む種々のタイプのフェンギシン型およびデヒドロキシフェンギシン型代謝物の合成は、バチルス・リケニフォルミス種に固有のものではなく、株依存性であると結論付けられた。例えば、密接に関連するバチルス・リケニフォルミスのグループ２の株でも、異なるフェンギシン型およびデヒドロキシフェンギシン型分子を産生し、グループ２に密接に関連する株は、フェンギシン型またはデヒドロキシフェンギシン型代謝産物を全く産生しなかった。
【０１２７】
（実施例８）
（スカッシュ、ブロッコリー、カブ、レタスおよびイチゴのバチルス・リケニフォルミス分離株ＲＴＩ１８４による点滴灌漑の影響）
スカッシュ、ブロッコリー、カブおよびイチゴに対するバチルス・リケニフォルミスＲＴＩ１８４株の胞子による点滴灌漑の影響を決定するための実験を行った。植物収量への影響は、下記の実験に従って決定した。
【０１２８】
フィールド試験は、植え付け時および再度２週間後に１．５×１０１１、２．５×１０１２または２．５×１０１３ＣＦＵ／ヘクタールのバチルス・リケニフォルミスＲＴＩ１８４胞子を適用するために点滴灌漑を用いたスカッシュ植物について実施した。バチルス・リケニフォルミスＲＴＩ１８４胞子が潅水に含まれていない対照植物と比較して、ＲＴＩ１８４胞子を添加すると、全ての濃度で、総スカッシュおよび市場性のあるスカッシュの両方において収量が増加した。具体的には、未処理の対照植物では２２ｋｇの総スカッシュでそのうち１７ｋｇが市場性のあるであったのに比較して、ＲＴＩ１８４処理植物（適用割合２．５×１０１２ＣＦＵ／ヘクタール）では、平均３３ｋｇの総スカッシュでそのうち２６ｋｇが市場性のあるであった。これは、総スカッシュの重量において５０％増加、市場性のあるのスカッシュの重量において５３％増加である。対照植物と比較して、ＲＴＩ１８４で処理した植物のスカッシュ総重量および市場性のあるのスカッシュ重量の両方の実質的な増加は、ＲＴＩ１８４胞子での処理によってもたらされる陽性増殖効果を示す。
【０１２９】
植え付け時および再度２週間後にブロッコリー植物を１．５×１０１１、２．５×１０１２または２．５×１０１３ＣＦＵ／ヘクタールのバチルス・リケニフォルミス  ＲＴＩ１８４胞子で点滴灌漑する同様の野外試験を行った。バチルス・リケニフォルミス  ＲＴＩ１８４胞子が潅水に含まれていない対照植物と比較して、ＲＴＩ１８４胞子の添加は、生重量収量３ｋｇ（対照）から４ｋｇ（２．５×１０１３ＣＦＵ／ヘクタールのＲＴＩ１８４）、３．９ｋｇ（２．５×１０１２ＣＦＵ／ヘクタールのＲＴＩ１８４）および４．６ｋｇ（１．５×１０１１ＣＦＵ／ヘクタールのＲＴＩ１８４）への一貫した増加、または各々、３３重量％、３０重量％および５３重量％の増加をもたらした。対照植物と比較してＲＴＩ１８４で処理された植物の生重量の実質的な増加は、ＲＴＩ１８４胞子による処理によってもたらされる陽性増殖効果を示す。
【０１３０】
植え付け時および再度２週間後にカブ植物を１．５×１０１１、２．５×１０１２または２．５×１０１３ＣＦＵ／ヘクタールのバチルス・リケニフォルミス  ＲＴＩ１８４胞子で点滴灌漑する同様の野外試験を行った。潅水にバチルス・リケニフォルミス  ＲＴＩ１８４胞子が含まれていない対照カブ植物と比較して、すべての濃度でのＲＴＩ１８４胞子の添加は、３ｋｇｓ（対照）から約５．３ｋｇへのカブ塊茎収量の一貫した増加（６０％増）をもたらした。対照植物と比較した、ＲＴＩ１８４で処理された植物の塊茎重量の実質的な増加は、ＲＴＩ１８４胞子による処理によってもたらされる陽性増殖効果を示す。
【０１３１】
植え付け時および再度２週間後にレタス植物を１２．５×１０１２ＣＦＵ／ヘクタールのバチルス・リケニフォルミス  ＲＴＩ１８４胞子で点滴灌漑する同様の野外試験を行った。レタス植物を、植え付け時および２週間後に再度、１２．５×１０１２ＣＦＵ／ヘクタールのバチルス・リケニフォルミス  ＲＴＩ１８４胞子で灌注する同様の野外試験を行った。潅水にバチルス・リケニフォルミス  ＲＴＩ１８４胞子が含まれない対照植物と比較して、ＲＴＩ１８４胞子の添加は、４５．６ｋｇｓ（対照）から５２．８ｋｇｓへのレタス重量収量の一貫した増加（１６％増）をもたらした。対照植物と比較した、ＲＴＩ１８４で処理された植物の重量増加は、ＲＴＩ１８４胞子による処理によってもたらされる陽性増殖効果を示す。
【０１３２】
植え付け時および再度２週間後にイチゴ植物を１．５×１０１１、２．５×１０１２または２．５×１０１３ＣＦＵ／ヘクタールのバチルス・リケニフォルミス  ＲＴＩ１８４胞子で点滴灌漑する同様の野外試験を行った。潅水にバチルス・リケニフォルミス  ＲＴＩ１８４胞子が含まれていない対照イチゴ植物と比較して、ＲＴＩ１８４胞子の添加は、５％（１．５×１０１１ＣＦＵ／ヘクタールのＲＴＩ１８４）、８％（２．５×１０１２ＣＦＵ／ヘクタールのＲＴＩ１８４）および１１％（２．５×１０１３ＣＦＵ／ヘクタールのＲＴＩ１８４）の５％の総イチゴ収量の増加をもたらした。対照植物と比較した、ＲＴＩ１８４で処理された植物の収量の増加は、ＲＴＩ１８４胞子による処理によってもたらされる陽性増殖効果を示す。
【０１３３】
（実施例９）
（線虫感染土壌で栽培したジャガイモ植物に対するバチルス・リケニフォルミス単離株ＲＴＩ１８４の生育効果）
この実験では、線虫感染土壌（Ｇｌｏｂｅｄｅｒａ  ｓｐ．、１００ｍｌ土壌あたり約１７５０匹の生存卵および幼虫）で生育させたジャガイモ植物の生育および活力に対する細菌単離物ＲＴＩ１８４の適用の効果を測定した。ジャガイモ（品種“Ｂｉｎｔｊｅ”）を、Ｇｌｏｂｏｄｅｒａ  ｓｐ．に感染した土壌に植え、バチルス・リケニフォルミス株ＲＴＩ１８４の土壌１リットルあたり１０Ｅ＋９ＣＦＵの胞子で増強または点滴灌漑した。温室内での４８日間の生育後の植物の画像を図９（ａ）〜図９（ｂ）に示す。図９（ａ）はＲＴＩ１８４胞子で処理しなかった対照植物を示し、図９（ｂ）は、ＲＴＩ１８４で処理した植物を示す。対照植物と比較した、ＲＴＩ１８４で処理した植物のサイズの増加は、ＲＴＩ１８４胞子での処理によってもたらされる陽性増殖効果を示す。
【０１３４】
（参照）
本明細書で引用した全ての刊行物、特許出願、特許および他の参考文献は、その全体が参照により本明細書に組み込まれる。
【０１３５】
（付記）
（付記１）
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む、植物の成長に利益を与えるための組成物。
【０１３６】
（付記２）
植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に適用された場合に、植物成長の利益を与えることができる、
ことを特徴とする付記１に記載の組成物。
【０１３７】
（付記３）
前記植物成長の利益は、改善された苗木の活力、改善された根の発達、改善された植物の成長、改善された植物の健康、増加した収量もしくは改善された外観、またはこれらの組み合わせによって示される、
ことを特徴とする付記１に記載の組成物。
【０１３８】
（付記４）
前記組成物は、液体、油分散体、粉剤、乾燥水和性粉末剤、展延性顆粒剤または乾燥水和性顆粒剤の形態である、
ことを特徴とする付記１に記載の組成物。
【０１３９】
（付記５）
前記組成物は、液体の形態であり、前記バチルス・リケニフォルミス  ＲＴＩ１８４は、約１．０×１０９ＣＦＵ／ｍＬから約１．０×１０１２ＣＦＵ／ｍＬの濃度で存在する、
ことを特徴とする付記１に記載の組成物。
【０１４０】
（付記６）
前記組成物は、粉剤、乾燥水和性粉末剤、展延性顆粒剤または乾燥水和性顆粒剤の形態であり、前記バチルス・リケニフォルミス  ＲＴＩ１８４は、約１．０×１０９ＣＦＵ／ｇから約１．０×１０１２ＣＦＵ／ｇの量で存在する、
ことを特徴とする付記１に記載の組成物。
【０１４１】
（付記７）
前記組成物が油分散体の形態であり、前記バチルス・リケニフォルミス  ＲＴＩ１８４は、約１．０×１０９ＣＦＵ／ｍＬから約１．０×１０１２ＣＦＵ／ｍＬの濃度で存在する、
ことを特徴とする付記１に記載の組成物。
【０１４２】
（付記８）
前記バチルス・リケニフォルミス  ＲＴＩ１８４は、胞子の形態である、
ことを特徴とする付記１に記載の組成物。
【０１４３】
（付記９）
前記バチルス・リケニフォルミス  ＲＴＩ１８４は、栄養細胞の形態である、
ことを特徴とする付記１に記載の組成物。
【０１４４】
（付記１０）
植物成長に利益を与えるおよび／または感受性植物において病原体感染に対する保護を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、付記１に記載の組成物。
【０１４５】
（付記１１）
前記殺虫剤は、ビフェントリンを含む、
ことを特徴とする付記１０に記載の組成物。
【０１４６】
（付記１２）
前記殺線虫剤は、カドサフォスを含む、
ことを特徴とする付記１０に記載の組成物。
【０１４７】
（付記１３）
前記殺虫剤は、ビフェントリンおよびクロチアニジンを含む、
ことを特徴とする付記１０に記載の組成物。
【０１４８】
（付記１４）
液体として製剤化される、付記１０に記載の組成物。
【０１４９】
（付記１５）
前記殺虫剤は、ビフェントリンまたはゼータ−シペルメトリンを含む、
ことを特徴とする付記１４に記載の組成物。
【０１５０】
（付記１６）
前記組成物は、植え付け用基盤（ｐｌａｎｔｉｎｇ  ｍａｔｒｉｘ）の形態である、
ことを特徴とする付記１に記載の組成物。
【０１５１】
（付記１７）
前記植え付け用基盤（ｐｌａｎｔｉｎｇ  ｍａｔｒｉｘ）は、鉢植え用の土の形態である、
ことを特徴とする付記１６に記載の組成物。
【０１５２】
（付記１８）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする付記１に記載の組成物。
【０１５３】
（付記１９）
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物の胞子を含む組成物で被覆された植物種子。
【０１５４】
（付記２０）
前記組成物は、約１．０×１０２ＣＦＵ／種子から約１．０×１０９ＣＦＵ／種子の量のバチルス・リケニフォルミスの胞子を含む、
ことを特徴とする付記１９に記載の植物種子。
【０１５５】
（付記２１）
前記種子は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、人参、カブ、サトウキビ、サトウキビ、草または芝草を含む、
ことを特徴とする付記１９に記載の植物種子。
【０１５６】
（付記２２）
植物成長の利益を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、付記１９に記載の植物種子。
【０１５７】
（付記２３）
前記殺虫剤は、ビフェントリンを含む、
ことを特徴とする付記２２に記載の植物種子。
【０１５８】
（付記２４）
前記殺線虫剤は、カドサフォスを含む、
ことを特徴とする付記２２に記載の植物種子。
【０１５９】
（付記２５）
前記殺虫剤は、ビフェントリンおよびクロチアニジンを含む、
ことを特徴とする付記２２に記載の植物種子。
【０１６０】
（付記２６）
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物と、
植物成長の利益を与えるのに適した量で存在する微生物学的もしくは化学的な殺虫剤、殺真菌剤、殺線虫剤、殺細菌剤、除草剤、植物抽出物または植物成長調整剤の１つまたは組合せと、
を含む植物成長の利益を与えるための組成物。
【０１６１】
（付記２７）
前記組成物は、液体または油分散体の形態であり、前記バチルス・リケニフォルミス  ＲＴＩ１８４は、約１．０×１０９ＣＦＵ／ｍｌから約１．０×１０１２ＣＦＵ／ｍｌの濃度で存在する、
ことを特徴とする付記２６に記載の組成物。
【０１６２】
（付記２８）
前記組成物は、粉剤、乾燥水和性粉末剤、展延性顆粒剤または乾燥水和性顆粒剤の形態であり、前記バチルス・リケニフォルミス  ＲＴＩ１８４は、約１．０×１０９ＣＦＵ／ｇから約１．０×１０１２ＣＦＵ／ｇの量で存在する、
ことを特徴とする付記２６に記載の組成物。
【０１６３】
（付記２９）
前記バチルス・リケニフォルミス  ＲＴＩ１８４は、胞子の形態である、
ことを特徴とする付記２６に記載の組成物。
【０１６４】
（付記３０）
前記バチルス・リケニフォルミスＲＴＩ１８４は、栄養細胞の形態である、
ことを特徴とする付記２６に記載の組成物。
【０１６５】
（付記３１）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする付記２６に記載の組成物。
【０１６６】
（付記３２）
前記殺虫剤は、ビフェントリンを含む、
ことを特徴とする付記２６に記載の組成物。
【０１６７】
（付記３３）
前記殺線虫剤は、カドサフォスを含む、
ことを特徴とする付記２６に記載の組成物。
【０１６８】
（付記３４）
前記殺虫剤は、ビフェントリンおよびクロチアニジンを含む、
ことを特徴とする付記２６に記載の組成物。
【０１６９】
（付記３５）
液体として製剤化される、付記２６に記載の組成物。
【０１７０】
（付記３６）
前記殺虫剤は、ビフェントリンまたはゼータ−シペルメトリンを含む、
ことを特徴とする付記３５に記載の組成物。
【０１７１】
（付記３７）
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物を、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達することを含む、植物成長の利益を与える方法。
【０１７２】
（付記３８）
前記植物成長の利益は、改善された苗木の活力、改善された根の発達、改善された植物の成長、改善された植物の健康、増加した収量もしくは改善された外観、またはこれらの組み合わせによって示される、
ことを特徴とする付記３７に記載の方法。
【０１７３】
（付記３９）
前記バチルス・リケニフォルミスＲＴＩ１８４は、約１．０×１０８ＣＦＵ／ｈａから約１．０×１０１３ＣＦＵ／ｈａの割合で送達される、
ことを特徴とする付記３７に記載の方法。
【０１７４】
（付記４０）
前記バチルス・リケニフォルミスＲＴＩ１８４は、胞子の形態である、
ことを特徴とする付記３７に記載の方法。
【０１７５】
（付記４１）
前記バチルス・リケニフォルミスＲＴＩ１８４は、栄養細胞の形態である、
ことを特徴とする付記３７に記載の方法。
【０１７６】
（付記４２）
前記組成物は、液体、油分散体、粉剤、乾燥水和性粉末剤、展延性顆粒剤または乾燥水和性顆粒剤の形態である、
ことを特徴とする付記３７に記載の方法。
【０１７７】
（付記４３）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする付記３７に記載の方法。
【０１７８】
（付記４４）
前記組成物は、植物成長の利益を与えるおよび／または感受性植物における病原体感染に対する保護を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、
ことを特徴とする付記３７に記載の方法。
【０１７９】
（付記４５）
前記殺虫剤は、ビフェントリンを含む、
ことを特徴とする付記４４に記載の方法。
【０１８０】
（付記４６）
前記殺線虫剤は、カドサフォスを含む、
ことを特徴とする付記４４に記載の方法。
【０１８１】
（付記４７）
前記殺虫剤は、ビフェントリンおよびクロチアニジンを含む、
ことを特徴とする付記５０に記載の方法。
【０１８２】
（付記４８）
液体として製剤化される、付記４４に記載の方法。
【０１８３】
（付記４９）
前記殺虫剤は、ビフェントリンまたはゼータ−シペルメトリンを含む、
液体として製剤化される、付記４８に記載の方法。
【０１８４】
（付記５０）
植物の種子を植え付ける、または適切な増殖培地において植物の栄養／カルス組織を再生させることを含み、
前記種子は、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物で被覆され、または前記栄養／カルス組織は、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む組成物を接種され、
前記種子または前記栄養／カルス組織からの植物の成長に利益を与える、
ことを特徴とする植物成長の利益を与える方法。
【０１８５】
（付記５１）
前記植物成長の利益は、改善された苗木の活力、改善された根の発達、改善された植物の成長、改善された植物の健康、増加した収量もしくは改善された外観、またはこれらの組み合わせによって示される、
ことを特徴とする付記５０に記載の方法。
【０１８６】
（付記５２）
前記バチルス・リケニフォルミス  ＲＴＩ１８４は、胞子の形態であり、約１．０×１０２ＣＦＵ／種子から約１．０×１０９ＣＦＵ／種子の量で存在する、
ことを特徴とする付記５０に記載の方法。
【０１８７】
（付記５３）
前記種子は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする付記５０に記載の方法。
【０１８８】
（付記５４）
前記組成物は、植物成長の利益を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、
ことを特徴とする付記５０に記載の方法。
【０１８９】
（付記５５）
前記殺虫剤は、ビフェントリンを含む、
ことを特徴とする付記５４に記載の方法。
【０１９０】
（付記５６）
前記殺線虫剤は、カドサフォスを含む、
ことを特徴とする付記５４に記載の方法。
【０１９１】
（付記５７）
前記殺虫剤は、ビフェントリンおよびクロチアニジンを含む、
ことを特徴とする付記５４に記載の方法。
【０１９２】
（付記５８）
液体として製剤化される、付記５４に記載の方法。
【０１９３】
（付記５９）
前記殺虫剤は、ビフェントリンまたはゼータ−シペルメトリンを含む、
ことを特徴とする付記５８に記載の方法。
【０１９４】
（付記６０）
バチルス・リケニフォルミス  ＲＴＩ１８４は、胞子の形態である、
ことを特徴とする付記５０に記載の方法。
【０１９５】
（付記６１）
前記バチルス・リケニフォルミスＲＴＩ１８４は、栄養細胞の形態である、
ことを特徴とする付記５０に記載の方法。
【０１９６】
（付記６２）
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む第１の組成物と、
植物成長の利益を与えるのに適した量で存在する微生物学的もしくは化学的な殺虫剤、殺真菌剤、殺線虫剤、殺細菌剤、または植物成長調整剤の１つまたは組合せを含む第２の組成物と、
の組合せを、植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達することを含む、植物成長の利益を与える方法。
【０１９７】
（付記６３）
前記植物成長の利益は、改善された苗木の活力、改善された根の発達、改善された植物の成長、改善された植物の健康、増加した植物の質量、増加した収量、改善された外観、もしくは植物病原体に対する改善された耐性、またはこれらの組み合わせによって示される、
ことを特徴とする付記６２に記載の方法。
【０１９８】
（付記６４）
植物の成長に利益を与えるのに適した、前記バチルス・リケニフォルミスＲＴＩ１８４の量は、約１．０×１０８ＣＦＵ／ｈａから約１．０×１０１３ＣＦＵ／ｈａである、
ことを特徴とする付記６２に記載の方法。
【０１９９】
（付記６５）
前記バチルス・リケニフォルミスＲＴＩ１８４は、胞子の形態である、
ことを特徴とする付記６２に記載の方法。
【０２００】
（付記６６）
前記バチルス・リケニフォルミスＲＴＩ１８４は、栄養細胞の形態である、
ことを特徴とする付記６２に記載の方法。
【０２０１】
（付記６７）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする付記６２に記載の方法。
【０２０２】
（付記６８）
前記殺虫剤は、ビフェントリンを含む、
ことを特徴とする付記６２に記載の方法。
【０２０３】
（付記６９）
前記殺線虫剤は、カドサフォスを含む、
ことを特徴とする付記６２に記載の方法。
【０２０４】
（付記７０）
前記殺虫剤は、ビフェントリンおよびクロチアニジンを含む、
ことを特徴とする付記６２に記載の方法。
【０２０５】
（付記７１）
液体として製剤化される、付記６２に記載の方法。
【０２０６】
（付記７２）
前記殺虫剤は、ビフェントリンまたはゼータ−シペルメトリンを含む、
ことを特徴とする付記７１に記載の方法。
【０２０７】
（付記７３）
植物の成長に利益を与えるのに適した量の、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物と、
植物成長の利益を与えるのに適した量の、微生物学的もしくは化学的な殺虫剤、殺真菌剤、殺線虫剤、殺細菌剤、除草剤、植物抽出物または植物成長調整剤の１つまたは組合せと、
を含む組成物を、
植物の種子、植物の根、植物の切断片、植物の移植片、植物のカルス組織、植物を囲む土壌もしくは増殖培地、土壌もしくは増殖培地中に植物の種子を播種する前の土壌もしくは増殖培地、または土壌もしくは成長培地中に植物、植物の切断片、植物の移植片もしくは植物カルス組織を植える前の土壌または増殖培地に送達することを含む、植物成長の利益を与える方法。
【０２０８】
（付記７４）
前記植物成長の利益は、改善された苗木の活力、改善された根の発達、改善された植物の成長、改善された植物の健康、増加した収量、増加した植物の質量、改善された外観、もしくは植物病原体に対する改善された耐性、またはこれらの組み合わせによって示される、
ことを特徴とする付記７３に記載の方法。
【０２０９】
（付記７５）
前記バチルス・リケニフォルミスＲＴＩ１８４は、胞子の形態である、
ことを特徴とする付記７３に記載の方法。
【０２１０】
（付記７６）
前記バチルス・リケニフォルミスＲＴＩ１８４は、栄養細胞の形態である、
ことを特徴とする付記７３に記載の方法。
【０２１１】
（付記７７）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする付記７３に記載の方法。
【０２１２】
（付記７８）
植物の成長に利益を与えるのに適した、前記バチルス・リケニフォルミス  ＲＴＩ１８４の量は、約１．０×１０８ＣＦＵ／ｈａから約１．０×１０１３ＣＦＵ／ｈａである、
ことを特徴とする付記７３に記載の方法。
【０２１３】
（付記７９）
前記殺虫剤は、ビフェントリンを含む、
ことを特徴とする付記７３に記載の方法。
【０２１４】
（付記８０）
前記殺線虫剤は、カドサフォスを含む、
ことを特徴とする付記７３に記載の方法。
【０２１５】
（付記８１）
前記殺虫剤は、ビフェントリンおよびクロチアニジンを含む、
ことを特徴とする付記７３に記載の方法。
【０２１６】
（付記８２）
液体として製剤化される、付記７３に記載の方法。
【０２１７】
（付記８３）
前記殺虫剤は、ビフェントリンまたはゼータ−シペルメトリンを含む、
ことを特徴とする付記８２に記載の方法。
【０２１８】
（付記８４）
組成物中に植物の切断片を浸すことと、適切な増殖培地中にそれを植え付けることと、を含み、
前記組成物は、植物の発根に利益を与えるのに適した量の、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含み、
根の形成および前記切断片からの植物の成長の利益が与えられる、
ことを特徴とする植物発根の利益を与える方法。
【０２１９】
（付記８５）
前記バチルス・リケニフォルミスＲＴＩ１８４は、胞子の形態である、
ことを特徴とする付記８４に記載の方法。
【０２２０】
（付記８６）
前記バチルス・リケニフォルミスＲＴＩ１８４は、栄養細胞の形態である、
ことを特徴とする付記８４に記載の方法。
【０２２１】
（付記８７）
前記組成物は、液体または乾燥水和性粉末剤形態である、
ことを特徴とする付記８４に記載の方法。
【０２２２】
（付記８８）
前記組成物は、乾燥水和性粉末剤の形態であり、前記バチルス・リケニフォルミス  ＲＴＩ１８４は、約１．０×１０７ＣＦＵ／ｇから約１．０×１０９ＣＦＵ／ｇの量で存在する、
ことを特徴とする付記８７に記載の方法。
【０２２３】
（付記８９）
少なくとも１つの単離されたフェンギシンＭＢ−Ｃｉｔ化合物と、単離されたデヒドロキシフェンギシンＭＢ−Ｃｉｔ化合物と、を、植物への成長の利益または感受性植物における病原体感染に対する保護の一方または両方を与えるのに適した量で含み、
フェンギシンＭＢ−ＣｉｔおよびデヒドロキシフェンギシンＭＢ−Ｃｉｔ化合物は、式
【化３】
2018503626.tif 000011
を有し、
フェンギシンＭＢ−Ｃｉｔについては、ｎは８〜２０、ＦＡは直鎖、イソまたはアンテイソであり、ＲはＯＨであり、Ｘ１はＶａｌであり、Ｘ２はＴｈｒであり、Ｘ３はＭｅｔであり、Ｘ４はＣｉｔであり、デヒドロキシフェンギシンＭＢ−Ｃｉｔについては、ｎは８〜２０、ＦＡは直鎖、イソまたはアンテイソであり、ＲはＨであり、Ｘ１はＶａｌであり、Ｘ２はＴｈｒであり、Ｘ３はＭｅｔであり、Ｘ４はシトルリンである、
ことを特徴とする組成物。
【０２２４】
（付記９０）
植物成長の利益を与えるおよび／または感受性植物における病原体感染に対する保護を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、付記８９に記載の組成物。
【０２２５】
（付記９１）
前記組成物は、液体、粉剤、展延性顆粒剤または乾燥水和性顆粒剤の形態である、
ことを特徴とする付記８９に記載の組成物。
【０２２６】
（付記９２）
フェンギシンＭＢ−Ｃｉｔ化合物およびデヒドロキシフェンギシンＭＢ−Ｃｉｔ化合物の少なくとも１つを含む、バチルス・リケニフォルミス株の生物学的に純粋な培養物の抽出物。
【０２２７】
（付記９３）
フェンギシンＭＢ−Ｃｉｔ化合物およびデヒドロキシフェンギシンＭＢ−Ｃｉｔ化合物の少なくとも１つを含む、ＡＴＣＣ番号ＰＴＡ−１２１７２２として寄託されたバチルス・リケニフォルミス  ＲＴＩ１８４の生物学的に純粋な培養物の抽出物。
【０２２８】
（付記９４）
病原体感染から植物または果実を保護するまたは処理するための方法であって、前記植物もしくは前記果実に、または前記植物の根の周囲の根もしくは土壌に、有効量の付記８９、９０、９１、９２または９３のいずれかに１項に記載の組成物または抽出物を適用することを含む、方法。
【０２２９】
（付記９５）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、球根野菜、キュウリ、カンタロープ、メロン、マスクメロン、スカッシュ、スイカ、カボチャ、ナス、葉野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、ウリ科野菜、キュウリ、レタス、セロリ、ホウレン草、パセリ、ラディッキオ、マメ科植物／野菜（多肉の乾燥した豆（bean）及び鞘に入った豆（pea））、インゲン豆（又はソラ豆） 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バター、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする付記９４に記載の方法。
【０２３０】
（付記９６）
前記病原体感染は、植物真菌病原体、植物細菌病原体、さび病菌、ボトリチス属種（Botrytis spp.）、ボトリチス・シネレア（Botrytis cinerea）、ボトリチス・スクアモサ（Botrytis squamosa）、エルウィニア属種（Erwinia spp.）、エルウィニア・カロトボラ（Erwinia carotovora）、エルウィニア・アミロボラ（Erwinia amylovora）、ディケヤ属種（Dickeya spp.）、ディケヤ・ダダンチイ（Dickeya dadantii）、ディケヤ・ソラニ（Dickeya solani）、アグロバクテリウム属種（Agrobacterium spp.）、アグロバクテリウム・ツメファシエンス（Agrobacterium tumefaciens）、キサントモナス属種（Xanthomonas spp.）、キサントモナス・アクソノポディス（Xanthomonas axonopodis）、キサントモナス・カンペストリス・パソバー・カロテ（Xanthomonas campestris pv. carotae）、キサントモナス・プルニ（Xanthomonas pruni）、キサントモナス・アルボリコラ（Xanthomonas arboricola）、キサントモナス・オリゼ・パソバー・オリゼ（Xanthomonas oryzae pv. oryzae）、キシレラ属種（Xylella spp.）、キシレラ・ファスチディオーサ（Xylella fastidiosa）、カンジダタス属種（Candidatus spp.）、カンジダタス・リベリバクター（Candidatus liberibacter）、フザリウム属種（Fusarium spp.）、フザリウム・コルモラム（Fusarium colmorum）、フザリウム・グラミネアラム（Fusarium graminearum）、フザリウム・オキシスポラム（Fusarium oxysporum）、フザリウム・オキシスポラムｆ属種キューベンセ（Fusarium oxysporum f. sp. Cubense）、フザリウム・オキシスポラムｆ属種リコペルシシ（Fusarium oxysporum f. sp. Lycopersici）、フザリウム・ビルグリフォルメ（Fusarium virguliforme）、スクレロチニア属種（Sclerotinia spp.）、スクレロチニア・スクレロチオラム（Sclerotinia sclerotiorum）、スクレロチニア・マイナー（Sclerotinia minor）、スクレロチニア・ホメオカルパ（Sclerotinia homeocarpa）、セルコスポラ／セルコスポリディウム属種（Cercospora/Cercosporidium spp.）、ウンシヌラ属種（Uncinula spp.）、ウンシヌラ・ネカトル（Uncinula necator）（うどんこ病菌）、ポドスフェラ属種（Podosphaera spp.）（うどんこ病菌）、ポドスフェラ・ロイコトリカ（Podosphaera leucotricha）、ポドスフェラ・クランデスチン（Podosphaera clandestine）、ホモプシス属種（Phomopsis spp.）、ホモプシス・ビチコラ（Phomopsis viticola）、アルテルナリア属種（Alternaria spp.）、アルテルナリア・テヌイッシマ（Alternaria tenuissima）、アルテルナリア・ポーリ（Alternaria porri）、アルテルナリア・アルテルナート（Alternaria alternate）、アルテルナリア・ソラニ（Alternaria solani）、アルテルナリア・テヌイス（Alternaria tenuis）、シュードモナス属種（Pseudomonas spp.）、シュードモナス・シリンゲ・パソバー・トマト（Pseudomonas syringae pv. Tomato）、フィトフトラ属種（Phytophthora spp.）、フィトフトラ・インフェスタンス（Phytophthora infestans）、フィトフトラ・パラシチカ（Phytophthora parasitica）、フィトフトラ・ソジェ（Phytophthora sojae）、フィトフトラ・カプシシ（Phytophthora capsici）、フィトフトラ・シナモン（Phytophthora cinnamon）、フィトフトラ・フラガリエ（Phytophthora fragariae）、フィトフトラ属種（Phytophthora spp.）、フィトフトラ・ラモラム（Phytophthora ramorum）、フィトフトラ・パルミバラ（Phytophthora palmivara）、フィトフトラ・ニコチアネ（Phytophthora nicotianae）、ファコプソラ属種（Phakopsora spp.）、ファコプソラ・パキリジ（Phakopsora pachyrhizi）、ファコプソラ・メイボミエ（Phakopsora meibomiae）、アスペルギルス属種（Aspergillus spp.）、アスペルギルス・フラバス（Aspergillus flavus）、アスペルギルス・ニガー（Aspergillus niger）、ウロマイセス属種（Uromyces spp.）、ウロマイセス・アペンディキュラタス（Uromyces appendiculatus）、クラドスポリウム属種（Cladosporium spp.）、クラドスポリウム・ヘルバラム（Cladosporium herbarum）、リゾプス属種（Rhizopus spp.）、リゾプス・アリザス（Rhizopus arrhizus）、ペニシリウム属種（Penicillium spp.）、リゾクトニア属種（Rhizoctonia spp.）、リゾクトニア・ソラニ（Rhizoctonia solani）、リゾクトニア・ゼエ（Rhizoctonia zeae）、リゾクトニア・オリゼ（Rhizoctonia oryzae）、リゾクトニア・カリテ（Rhizoctonia caritae）、リゾクトニア・セレアリス（Rhizoctonia cerealis）、リゾクトニア・クロコラム（Rhizoctonia crocorum）、リゾクトニア・フラガリエ（Rhizoctonia fragariae）、リゾクトニア・ラミコラ（Rhizoctonia ramicola）、リゾクトニア・ルビ（Rhizoctonia rubi）、リゾクトニア・レグミニコラ（Rhizoctonia leguminicola）、マクロフォミナ・ファソリナ（Macrophomina phaseolina）、マグナオルテ・オリゼ（Magnaorthe oryzae）、マイコスフェレラ属種（Mycosphaerella spp.）、マイコスフェレラ・グラミノコラ（Mycosphaerella graminocola）、マイコスフェレラ・フィジエンシス（Mycosphaerella fijiensis）（ブラックシガトガ病）、マイコスフェレラ・ポミ（Mycosphaerella pomi）、マイコスフェレラ・シトリ（Mycosphaerella citri）、マグナポルテ属種（Magnaporthe spp.）、マグナポルテ・グリセア（Magnaporthe grisea）、モニリニア属種（Monilinia spp.）、モニリニア・フルチコラ（Monilinia fruticola）、モニリニア・バクシニイコリムボシ（Monilinia vacciniicorymbosi）、モニリニア・ラクサ（Monilinia laxa）、コレトトリカム属種（Colletotrichum spp.）、コレトトリカム・ゴレオスポリオデス（Colletotrichum gloeosporiodes）、コレトトリカム・アクタタム（Colletotrichum acutatum）、コレトトリカム・カンジダム（Colletotrichum Candidum）、ディアポルテ属種（Diaporthe spp.）、ディアポルテ・シトリ（Diaporthe citri）、コリネスポラ属種（Corynespora spp.）、コリネスポラ・カッシイコラ（Corynespora Cassiicola）、ギムノスポランギウム属種（Gymnosporangium spp.）、ギムノスポランギウム・ジュニペリ−バージニアネ（Gymnosporangium juniperi-virginianae）、シゾチリウム属種（Schizothyrium spp.）、シゾチリウム・ポミ（Schizothyrium pomi）、ゴレオデス属種（Gloeodes spp.）、ゴレオデス・ポミゲナ（Gloeodes pomigena）、ボトリオスフェリア属種（Botryosphaeria spp.）、ボトリオスフェリア・ドチデア（Botryosphaeria dothidea）、ネオファブラエア属種（Neofabraea spp.）、ウィルソノマイセス属種（Wilsonomyces spp.）、ウィルソノマイセス・カルポフィラス（Wilsonomyces carpophilus）、スフェロテカ属種（Sphaerotheca spp.）、スフェロテカ・マキュラリス（Sphaerotheca macularis）、スフェロテカ・パンノサ（Sphaerotheca pannosa）、エリシフェ属種（Erysiphe spp.）、スタゴノスポラ属種（Stagonospora spp.）、スタゴノスポラ・ノドラム（Stagonospora nodorum）、ピチウム属種（Pythium spp.）、ピチウム・ウルチマム（Pythium ultimum）、ピチウム・アファニデルマタム（Pythium aphanidermatum）、ピチウム・イレギュラウム（Pythium irregularum）、ピチウム・ウロサム（Pythium ulosum）、ピチウム・ルトリアリウム（Pythium lutriarium）、ピチウム・シルバチウム（Pythium sylvatium）、���ンチュリア属種（Venturia spp.）、ベンチュリア・イネキュアリス（Venturia inaequalis）、バーチシリウム属種（Verticillium spp.）、ウスチラゴ属種（Ustilago spp.）、ウスチラゴ・ヌーダ（Ustilago nuda）、ウスチラゴ・マイディス（Ustilago maydis）、ウスチラゴ・サイタミネア（Ustilago scitaminea）、クラビセプス属種（Claviceps spp.）、クラビセプス・ププレア（Claviceps puprrea）、ティレチア属種（Tilletia spp.）、ティレチア・トリチシ（Tilletia tritici）、ティレチア・ラエビス（Tilletia laevis）、ティレチア・ホリド（Tilletia horrid）、ティレチア・コントロベルサ（Tilletia controversa）、フォーマ属種（Phoma spp.）、フォーマ・グリシニコラ（Phoma glycinicola）、フォーマ・エキシグア（Phoma exigua）、フォーマ・リンガム（Phoma lingam）、コクリオボラス・サチバス（Cocliobolus sativus）、ガエウマノマイセス・ガミニス（Gaeumanomyces gaminis）、コレトトリカム属種（Colleototricum spp.）、リコスポリウム属種（Rhychosporium spp.）、リコスポリウム・セカリス（Rhychosporium secalis）、ビオポラリス属種（Biopolaris spp.）、ヘルミントスポリウム属種（Helminthosporium spp.）、ヘルミントスポリウム・セカリス（Helminthosporium secalis）、ヘルミントスポリウム・メイディス（Helminthosporium maydis）、ヘルミントスポリウム・ソラニ（Helminthosporium solai）又はヘルミントスポリウム・トリチシ−レペンチス（Helminthosporium tritici-repentis）のうちの１又は複数により引き起こされる、
ことを特徴とする付記９４に記載の方法。
【図１】
2018503626.tif 000013
【図２】
2018503626.tif 000014
【図３】
2018503626.tif 000015
【図４】
2018503626.tif 000016
【図５】
2018503626.tif 000017
【図６】
2018503626.tif 000018
【図７】
2018503626.tif 000019
【図８】
2018503626.tif 000020
【図９】
2018503626.tif 000021
【配列表】
2018503626000001.app
【手続補正書】
【提出日】平成29年12月13日(2017.12.13)
【手続補正２】
【補正対象書類名】明細書
【補正対象項目名】０１５２
【補正方法】変更
【補正の内容】
【０１５２】
（付記１８）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（bean）及び鞘に入った豆（pea））、豆 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、キャッサバ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バターナット、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする付記１に記載の組成物。
【手続補正３】
【補正対象書類名】明細書
【補正対象項目名】０１５５
【補正方法】変更
【補正の内容】
【０１５５】
（付記２１）
前記種子は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、結実野菜、ピーマン、トマト、ナス、グラウンドチェリー、トマティロ、オクラ、ブドウ、ハーブ／スパイス、ウリ科野菜、キュウリ、カンタロープ、メロン、マスクメロン、スカッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、豆 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、菜種、ベニバナ、ゴマ、ヒマワリ、大豆、根／塊茎及び球茎野菜、ニンジン、ジャガイモ、サツマイモ、ビーツ、ショウガ、西洋ワサビ、ダイコン、人参、カブ、サトウキビ、サトウダイコン、草または芝草を含む、
ことを特徴とする付記１９に記載の植物種子。
【手続補正４】
【補正対象書類名】明細書
【補正対象項目名】０１６５
【補正方法】変更
【補正の内容】
【０１６５】
（付記３１）
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（bean）及び鞘に入った豆（pea））、豆 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、キャッサバ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バターナット、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする付記２６に記載の組成物。
【手続補正５】
【補正対象書類名】特許請求の範囲
【補正対象項目名】全文
【補正方法】変更
【補正の内容】
【特許請求の範囲】
【請求項１】
ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物を含む、植物の成長に利益を与えるための組成物。
【請求項２】
前記組成物は、液体、油分散体、粉剤、乾燥水和性粉末剤、展延性顆粒剤または乾燥水和性顆粒剤の形態である、
ことを特徴とする請求項１に記載の組成物。
【請求項３】
前記組成物は、液体の形態であり、前記バチルス・リケニフォルミス  ＲＴＩ１８４は、約１．０×１０９ＣＦＵ／ｍＬから約１．０×１０１２ＣＦＵ／ｍＬの濃度で存在する、
ことを特徴とする請求項１に記載の組成物。
【請求項４】
前記組成物は、粉剤、乾燥水和性粉末剤、展延性顆粒剤または乾燥水和性顆粒剤の形態であり、前記バチルス・リケニフォルミス  ＲＴＩ１８４は、約１．０×１０９ＣＦＵ／ｇから約１．０×１０１２ＣＦＵ／ｇの量で存在する、
ことを特徴とする請求項１に記載の組成物。
【請求項５】
前記組成物が油分散体の形態であり、前記バチルス・リケニフォルミス  ＲＴＩ１８４は、約１．０×１０９ＣＦＵ／ｍＬから約１．０×１０１２ＣＦＵ／ｍＬの濃度で存在する、
ことを特徴とする請求項１に記載の組成物。
【請求項６】
前記バチルス・リケニフォルミス  ＲＴＩ１８４は、胞子または栄養細胞の形態である、
ことを特徴とする請求項１に記載の組成物。
【請求項７】
微生物学的もしくは化学的な殺虫剤、殺真菌剤、殺線虫剤、殺細菌剤、除草剤、植物抽出物または植物成長調整剤の１つまたは組合せをさらに含む、請求項１に記載の組成物。
【請求項８】
前記殺虫剤は、ビフェントリンを含む、
ことを特徴とする請求項７に記載の組成物。
【請求項９】
前記殺線虫剤は、カドサフォスを含む、
ことを特徴とする請求項７に記載の組成物。
【請求項１０】
前記殺虫剤は、ビフェントリンおよびクロチアニジンを含む、
ことを特徴とする請求項７に記載の組成物。
【請求項１１】
液体として製剤化される、請求項７に記載の組成物。
【請求項１２】
前記殺虫剤は、ビフェントリンまたはゼータ−シペルメトリンを含む、
ことを特徴とする請求項１１に記載の組成物。
【請求項１３】
前記組成物は、植え付け用基盤（ｐｌａｎｔｉｎｇ  ｍａｔｒｉｘ）の形態である、
ことを特徴とする請求項１に記載の組成物。
【請求項１４】
前記植え付け用基盤（ｐｌａｎｔｉｎｇ  ｍａｔｒｉｘ）は、鉢植え用の土の形態である、
ことを特徴とする請求項１３に記載の組成物。
【請求項１５】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（bean）及び鞘に入った豆（pea））、豆 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、キャッサバ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バターナット、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする請求項１に記載の組成物。
【請求項１６】
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物の胞子を含む組成物で被覆された植物種子。
【請求項１７】
前記組成物は、約１．０×１０２ＣＦＵ／種子から約１．０×１０９ＣＦＵ／種子の量のバチルス・リケニフォルミスの胞子を含む、
ことを特徴とする請求項１６に記載の植物種子。
【請求項１８】
前記種子は、単子葉植物、双子葉植物、穀物、コーン、スイートコーン、ポップコーン、シードコーン、サイレージコーン、フィールドコーン、米、小麦、大麦、ソルガム、アブラナ科野菜、ブロッコリー、キャベツ、カリフラワー、芽キャベツ、コラード、ケール、マスタードグリーン、コールラビ、球根野菜、玉ネギ、ニンニク、エシャロット、結実野菜、ピーマン、トマト、ナス、グラウンドチェリー、トマティロ、オクラ、ブドウ、ハーブ／スパイス、ウリ科野菜、キュウリ、カンタロープ、メロン、マスクメロン、スカッシュ、スイカ、カボチャ、ナス、葉野菜、レタス、セロリ、ホウレン草、パセリ、ラディッキオ、マメ科植物／野菜（多肉の乾燥した豆（bean）及び鞘に入った豆（pea））、豆 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、綿、亜麻、ピーナッツ、菜種、ベニバナ、ゴマ、ヒマワリ、大豆、根／塊茎及び球茎野菜、ニンジン、ジャガイモ、サツマイモ、ビーツ、ショウガ、西洋ワサビ、ダイコン、人参、カブ、サトウキビ、サトウダイコン、草または芝草を含む、
ことを特徴とする請求項１６に記載の植物種子。
【請求項１９】
植物成長の利益を与えるのに適した量で存在する微生物学的もしくは化学的な殺虫剤、殺真菌剤、殺線虫剤、殺細菌剤、除草剤、植物抽出物または植物成長調整剤の１つまたは組合せをさらに含む、請求項１６に記載の植物種子。
【請求項２０】
前記殺虫剤は、ビフェントリンを含む、
ことを特徴とする請求項１９に記載の植物種子。
【請求項２１】
前記殺線虫剤は、カドサフォスを含む、
ことを特徴とする請求項１９に記載の植物種子。
【請求項２２】
前記殺虫剤は、ビフェントリンおよびクロチアニジンを含む、
ことを特徴とする請求項１９に記載の植物種子。
【請求項２３】
植物の成長に利益を与えるのに適した量で存在する、ＡＴＣＣ番号ＰＴＡ−１２１７２２として寄託されたバチルス・リケニフォルミス  ＲＴＩ１８４またはその全ての同定特徴を有するその突然変異体の生物学的に純粋な培養物と、
植物成長の利益を与えるのに適した量で存在する微生物学的もしくは化学的な殺虫剤、殺真菌剤、殺線虫剤、殺細菌剤、除草剤、植物抽出物または植物成長調整剤の１つまたは組合せと、
を含む植物成長の利益を与えるための組成物。
【請求項２４】
前記組成物は、液体または油分散体の形態であり、前記バチルス・リケニフォルミス  ＲＴＩ１８４は、約１．０×１０９ＣＦＵ／ｍｌから約１．０×１０１２ＣＦＵ／ｍｌの濃度で存在する、
ことを特徴とする請求項２３に記載の組成物。
【請求項２５】
前記組成物は、粉剤、乾燥水和性粉末剤、展延性顆粒剤または乾燥水和性顆粒剤の形態であり、前記バチルス・リケニフォルミス  ＲＴＩ１８４は、約１．０×１０９ＣＦＵ／ｇから約１．０×１０１２ＣＦＵ／ｇの量で存在する、
ことを特徴とする請求項２３に記載の組成物。
【請求項２６】
前記バチルス・リケニフォルミス  ＲＴＩ１８４は、胞子または栄養細胞の形態である、
ことを特徴とする請求項２３に記載の組成物。
【請求項２７】
前記植物は、単子葉植物、双子葉植物、穀物、コーン、スイートコーン、ポップコーン、シードコーン、サイレージコーン、フィールドコーン、米、小麦、大麦、ソルガム、アスパラガス、ベリー、ブルーベリー、ブラックベリー、ラズベリー、ローガンベリー、ハックルベリー、クランベリー、グーズベリー、エルダーベリー、スグリ、キャンベリー、ブッシュベリー、アブラナ科野菜、ブロッコリー、キャベツ、カリフラワー、芽キャベツ、コラード、ケール、マスタードグリーン、コールラビ、ウリ科野菜、キュウリ、カンタロープ、メロン、マスクメロン、スカッシュ、スイカ、カボチャ、ナス、球根野菜、玉ネギ、ニンニク、エシャロット、シトラス、オレンジ、グレープフルーツ、レモン、タンジェリン、タンジェロ、ブンタン、結実野菜、ピーマン、トマト、グラウンドチェリー、トマティロ、オクラ、ブドウ、ハーブ／スパイス、葉野菜、レタス、セロリ、ホウレン草、パセリ、ラディッキオ、マメ科植物／野菜（多肉の乾燥した豆（bean）及び鞘に入った豆（pea））、豆 、サヤインゲン、スナップ豆、シェルビーンズ、大豆、ドライビーンズ、ガルバンゾー豆、リマ豆、エンドウ豆、ヒヨコ豆、スプリットピー、レンズ豆、油糧種子作物、キャノーラ、キャスター、ココナッツ、綿、亜麻、パーム油、オリーブ、ピーナッツ、菜種、ベニバナ、ゴマ、ヒマワリ、大豆、仁果、リンゴ、野生リンゴ、梨、マルメロ、サンザシ（Mayhaw）、根／塊茎及び球茎野菜、ニンジン、ジャガイモ、サツマイモ、キャッサバ、ビーツ、ショウガ、西洋ワサビ、ダイコン、人参、カブ、ストーンフルーツ、アプリコット、チェリー、ネクタリン、桃、プラム、プルーン、イチゴ、ツリーナッツ、アーモンド、ピスタチオ、ペカン、クルミ、ヘーゼルナッツ、栗、カシュー、ブナ、バターナット、マカダミア、キウイ、バナナ、（ブルー）リュウゼツラン、芝生、芝草、観賞植物、ポインセチア、アジサイ、広葉樹の挿し木、栗、オーク、メープル、サトウキビまたはサトウダイコンを含む、
ことを特徴とする請求項２３に記載の組成物。
【請求項２８】
前記殺虫剤は、ビフェントリンを含む、
ことを特徴とする請求項２３に記載の組成物。
【請求項２９】
前記殺線虫剤は、カドサフォスを含む、
ことを特徴とする請求項２３に記載の組成物。
【請求項３０】
前記殺虫剤は、ビフェントリンおよびクロチアニジンを含む、
ことを特徴とする請求項２３に記載の組成物。
【請求項３１】
液体として製剤化される、請求項２３に記載の組成物。
【請求項３２】
前記殺虫剤は、ビフェントリンまたはゼータ−シペルメトリンを含む、
ことを特徴とする請求項３１に記載の組成物。
【国際調査報告】
2018503626.tif 000022
2018503626.tif 000023
2018503626.tif 000024
2018503626.tif 000025